(57)【要約】本発明は、無線通信分野に関係し、比較的短いスケジューリング間隔をもつＳＰＳ送信がV2Xサービスに適用されるときにスケジューリング資源が無駄にされるという問題を解決するスケジューリング方法、装置およびシステムを提供する。本発明において提供されるスケジューリング方法は：第一の装置によって第二の装置から半持続的スケジューリングSPS構成情報を受信する段階であって、前記SPS構成情報は前記第二の装置によって使われるSPS資源構成を示すために使われる、段階と；前記第一の装置によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；前記第一の装置によって前記第二の装置に前記SPS命令情報を送る段階であって、前記SPS命令情報は、前記有効化されたSPS資源のスケジューリング資源を使うまたは使わないことを命令するために使われる、段階とを含む。本発明の実施形態はV2X通信に適用される。
2019520733.tif 000002
【特許請求の範囲】
【請求項１】
スケジューリング方法であって、当該方法は：
第一の装置によって第二の装置から半持続的スケジューリングSPS構成情報を受信する段階であって、前記SPS構成情報は前記第二の装置によって使われるSPS資源構成を示すために使われる、段階と；
前記第一の装置によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第一の装置によって前記第二の装置に前記SPS命令情報を送る段階であって、前記SPS命令情報は、前記有効化されたSPS資源のスケジューリング資源を使うまたは使わないことを命令するために使われる、段階とを含む、
方法。
【請求項２】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項１記載の方法。
【請求項３】
前記SPS資源構成がm個の利用可能なスケジューリング資源をもつSPSスケジューリング間隔であるとき、当該方法はさらに、下記、すなわち：
SPS-CRNTIを使ってスクランブルされたDCIに基づいて現在サブフレームにおいて決定されたULグラント資源を、前記第一の装置によって、前記m個の利用可能なスケジューリング資源によって占められる資源として使うこと；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記第一の装置によって、前記i番目の利用可能なスケジューリング資源によって占められる資源として使うことであって、前記i番目の利用可能なスケジューリング資源は前記m個の利用可能なスケジューリング資源の一つである、こと；または
SPS-CRNTIを使ってスクランブルされたDCIを前記第一の装置によって使って、前記m個の利用可能なスケジューリング資源のうちの一つまたは複数を有効化すること、
のうちの少なくとも一つまたは組み合わせを含む、請求項２記載の方法。
【請求項４】
前記SPS資源構成がM個のSPSスケジューリング間隔であるとき、前記SPS有効化情報が有効化されたSPS資源を示すために使われることは、下記、すなわち：
DCIにおけるビットマップbitmapにおけるMビットが、前記M個のSPSスケジューリング間隔のうちの一つまたは複数を有効化および／または無効化することを命令するために使われること；または
前記SPS有効化情報の時間周波数資源が、前記M個のSPSスケジューリング間隔のうちの一つを有効化および／または無効化することを命令するために使われること；または
前記SPS有効化情報の内容が、前記M個のSPSスケジューリング間隔のうちの一つまたは複数を有効化および／または無効化することを命令するために使われること、
のうちの少なくとも一つまたは組み合わせを含む、請求項２記載の方法。
【請求項５】
前記SPS命令情報が有効化されたSPS資源のスケジューリング資源を使うまたは使わないことを命令するために使われることは、下記、すなわち：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われること、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである、こと、
のうちの一方を含む、請求項２記載の方法。
【請求項６】
前記時間窓が、前記第一の装置によって前記第二の装置に送られる；または
前記時間窓が、前記第二の装置によって前記第一の装置に送られる、
請求項５記載の方法。
【請求項７】
当該方法がさらに：
前記第一の装置によってSPS解放情報を決定する段階であって、前記SPS解放情報は、前記有効化されたSPS資源のうちの一部または全部のスケジューリング資源を解放することを命令するために使われる、段階と；
前記第一の装置によって、前記SPS解放情報を前記第二の装置に送る段階とを含む、
請求項２ないし６のうちいずれか一項記載の方法。
【請求項８】
前記SPS解放情報が、前記有効化されたSPS資源のうちの一部または全部のSPS資源を解放することを命令するために使われることは、下記、すなわち：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われること；または
前記SPS資源構成がM個のSPSスケジューリング間隔であるときは、上りリンク制御情報UCIが、前記有効化されたSPS資源の一つまたは複数のSPSスケジューリング間隔を解放することを命令するために使われること、
のうちの少なくとも一つまたは組み合わせを含む、請求項７記載の方法。
【請求項９】
当該方法がさらに：
前記第一の装置によって、前記第二の装置からSPS解放情報を受信することを含み、前記SPS解放情報は、前記有効化されたSPS資源の一部または全部のスケジューリング資源を解放することを命令するために使われる、
請求項２ないし６のうちいずれか一項記載の方法。
【請求項１０】
前記SPS資源構成がM個のSPSスケジューリング間隔であるとき、前記SPS解放情報が、前記有効化されたSPS資源のうちの一部または全部のスケジューリング資源を解放することを命令するために使われることが、下記、すなわち：
DCIにおけるハイブリッド自動反復要求HARQ識別子が、前記有効化されたSPS資源のうちのあるSPS資源を解放することを命令するために使われること；または
前記有効化されたSPS資源の任意のスケジューリング資源で送られた前記SPS解放情報が、前記任意のスケジューリング資源に対応するすべてのSPSスケジューリング資源を解放することを命令するために使われること、
のうちの一方を含む、請求項９記載の方法。
【請求項１１】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項１ないし１０のうちいずれか一項記載の方法。
【請求項１２】
前記SPSがネットワークと端末の間で、または端末間で使われる、
請求項１ないし１１のうちいずれか一項記載の方法。
【請求項１３】
スケジューリング方法であって、当該方法は：
第二の装置によって第一の装置に半持続的スケジューリングSPS構成情報を送る段階であって、前記SPS構成情報は前記第二の装置によって使われるSPS資源構成を示すために使われる、段階と；
前記第二の装置によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二の装置によって、前記第一の装置からSPS命令情報を受信する段階であって、前記SPS命令情報は、前記有効化されたSPS資源のスケジューリング資源を使うまたは使わないことを命令するために使われる、段階とを含む、
方法。
【請求項１４】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項１３記載の方法。
【請求項１５】
前記SPS資源構成がm個の利用可能なスケジューリング資源をもつSPSスケジューリング間隔であるとき、当該方法はさらに、下記、すなわち：
SPS-CRNTIを使ってスクランブルされたDCIに基づいて現在サブフレームにおいて決定されたULグラント資源を、前記第二の装置によって、前記m個の利用可能なスケジューリング資源によって占められる資源として使うこと；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記第二の装置によって、前記i番目の利用可能なスケジューリング資源によって占められる資源として使うことであって、前記i番目の利用可能なスケジューリング資源は前記m個の利用可能なスケジューリング資源の一つである、こと；または
SPS-CRNTIを使ってスクランブルされたDCIを前記第二の装置によって使って、前記m個の利用可能なスケジューリング資源のうちの一つまたは複数を有効化すること、
のうちの少なくとも一つまたは組み合わせを含む、請求項１３記載の方法。
【請求項１６】
前記SPS資源構成がM個のSPSスケジューリング間隔であるとき、前記SPS有効化情報が有効化されたSPS資源を示すために使われることは、下記、すなわち：
DCIにおけるビットマップbitmapにおけるMビットが、前記M個のSPSスケジューリング間隔のうちの一つまたは複数を有効化および／または無効化することを命令するために使われること；または
前記SPS有効化情報の時間周波数資源が、前記M個のSPSスケジューリング間隔のうちの一つを有効化および／または無効化することを命令するために使われること；または
前記SPS有効化情報の内容が、前記M個のSPSスケジューリング間隔のうちの一つまたは複数を有効化および／または無効化することを命令するために使われること
のうちの少なくとも一つまたは組み合わせを含む、請求項１４記載の方法。
【請求項１７】
前記SPS命令情報が前記有効化されたSPS資源のスケジューリング資源を使うまたは使わないことを命令するために使われることは、下記、すなわち：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われること、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mであること、
のうちの一方を含む、請求項１４記載の方法。
【請求項１８】
前記時間窓は、前記第一の装置によって前記第二の装置に送られる；または
前記時間窓は、前記第二の装置によって前記第一の装置に送られる、
請求項１７記載の方法。
【請求項１９】
当該方法がさらに：
前記第二の装置によって、前記第一の装置からSPS解放情報を受信する段階であって、前記SPS解放情報は、前記有効化されたSPS資源のうちの一部または全部のスケジューリング資源を解放することを命令するために使われる、段階を含む、
請求項１４ないし１８のうちいずれか一項記載の方法。
【請求項２０】
前記SPS解放情報が、前記有効化されたSPS資源のうちの一部または全部のSPS資源を解放することを命令するために使われることは、下記、すなわち：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われること；または
前記SPS資源構成がM個のSPSスケジューリング間隔であるときは、上りリンク制御情報UCIが、前記有効化されたSPS資源の一つまたは複数のSPSスケジューリング間隔を解放することを命令すること、
のうちの少なくとも一つまたは組み合わせを含む、請求項１９記載の方法。
【請求項２１】
当該方法がさらに：
前記第二の装置によってSPS解放情報を決定する段階であって、前記SPS解放情報は、前記有効化されたSPS資源の一部または全部のスケジューリング資源を解放することを命令するために使われる、段階と；
前記第二の装置によって前記第一の装置に前記SPS解放情報を送る段階とを含む、
請求項１４ないし１８のうちいずれか一項記載の方法。
【請求項２２】
前記SPS資源構成がM個のSPSスケジューリング間隔であるとき、前記SPS解放情報が、前記有効化されたSPS資源のうちの一部または全部のスケジューリング資源を解放することを命令するために使われることは、下記、すなわち：
前記DCIにおけるハイブリッド自動反復要求HARQ識別子が、前記有効化されたSPS資源のうちのあるSPS資源を解放することを命令するために使われること；または
前記有効化されたSPS資源の任意のスケジューリング資源で送られた前記SPS解放情報が、前記任意のスケジューリング資源に対応するすべてのSPSスケジューリング資源を解放することを命令するために使われること、
のうちの一方を含む、請求項２１記載の方法。
【請求項２３】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項１３ないし２２のうちいずれか一項記載の方法。
【請求項２４】
前記SPSがネットワークと端末の間または端末間で使われる、請求項１３ないし２３のうちいずれか一項記載の方法。
【請求項２５】
スケジューリング方法であって、当該方法は、車両対万物V2X通信に適用され：
第一の装置によって、サービスのサービス要件および／またはメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの前記電波資源は、前記第一の装置のデータのサービス要件および／またはメッセージ型を示すために使われる、段階と；
前記第一の装置によって、決定された前記RAプリアンブル・シーケンスおよび／または前記RAプリアンブル・シーケンスの電波資源に基づいて、第二の装置へのランダムアクセスを開始する段階とを含む、
方法。
【請求項２６】
前記サービス要件はさらに、時間要件および／またはレート要件を含む、請求項２５記載の方法。
【請求項２７】
第一の装置によって、V2Xサービスのサービス要件および／またはメッセージ型に基づいて、RAプリアンブル・シーケンスおよび／または前記RAプリアンブル・シーケンスの電波資源を使うことを決定する前に、当該方法は：
前記第一の装置によって前記第二の装置から、前記RAプリアンブル・シーケンスおよび／または前記RAプリアンブル・シーケンスの前記電波資源を受信することを含む、
請求項２５記載の方法。
【請求項２８】
下記の条件、すなわち：V2Xサービスがあること、または前記第一の装置が計算を通じて、スケジューリング要求SRが前記V2Xサービスのサービス要件を満たさないことを見出すことが満たされるとき、前記第一の装置は、前記サービスの前記サービス要件および／または前記メッセージ型に基づいて、前記ランダムアクセスRAプリアンブル・シーケンスおよび／または前記RAプリアンブル・シーケンスの前記電波資源を使うことを決定する、請求項２５記載の方法。
【請求項２９】
前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む、請求項２５記載の方法。
【請求項３０】
前記サービスの前記サービス要件が、前記V2Xサービスの前記サービス要件を含む、請求項２５ないし２９のうちいずれか一項記載の方法。
【請求項３１】
スケジューリング方法であって、当該方法は、車両対万物V2X通信に適用され：
第二の装置によって、第一の装置からランダムアクセスを受ける段階と；
前記第二の装置によって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階とを含み、前記RAプリアンブル・シーケンスおよび／または前記RAプリアンブル・シーケンスの前記電波資源は、サービスのサービス要件および／またはメッセージ型に基づいて前記第一の装置によって決定され、前記第一の装置のデータのサービス要件および／またはメッセージ型を示すために使われる、
方法。
【請求項３２】
前記サービス要件はさらに、時間要件および／またはレート要件を含む、請求項３１記載の方法。
【請求項３３】
第二の装置によって第一の装置からランダムアクセスを受ける前に、当該方法はさらに：
前記第二の装置によって前記第一の装置に、前記RAプリアンブル・シーケンスおよび／または前記RAプリアンブル・シーケンスの前記電波資源を送ることを含む、
請求項３１記載の方法。
【請求項３４】
次の条件、すなわち：V2Xサービスがあること、または前記第一の装置が計算を通じて、スケジューリング要求SRがV2Xサービスのサービス要件を満たさないことを見出すことが満たされるときに、前記第二の装置は前記第一の装置からランダムアクセスを受ける、請求項３１記載の方法。
【請求項３５】
前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む、請求項３１記載の方法。
【請求項３６】
前記サービスのサービス要件は、前記V2Xサービスの前記サービス要件を含む、請求項３１ないし３５のうちいずれか一項記載の方法。
【請求項３７】
スケジューリング方法であって、当該方法は、車両対万物V2X通信に適用され：
第一の装置によって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一の装置によって、前記測定結果を前記第二の装置に送る段階とを含む、
方法。
【請求項３８】
前記測定結果は、指定されたセルの測定結果、または、前記指定されたセルの測定結果であって下記の条件、すなわち：前記測定結果が第一の閾値より低いおよび／または前記第一の閾値の測定結果および第一のオフセット値より低いことを満たすものを含む、請求項３７記載の方法。
【請求項３９】
前記第一の装置によって、前記測定結果を前記第二の装置に送ることは、下記、すなわち：
V2Xサービスが開始される前に、前記第一の装置によって、前記指定されたセルの前記測定結果を前記第二の装置に送ること；または
V2Xサービスが開始された後に、前記第一の装置によって、前記指定されたセルの前記測定結果を前記第二の装置に送ること、
のうちの一方を含む、請求項３７または３８記載の方法。
【請求項４０】
前記測定結果は、前記第一の装置の移動性情報を含み、前記移動性情報は、セルに関係した時間情報と、下記のセル情報、すなわち前記第一の装置が通過した、通過中であるまたはこれから通過するセル、のうちの少なくとも一つとを含む、請求項３７記載の方法。
【請求項４１】
前記第一の装置によって、前記測定結果を前記第二の装置に送ることは：
前記第一の装置によって、前記第一の装置の前記移動性情報を、UU‐サイドリンク変換プロセスにおいて送ることを含み、UUは端末とネットワークの間のリンクであり、サイドリンクは装置対装置のリンクである、
請求項４０記載の方法。
【請求項４２】
前記第一の装置によって、前記測定結果を前記第二の装置に送ることは：
前記第一の装置によって、前記測定結果および／または前記第一の装置の位置情報を前記第二の装置に送ることを含む、
請求項３７記載の方法。
【請求項４３】
下記の条件、すなわち：
前記第一の装置の速度が下記の条件、すなわち：前記速度が第二の閾値より高いこと；前記速度が前記第二の閾値のオフセット値より高いこと；前記速度が第三の閾値より低いこと；前記速度が前記第三の閾値のオフセット値より低いこと；前記速度が所定の範囲内であること、のうちの少なくとも一つを満たすこと；または
前記第一の装置が、ネットワーク側によって事前に構成設定された地理的位置を通過すること；または
前記第一の装置の信号品質が所定の条件を満たすこと；または
データレートが第四の閾値より低いまたは前記第四の閾値のオフセット値より低いこと；または
干渉が第五の閾値より高いことまたは干渉が前記第五の閾値のオフセット値より高いこと；または
前記第一の装置が、地理的位置ベースの資源割り当てを通じて構成設定された地理的位置変化位置を通過すること；または
前記第一の装置が、地理的位置ベースの資源割り当てを通じて構成設定された地理的位置変化位置を通過し、かつ、信号が制約条件を満たし、前記信号によって満たされる前記制約条件が、下記、すなわち：前記信号の測定結果が第一の閾値より低いこと；前記信号の前記測定結果が前記第一の閾値の測定結果および第一のオフセット値より低いこと；前記信号の前記測定結果が前記第一の閾値より高いこと；前記信号の前記測定結果が前記第一の閾値および前記第一のオフセット値より高いこと、のうちの一つまたは組み合わせを含む、こと、
のうちのいずれかが満たされるとき、前記第一の装置は前記測定結果および／または前記第一の装置の前記位置情報を前記第二の装置に送る、
請求項４２記載の方法。
【請求項４４】
前記第一の装置によって、前記測定結果および／または前記第一の装置の位置情報を前記第二の装置に送ることは：
前記第一の装置によって、前記測定結果および／または前記第一の装置の位置情報を前記第二の装置に定期的に送ることを含む、
請求項４３記載の方法。
【請求項４５】
前記移動性情報はさらに、V2Xメッセージ型情報および／または前記第一の装置のV2Xメッセージ送信距離情報を含む、請求項４０記載の方法。
【請求項４６】
前記第一の装置によって、前記測定結果を前記第二の装置に送ることは：
前記第一の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送ることを含む、
請求項４５記載の方法。
【請求項４７】
前記第一のメッセージは、下記のメッセージ、すなわち：V2Xメッセージ、ウェアラブル・サービス・メッセージ、セルラー・ベースの狭帯域モノのインターネットNB-IoTサービス・メッセージおよびブロードバンド・サービス・メッセージのうちの一つである、請求項３７ないし４６のうちいずれか一項記載の方法。
【請求項４８】
スケジューリング方法であって、当該方法は、車両対万物V2X通信に適用され：
第二の装置によって、第一の装置から測定結果を受信する段階であって、前記測定結果は、測定された電波資源および／または測定された電波信号に基づいて前記第一の装置によって生成される、段階と；
前記第二の装置によって、前記測定結果に基づいて、前記第一の装置のデータ送信範囲を判別する段階と；
前記第二の装置によって、第一のメッセージを送るために前記送信範囲に基づいて適正なセルを選択する段階とを含む、
方法。
【請求項４９】
前記測定結果は、指定されたセルの測定結果、または、前記指定されたセルの測定結果であって下記の条件、すなわち：前記測定結果が第一の閾値より低いおよび／または前記第一の閾値と第一のオフセット値の和より低いことを満たすものを含む、請求項４８記載の方法。
【請求項５０】
第二の装置によって、第一の装置から測定結果を受信することは、下記、すなわち：
V2Xサービスが開始される前に、前記第二の装置によって前記第一の装置から、前記指定されたセルの前記測定結果を受信すること；または
V2Xサービスが開始された後に、前記第二の装置によって前記第一の装置から、前記指定されたセルの前記測定結果を受信すること、
のうちの一方を含む、請求項４８または４９記載の方法。
【請求項５１】
前記測定結果は、前記第一の装置の移動性情報を含み、前記移動性情報は、セルに関係した時間情報と、下記のセル情報、すなわち：前記第一の装置が通過した、通過中であるまたはこれから通過するセル、のうちの少なくとも一つとを含む、請求項４８記載の方法。
【請求項５２】
第二の装置によって、第一の装置から測定結果を受信することは：
前記第二の装置によって、前記第一の装置の前記移動性情報を、UU‐サイドリンク変換プロセスにおいて受信することを含み、UUは端末とネットワークの間のリンクであり、サイドリンクは装置対装置のリンクである、
請求項５１記載の方法。
【請求項５３】
第二の装置によって、第一の装置から測定結果を受信することは：
前記第二の装置によって、前記測定結果および／または前記第一の装置の位置情報を前記第一の装置から受信することを含む、
請求項４８記載の方法。
【請求項５４】
下記の条件、すなわち：
前記第一の装置の速度が下記の条件、すなわち：前記速度が第二の閾値より高いこと；前記速度が前記第二の閾値のオフセット値より高いこと；前記速度が第三の閾値より低いこと；前記速度が前記第三の閾値のオフセット値より低いこと；前記速度が所定の範囲内であること、のうちの少なくとも一つを満たすこと；または
前記第一の装置が、ネットワーク側によって事前に構成設定された地理的位置を通過すること；または
前記第一の装置の信号品質が所定の条件を満たすこと；または
データレートが第四の閾値より低いまたは前記第四の閾値のオフセット値より低いこと；または
干渉が第五の閾値より高いことまたは干渉が前記第五の閾値のオフセット値より高いこと；または
前記第一の装置が、地理的位置ベースの資源割り当てを通じて構成設定された地理的位置変化位置を通過すること；または
前記第一の装置が、地理的位置ベースの資源割り当てを通じて構成設定された地理的位置変化位置を通過し、かつ、信号が制約条件を満たし、前記信号によって満たされる前記制約条件が、下記、すなわち：前記信号の測定結果が第一の閾値より低いこと；前記信号の前記測定結果が前記第一の閾値の測定結果および第一のオフセット値より低いこと；前記信号の前記測定結果が前記第一の閾値より高いこと；前記信号の前記測定結果が前記第一の閾値および前記第一のオフセット値より高いこと、のうちの一つまたは組み合わせを含む、こと、
のうちのいずれかが満たされるとき、前記第二の装置は前記測定結果および／または前記第一の装置の前記位置情報を前記第一の装置から受信する、
請求項５３記載の方法。
【請求項５５】
前記第二の装置によって、前記測定結果および／または前記第一の装置の位置情報を前記第一の装置から受信することは：
前記第二の装置によって、前記測定結果および／または前記第一の装置の位置情報を前記第一の装置から定期的に受信することを含む、
請求項５４記載の方法。
【請求項５６】
前記移動性情報はさらに、V2Xメッセージ型情報および／または前記第一の装置のV2Xメッセージ送信距離情報を含む、請求項５１記載の方法。
【請求項５７】
第二の装置によって、第一の装置から測定結果を受信することは：
前記第二の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信することを含む、請求項５６記載の方法。
【請求項５８】
前記第一のメッセージは、下記のメッセージ：V2Xメッセージ、ウェアラブル・サービス・メッセージ、セルラー・ベースの狭帯域モノのインターネットNB-IoTサービス・メッセージおよびブロードバンド・サービス・メッセージのうちの一つである、請求項４８ないし５７のうちいずれか一項記載の方法。
【請求項５９】
第一の装置であって、当該装置は：
第二の装置から半持続的スケジューリングSPS構成情報を受信するよう構成された受信ユニットであって、前記SPS構成情報は前記第二の装置によって使われるSPS資源構成を示すために使われ；
前記受信ユニットはさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置に前記SPS命令情報を送るよう構成された送信ユニットであって、前記SPS命令情報は、前記有効化されたSPS資源のスケジューリング資源を使うまたは使わないことを命令するために使われる、送信ユニットとを有する、
装置。
【請求項６０】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項５９記載の装置。
【請求項６１】
当該第一の装置はさらに処理ユニットを有し、該処理ユニットは：前記SPS資源構成がm個の利用可能なスケジューリング資源をもつSPSスケジューリング間隔であるとき、下記、すなわち：
SPS-CRNTIを使ってスクランブルされたDCIに基づいて現在サブフレームにおいて決定されたULグラント資源を、前記m個の利用可能なスケジューリング資源によって占められる資源として使うこと；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使うことであって、前記i番目の利用可能なスケジューリング資源は前記m個の利用可能なスケジューリング資源の一つである、こと；または
SPS-CRNTIを使ってスクランブルされたDCIを使って、前記m個の利用可能なスケジューリング資源のうちの一つまたは複数を有効化すること、
のうちの少なくとも一つまたは組み合わせを実行するよう構成される、請求項６０記載の装置。
【請求項６２】
前記SPS資源構成がM個のSPSスケジューリング間隔であるとき、前記SPS有効化情報が有効化されたSPS資源を示すために使われることは、下記、すなわち：
DCIにおけるビットマップbitmapにおけるMビットが、前記M個のSPSスケジューリング間隔のうちの一つまたは複数を有効化および／または無効化することを命令するために使われること；または
前記SPS有効化情報の時間周波数資源が、前記M個のSPSスケジューリング間隔のうちの一つを有効化および／または無効化することを命令するために使われること；または
前記SPS有効化情報の内容が、前記M個のSPSスケジューリング間隔のうちの一つまたは複数を有効化および／または無効化することを命令するために使われること、
のうちの少なくとも一つまたは組み合わせを含む、請求項６０記載の装置。
【請求項６３】
前記SPS命令情報が前記有効化されたSPS資源のスケジューリング資源を使うまたは使わないことを命令するために使われることは、下記、すなわち：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われること、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mであること、
のうちの一方を含む、請求項６０記載の装置。
【請求項６４】
前記時間窓は、前記第一の装置によって前記第二の装置に送られる；または
前記時間窓は、前記第二の装置によって前記第一の装置に送られる、
請求項６３記載の装置。
【請求項６５】
前記処理ユニットはさらに、SPS解放情報を決定するよう構成され、前記SPS解放情報は、前記有効化されたSPS資源のうちの一部または全部のスケジューリング資源を解放することを命令するために使われ；
前記送信ユニットはさらに、前記SPS解放情報を前記第二の装置に送るよう構成される、
請求項６０ないし６４のうちいずれか一項記載の装置。
【請求項６６】
前記SPS解放情報が、前記有効化されたSPS資源のうちの一部または全部のSPS資源を解放することを命令するために使われることは、下記、すなわち：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われること；または
前記SPS資源構成がM個のSPSスケジューリング間隔であるときは、上りリンク制御情報UCIが、前記有効化されたSPS資源の一つまたは複数のSPSスケジューリング間隔を解放することを命令するために使われること、
のうちの少なくとも一つまたは組み合わせを含む、請求項６５記載の装置。
【請求項６７】
前記受信ユニットはさらに：
前記第二の装置からSPS解放情報を受信するよう構成され、前記SPS解放情報は、前記有効化されたSPS資源の一部または全部のスケジューリング資源を解放することを命令するために使われる、
請求項６０ないし６４のうちいずれか一項記載の装置。
【請求項６８】
前記SPS資源構成がM個のSPSスケジューリング間隔であるとき、前記SPS解放情報が、前記有効化されたSPS資源のうちの一部または全部のスケジューリング資源を解放することを命令するために使われることは、下記、すなわち：
前記DCIにおけるハイブリッド自動反復要求HARQ識別子が、前記有効化されたSPS資源のうちのあるSPS資源を解放することを命令するために使われること；または
前記有効化されたSPS資源の任意のスケジューリング資源で送られた前記SPS解放情報が、前記任意のスケジューリング資源に対応するすべてのSPSスケジューリング資源を解放することを命令するために使われること、
のうちの一方を含む、請求項６７記載の装置。
【請求項６９】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項５９ないし６８のうちいずれか一項記載の装置。
【請求項７０】
前記SPSは、ネットワークと端末の間でまたは端末間で使われる、
請求項５９ないし６９のうちいずれか一項記載の装置。
【請求項７１】
第二の装置であって、当該第二の装置は：
第一の装置に半持続的スケジューリングSPS構成情報を送るよう構成された送信ユニットであって、前記SPS構成情報は前記第二の装置によって使われるSPS資源構成を示すために使われ；
前記送信ユニットはさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニットであって、前記SPS命令情報は、前記有効化されたSPS資源のスケジューリング資源を使うまたは使わないことを命令するために使われる、受信ユニットとを有する、
装置。
【請求項７２】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項７１記載の装置。
【請求項７３】
当該第二の装置はさらに処理ユニットを有し、該処理ユニットは：前記SPS資源構成がm個の利用可能なスケジューリング資源をもつSPSスケジューリング間隔であるとき、下記、すなわち：
SPS-CRNTIを使ってスクランブルされたDCIに基づいて現在サブフレームにおいて決定されたULグラント資源を、前記m個の利用可能なスケジューリング資源によって占められる資源として使うこと；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使い、前記i番目の利用可能なスケジューリング資源は前記m個の利用可能なスケジューリング資源の一つである、こと；または
SPS-CRNTIを使ってスクランブルされたDCIを使って、前記m個の利用可能なスケジューリング資源のうちの一つまたは複数を有効化すること、
のうちの少なくとも一つまたは組み合わせを実行するよう構成される、請求項７２記載の装置。
【請求項７４】
前記SPS資源構成がM個のSPSスケジューリング間隔であるとき、前記SPS有効化情報が有効化されたSPS資源を示すために使われることは、下記、すなわち：
DCIにおけるビットマップbitmapにおけるMビットが、前記M個のSPSスケジューリング間隔のうちの一つまたは複数を有効化および／または無効化することを命令するために使われること；または
前記SPS有効化情報の時間周波数資源が、前記M個のSPSスケジューリング間隔のうちの一つを有効化および／または無効化することを命令するために使われること；または
前記SPS有効化情報の内容が、前記M個のSPSスケジューリング間隔のうちの一つまたは複数を有効化および／または無効化することを命令するために使われること、
のうちの少なくとも一つまたは組み合わせを含む、請求項７２記載の装置。
【請求項７５】
前記SPS命令情報が前記有効化されたSPS資源のスケジューリング資源を使うまたは使わないことを命令するために使われることは、下記、すなわち：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われること；または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mであること、
のうちの一方を含む、請求項７２記載の装置。
【請求項７６】
前記時間窓は、前記第一の装置によって前記第二の装置に送られる；または
前記時間窓は、前記第二の装置によって前記第一の装置に送られる、
請求項７５記載の装置。
【請求項７７】
前記受信ユニットはさらに：
前記第一の装置からSPS解放情報を受信するよう構成され、前記SPS解放情報は、前記有効化されたSPS資源のうちの一部または全部のスケジューリング資源を解放することを命令するために使われる、
請求項７２ないし７６のうちいずれか一項記載の装置。
【請求項７８】
前記SPS解放情報が、前記有効化されたSPS資源のうちの一部または全部のSPS資源を解放することを命令するために使われることは、下記、すなわち：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われること；または
前記SPS資源構成がM個のSPSスケジューリング間隔であるときは、上りリンク制御情報UCIが、前記有効化されたSPS資源の一つまたは複数のSPSスケジューリング間隔を解放することを命令すること、
のうちの少なくとも一つまたは組み合わせを含む、請求項７７記載の装置。
【請求項７９】
前記処理ユニットはさらに、SPS解放情報を決定するよう構成され、前記SPS解放情報は、前記有効化されたSPS資源の一部または全部のスケジューリング資源を解放することを命令するために使われ；
前記送信ユニットはさらに、前記第一の装置に前記SPS解放情報を送るよう構成される、
請求項７２ないし７６のうちいずれか一項記載の装置。
【請求項８０】
前記SPS資源構成がM個のSPSスケジューリング間隔であるとき、前記SPS解放情報が、前記有効化されたSPS資源のうちの一部または全部のスケジューリング資源を解放することを命令するために使われることは、下記、すなわち：
前記DCIにおけるハイブリッド自動反復要求HARQ識別子が、前記有効化されたSPS資源のうちのあるSPS資源を解放することを命令するために使われること；または
前記有効化されたSPS資源の任意のスケジューリング資源で送られた前記SPS解放情報が、前記任意のスケジューリング資源に対応するすべてのSPSスケジューリング資源を解放することを命令するために使われること、
のうちの一方を含む、請求項７９記載の装置。
【請求項８１】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項７１ないし８０のうちいずれか一項記載の装置。
【請求項８２】
前記SPSは、ネットワークと端末の間でまたは端末間で使われる、
請求項７１ないし８１のうちいずれか一項記載の装置。
【請求項８３】
第一の装置であって、当該第一の装置は、車両対万物V2X通信に適用され：
サービスのサービス要件および／またはメッセージ型に基づいて、ランダムアクセスRAプリアンブル・シーケンスおよび／または前記RAプリアンブル・シーケンスの電波資源を使うことを決定するよう構成された処理ユニットであって、前記RAプリアンブル・シーケンスおよび／または前記RAプリアンブル・シーケンスの前記電波資源は、前記第一の装置のデータのサービス要件および／またはメッセージ型を示すために使われる、処理ユニットと；
決定された前記RAプリアンブル・シーケンスおよび／または前記RAプリアンブル・シーケンスの前記電波資源に基づいて、第二の装置へのランダムアクセスを開始するよう構成された送信ユニットとを有する、
装置。
【請求項８４】
前記サービス要件はさらに、時間要件および／またはレート要件を含む、請求項８３記載の装置。
【請求項８５】
当該第一の装置はさらに受信ユニットを有し、該受信ユニットは、前記第一の装置が、V2Xサービスのサービス要件および／またはメッセージ型に基づいて、RAプリアンブル・シーケンスおよび／または前記RAプリアンブル・シーケンスの電波資源を使うことを決定する前に、
前記第二の装置から、前記RAプリアンブル・シーケンスおよび／または前記RAプリアンブル・シーケンスの電波資源を受信するよう構成される、
請求項８３記載の装置。
【請求項８６】
前記処理ユニットはさらに：下記の条件、すなわち：V2Xサービスがあること、または該処理ユニットが計算を通じて、スケジューリング要求SRが前記V2Xサービスのサービス要件を満たさないことを見出すことが満たされるときに、前記第一の装置が、前記サービスの前記サービス要件および／または前記メッセージ型に基づいて、前記ランダムアクセスRAプリアンブル・シーケンスおよび／または前記RAプリアンブル・シーケンスの前記電波資源を使うことを決定するよう構成される、請求項８３記載の装置。
【請求項８７】
前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む、請求項８３記載の装置。
【請求項８８】
前記サービスの前記サービス要件は、前記V2Xサービスの前記サービス要件を含む、請求項８３ないし８７のうちいずれか一項記載の装置。
【請求項８９】
第二の装置であって、当該第二の装置は、車両対万物V2X通信に適用され：
第一の装置からランダムアクセスを受けるよう構成された受信ユニットと；
前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てるよう構成された処理ユニットとを有し、前記RAプリアンブル・シーケンスおよび／または前記RAプリアンブル・シーケンスの前記電波資源は、サービスのサービス要件および／またはメッセージ型に基づいて前記第一の装置によって決定され、前記第一の装置のデータのサービス要件および／またはメッセージ型を示すために使われる、
装置。
【請求項９０】
前記サービス要件はさらに、時間要件および／またはレート要件を含む、請求項８９記載の装置。
【請求項９１】
当該第二の装置はさらに：前記受信ユニットが前記第一の装置からランダムアクセスを受ける前に：
前記第一の装置に、前記RAプリアンブル・シーケンスおよび／または前記RAプリアンブル・シーケンスの前記電波資源を送るよう構成された送信ユニットを有する、
請求項８９記載の装置。
【請求項９２】
前記受信ユニットはさらに：下記の条件、すなわちV2Xサービスがあること、または前記第一の装置が計算を通じて、スケジューリング要求SRが前記V2Xサービスのサービス要件を満たさないことを見出すときに、前記第二の装置が前記第一の装置からランダムアクセスを受けるよう構成される、請求項８９記載の装置。
【請求項９３】
前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む、請求項８９記載の装置。
【請求項９４】
前記サービスの前記サービス要件は、前記V2Xサービスの前記サービス要件を含む、請求項８９ないし９３のうちいずれか一項記載の装置。
【請求項９５】
第一の装置であって、当該第一の装置は、車両対万物V2X通信に適用され：
電波資源および／または電波信号を測定して測定結果を生成するよう構成された処理ユニットであって、前記測定結果は、第二の装置に、前記第一の装置のデータ送信範囲を判別して、第一のメッセージを送るために前記送信範囲に基づいて適正なセルを選択することを命令するために使われる、処理ユニットと；
前記測定結果を前記第二の装置に送るよう構成された送信ユニットとを有する、
装置。
【請求項９６】
前記測定結果は、指定されたセルの測定結果、または、前記指定されたセルの測定結果であって下記の条件、すなわち：前記測定結果が第一の閾値より低いおよび／または前記第一の閾値の測定結果および第一のオフセット値より低いことを満たすものを含む、請求項９５記載の装置。
【請求項９７】
前記送信ユニットは具体的には、下記の動作、すなわち：
V2Xサービスが開始される前に、前記指定されたセルの前記測定結果を前記第二の装置に送ること；または
V2Xサービスが開始された後に、前記指定されたセルの前記測定結果を前記第二の装置に送ること、
のうちの一方を実行するよう構成される、請求項９５または９６記載の装置。
【請求項９８】
前記測定結果は、前記第一の装置の移動性情報を含み、前記移動性情報は、セルに関係した時間情報と、下記のセル情報、すなわち：前記第一の装置が通過した、通過中であるまたはこれから通過するセル、のうちの少なくとも一つとを含む、請求項９５記載の装置。
【請求項９９】
前記送信ユニットは具体的には、前記第一の装置の前記移動性情報を、UU‐サイドリンク変換プロセスにおいて送るよう構成され、UUは端末とネットワークの間のリンクであり、サイドリンクは装置対装置のリンクである、
請求項９８記載の装置。
【請求項１００】
前記送信ユニットは具体的には：
前記測定結果および／または前記第一の装置の位置情報を前記第二の装置に送るよう構成される、
請求項９５記載の装置。
【請求項１０１】
前記送信ユニットは具体的には、下記の条件、すなわち：
前記第一の装置の速度が下記の条件、すなわち：前記速度が第二の閾値より高いこと；前記速度が前記第二の閾値のオフセット値より高いこと；前記速度が第三の閾値より低いこと；前記速度が前記第三の閾値のオフセット値より低いこと；前記速度が所定の範囲内であること、のうちの少なくとも一つを満たすこと；または
前記第一の装置が、ネットワーク側によって事前に構成設定された地理的位置を通過すること；または
前記第一の装置の信号品質が所定の条件を満たすこと；または
データレートが第四の閾値より低いまたは前記第四の閾値のオフセット値より低いこと；または
干渉が第五の閾値より高いことまたは干渉が前記第五の閾値のオフセット値より高いこと；または
前記第一の装置が、地理的位置ベースの資源割り当てを通じて構成設定された地理的位置変化位置を通過すること；または
前記第一の装置が、地理的位置ベースの資源割り当てを通じて構成設定された地理的位置変化位置を通過し、かつ、信号が制約条件を満たし、前記信号によって満たされる前記制約条件が、下記、すなわち：前記信号の測定結果が第一の閾値より低いこと；前記信号の前記測定結果が前記第一の閾値の測定結果および第一のオフセット値より低いこと；前記信号の前記測定結果が前記第一の閾値より高いこと；前記信号の前記測定結果が前記第一の閾値および前記第一のオフセット値より高いこと、のうちの一つまたは組み合わせを含む、こと、
のうちのいずれかが満たされるとき、前記測定結果および／または前記第一の装置の前記位置情報を前記第二の装置に送るよう構成される、
請求項１００記載の装置。
【請求項１０２】
前記送信ユニットは具体的には：
前記測定結果および／または前記第一の装置の前記位置情報を前記第二の装置に定期的に送るよう構成される、
請求項１０１記載の装置。
【請求項１０３】
前記移動性情報はさらに、V2Xメッセージ型情報および／または前記第一の装置のV2Xメッセージ送信距離情報を含む、請求項９８記載の装置。
【請求項１０４】
前記送信ユニットは具体的には：
電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される、
請求項１０３記載の装置。
【請求項１０５】
前記第一のメッセージは、下記のメッセージ、すなわち：V2Xメッセージ、ウェアラブル・サービス・メッセージ、セルラー・ベースの狭帯域モノのインターネットNB-IoTサービス・メッセージおよびブロードバンド・サービス・メッセージのうちの一つである、請求項９５ないし１０４のうちいずれか一項記載の装置。
【請求項１０６】
第二の装置であって、当該第二の装置は、車両対万物V2X通信に適用され：
第一の装置から測定結果を受信するよう構成された受信ユニットであって、前記測定結果は、測定された電波資源および／または測定された電波信号に基づいて前記第一の装置によって生成される、受信ユニットと；
前記測定結果に基づいて、前記第一の装置のデータ送信範囲を判別するよう構成された処理ユニットと；
第一のメッセージを送るために前記送信範囲に基づいて適正なセルを選択するよう構成された送信ユニットとを有する、
装置。
【請求項１０７】
前記測定結果は、指定されたセルの測定結果、または、前記指定されたセルの測定結果であって下記の条件、すなわち：前記測定結果が第一の閾値より低いおよび／または前記第一の閾値と第一のオフセット値の和より低いことを満たすものを含む、請求項１０６記載の装置。
【請求項１０８】
前記受信ユニットは具体的には、下記の動作、すなわち：
V2Xサービスが開始される前に、前記第一の装置から、前記指定されたセルの前記測定結果を受信すること；または
V2Xサービスが開始された後に、前記第一の装置から、前記指定されたセルの前記測定結果を受信すること、
のうちの一方を実行するよう構成される、請求項１０６または１０７記載の装置。
【請求項１０９】
前記測定結果は、前記第一の装置の移動性情報を含み、前記移動性情報は、セルに関係した時間情報と、下記のセル情報、すなわち：前記第一の装置が通過した、通過中であるまたはこれから通過するセル、のうちの少なくとも一つとを含む、請求項１０６記載の装置。
【請求項１１０】
前記受信ユニットは具体的には：
前記第一の装置の前記移動性情報を、UU‐サイドリンク変換プロセスにおいて受信するよう構成され、UUは端末とネットワークの間のリンクであり、サイドリンクは装置対装置のリンクである、
請求項１０９記載の装置。
【請求項１１１】
前記受信ユニットは具体的には、前記測定結果および／または前記第一の装置の位置情報を前記第一の装置から受信するよう構成される、
請求項１０６記載の装置。
【請求項１１２】
前記受信ユニットは具体的には：
下記の条件、すなわち：
前記第一の装置の速度が下記の条件、すなわち：前記速度が第二の閾値より高いこと；前記速度が前記第二の閾値のオフセット値より高いこと；前記速度が第三の閾値より低いこと；前記速度が前記第三の閾値のオフセット値より低いこと；前記速度が所定の範囲内であること、のうちの少なくとも一つを満たすこと；または
前記第一の装置が、ネットワーク側によって事前に構成設定された地理的位置を通過すること；または
前記第一の装置の信号品質が所定の条件を満たすこと；または
データレートが第四の閾値より低いまたは前記第四の閾値のオフセット値より低いこと；または
干渉が第五の閾値より高いことまたは干渉が前記第五の閾値のオフセット値より高いこと；または
前記第一の装置が、地理的位置ベースの資源割り当てを通じて構成設定された地理的位置変化位置を通過すること；または
前記第一の装置が、地理的位置ベースの資源割り当てを通じて構成設定された地理的位置変化位置を通過し、かつ、信号が制約条件を満たし、前記信号によって満たされる前記制約条件が、下記、すなわち：前記信号の測定結果が第一の閾値より低いこと；前記信号の前記測定結果が前記第一の閾値の測定結果および第一のオフセット値より低いこと；前記信号の前記測定結果が前記第一の閾値より高いこと；前記信号の前記測定結果が前記第一の閾値および前記第一のオフセット値より高いこと、のうちの一つまたは組み合わせを含む、こと、
のうちのいずれかが満たされるとき、前記測定結果および／または前記第一の装置の前記位置情報を前記第一の装置から受信するよう構成される、
請求項１１１記載の装置。
【請求項１１３】
前記受信ユニットは具体的には：
前記測定結果および／または前記第一の装置の前記位置情報を前記第一の装置から定期的に受信するよう構成される、
請求項１１２記載の装置。
【請求項１１４】
前記移動性情報はさらに、V2Xメッセージ型情報および／または前記第一の装置のV2Xメッセージ送信距離情報を含む、
請求項１１０記載の装置。
【請求項１１５】
前記受信ユニットは具体的には：
電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される、
請求項１１４記載の装置。
【請求項１１６】
前記第一のメッセージは、下記のメッセージ、すなわち：V2Xメッセージ、ウェアラブル・サービス・メッセージ、セルラー・ベースの狭帯域モノのインターネットNB-IoTサービス・メッセージおよびブロードバンド・サービス・メッセージのうちの一つである、請求項１０６ないし１１５のうちいずれか一項記載の装置。
【請求項１１７】
請求項５９ないし７０のうちいずれか一項記載の第一の装置および請求項７１ないし８２のうちいずれか一項記載の第二の装置；または
請求項８３ないし８８のうちいずれか一項記載の第一の装置および請求項８９ないし９４のうちいずれか一項記載の第二の装置；または
請求項９５ないし１０５のうちいずれか一項記載の第一の装置および請求項１０６ないし１１６のうちいずれか一項記載の第二の装置を有する、
通信システム。
【発明の詳細な説明】
【技術分野】
【０００１】
本発明は、無線通信分野に、詳細にはスケジューリング方法、装置およびシステムに関する。
【背景技術】
【０００２】
現在、LTEネットワークは車両のインターネット通信に導入されている。車両に通信ノードが配置され、このノードが車両の内部と外部の間の通信のために使われる。図１を参照するに、具体的には車両対車両通信、車両対ネットワーク通信および車両対歩行者通信が含まれてもよく、本稿ではまとめてV2X（英語名称：vehicle  to  X）通信と称される。「車両のインターネット」通信の間、通信ノードによって送られるメッセージは、「車両のインターネット」自身の動作特性に密接に関係している。これらのメッセージのいくつかは、定期的な送信の特性、たとえば規則的な間隔での固定した屈曲における速度制限のようなブロードキャスト情報をもつ。
【０００３】
指定された期間にノードによって諸メッセージが送られることを考えると、ノードが上りリンク資源上でメッセージを送るときに使われる資源位置を示すためにPDCCH（英語名称：physical  downlink  control  channel）上でDCI（英語名称：downlink  control  information）が頻繁に送られるのを避けるため、ノードが上りリンク資源上でメッセージを送るときに使用されるべき資源位置を前もって示すいくつかの方法が従来技術において使われている。
【０００４】
たとえば、PDCCH上でDCIを使って上りリンク資源を割り当てるまたは指定するためにSPS（英語名称：semi-persistent  scheduling）機能が使われ、すると、ノードは定期的にメッセージを送るために、同じ上りリンクの時間周波数資源を繰り返し使う。しかしながら、V2Xサービスは絶対的に周期的ではないので、ノードは突然データを送ることがある。図２を参照するに、突然ノードによって送られたデータに応答するために短すぎるSPSスケジューリング間隔が設定される場合、余計な上りリンク承認資源が無駄にされる。
【０００５】
さらに、ノードは、知覚されるトラフィック条件についての情報を、V2Xメッセージの形でネットワーク側に送る。このV2Xメッセージを受信した後、ネットワーク側は、セル内の別のノードにサービスするための適正なセルを選択するよう、このV2Xメッセージのカバレッジ・エリアを知る必要がある。図３を参照するに、ノードのはたらきをするUE1は知覚されたトラフィック条件をネットワーク側のeNB1にV2Xメッセージの形で送り、ネットワーク側にあるeNB1およびeNB2は互いと通信し、eNB2もUE1によって知覚されたトラフィック条件を知る。この場合、トラフィック条件をサービスされるノードにブロードキャストするとき、eNB2は、トラフィック条件が、UE1の測定カバレッジ・エリア内にあるUE2のために有用なだけであり、トラフィック条件を比較的長い距離のところにあるUE3には送るべきではないことを判別する必要がある。
【発明の概要】
【０００６】
本発明の実施形態は、比較的短いスケジューリング間隔をもつSPS送信がV2Xサービスに適用されるときにスケジューリング資源が浪費されるという問題を解決するためのスケジューリング方法、装置およびシステムを提供する。
【０００７】
上記の目的を達成するために、本発明の実施形態では、以下の技術的解決策が使われる。
【０００８】
第一の側面によれば、スケジューリング方法が提供され、当該方法は：
第一の装置によって第二の装置から半持続的スケジューリングSPS構成情報を受信する段階であって、前記SPS構成情報は前記第二の装置によって使われるSPS資源構成を示すために使われる、段階と；
前記第一の装置によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第一の装置によって前記第二の装置にSPS命令情報を送る段階であって、前記SPS命令情報は、前記有効化されたSPS資源のスケジューリング資源を使うまたは使わないことを命令するために使われる、段階とを含む。
【０００９】
本発明において提供されるスケジューリング方法では、第一の装置は、第二の装置からSPS構成情報を受信し、第二の装置からSPS有効化情報を受信した後に、SPS命令情報を第二の装置に送る。SPS構成情報は第二の装置によって使われるSPS資源構成を示すために使われ、SPS有効化情報は有効化されたSPS資源を示すために使われ、該有効化されたSPS資源は前記SPS資源構成における一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００１０】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００１１】
ある可能な設計では、SPS資源構成がm個の利用可能なスケジューリング資源をもつSPSスケジューリング間隔であるとき、本方法はさらに、下記のうちの少なくとも一つまたは組み合わせを含む：
SPS-CRNTIを使ってスクランブルされたDCIに基づいて現在サブフレームにおいて決定されたULグラント資源を、前記第一の装置によって、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記第一の装置によって、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを前記第一の装置によって使って、前記m個の利用可能なスケジューリング資源のうちの一つまたは複数を有効化する。
【００１２】
この実装を使うことによって、スケジューリング間隔における複数のスケジューリング資源が柔軟に有効化されることができる。
【００１３】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００１４】
この実装を使うことによって、前記M個のSPSスケジューリング間隔におけるスケジューリング資源が柔軟に有効化および無効化されることができる。
【００１５】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００１６】
この実装では、第一の装置は第二の装置に、使われるまたは使われないスケジューリング資源を指示することができる。
【００１７】
ある可能な設計では、前記時間窓は、前記第一の装置によって前記第二の装置に送られる；または
前記時間窓は、前記第二の装置によって前記第一の装置に送られる。
【００１８】
ある可能な設計では、本方法はさらに：
前記第一の装置によってSPS解放情報を決定する段階であって、前記SPS解放情報は、有効化されたSPS資源のうちの一部または全部のスケジューリング資源を解放することを命令するために使われる、段階と；
前記第一の装置によって、前記SPS解放情報を前記第二の装置に送る段階とを含む。
【００１９】
この実装では、第一の装置は、有効化されたSPS資源のうちの一部または全部のスケジューリング資源を解放することを命令することができる。
【００２０】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【００２１】
ある可能な設計では、本方法はさらに：
この実装を使うことによって、異なるSPS資源構成におけるスケジューリング資源が解放されることができる。
前記第一の装置によって、前記第二の装置からSPS解放情報を受信することを含み、前記SPS解放情報は、有効化されたSPS資源の一部または全部のスケジューリング資源を解放することを命令するために使われる。
【００２２】
この実装では、第二の装置は有効化されたSPS資源の一部または全部のスケジューリング資源を解放することを命令することができる。
【００２３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【００２４】
この実装を使うことによって、M個のSPSスケジューリング間隔のうちの異なるスケジューリング間隔におけるスケジューリング資源が解放されることができる。
【００２５】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【００２６】
ある可能な設計では、前記SPSは、ネットワークと端末の間でまたは端末間で使われる。
【００２７】
第二の側面によれば、スケジューリング方法が提供され、当該方法は：
第二の装置によって第一の装置に半持続的スケジューリングSPS構成情報を送る段階であって、前記SPS構成情報は前記第二の装置によって使われるSPS資源構成を示すために使われる、段階と；
前記第二の装置によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二の装置によって、前記第一の装置からSPS命令情報を受信する段階であって、前記SPS命令情報は、前記有効化されたSPS資源のスケジューリング資源を使うまたは使わないことを命令するために使われる、段階とを含む。
【００２８】
本発明において提供されるスケジューリング方法では、第二の装置が第一の装置にSPS構成情報を送り、第一の装置はSPS構成情報を受信した後に、しかるべく対応するSPS資源構成を使う；第二の装置は、前記SPS資源構成における有効化されたSPS資源を示すよう、第一の装置にSPS有効化情報を送る；その後、第二の装置は第一の装置からSPS命令情報を受信する。SPS構成情報は第二の装置によって使われるSPS資源構成を示すために使われ、SPS有効化情報は有効化されたSPS資源を示すために使われ、該有効化されたSPS資源は前記SPS資源構成における前記一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００２９】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００３０】
ある可能な設計では、SPS資源構成がm個の利用可能なスケジューリング資源をもつSPSスケジューリング間隔であるとき、本方法はさらに、下記のうちの少なくとも一つまたは組み合わせを含む：
SPS-CRNTIを使ってスクランブルされたDCIに基づいて現在サブフレームにおいて決定されたULグラント資源を、前記第二の装置によって、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記第二の装置によって、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを前記第二の装置によって使って、前記m個の利用可能なスケジューリング資源のうちの一つまたは複数を有効化する。
【００３１】
この実装を使うことによって、スケジューリング間隔における複数のスケジューリング資源が柔軟に有効化されることができる。
【００３２】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００３３】
この実装を使うことによって、前記M個のSPSスケジューリング間隔におけるスケジューリング資源が柔軟に有効化および無効化されることができる。
【００３４】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００３５】
この実装では、第一の装置は第二の装置に、使われるまたは使われないスケジューリング資源を指示することができる。
【００３６】
ある可能な設計では、前記時間窓は、前記第一の装置によって前記第二の装置に送られる；または
前記時間窓は、前記第二の装置によって前記第一の装置に送られる。
【００３７】
ある可能な設計では、本方法はさらに：
前記第二の装置によって、前記第一の装置からSPS解放情報を受信する段階であって、前記SPS解放情報は、有効化されたSPS資源のうちの一部または全部のスケジューリング資源を解放することを命令するために使われる、段階を含む。
【００３８】
この実装では、第一の装置は、有効化されたSPS資源のうちの一部または全部のスケジューリング資源を解放することを命令することができる。
【００３９】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【００４０】
この実装を使うことによって、異なるSPS資源構成におけるスケジューリング資源が解放されることができる。
【００４１】
ある可能な設計では、本方法はさらに：
前記第二の装置によってSPS解放情報を決定する段階であって、前記SPS解放情報は、有効化されたSPS資源の一部または全部のスケジューリング資源を解放することを命令するために使われる、段階と；
前記第二の装置によって前記第一の装置に前記SPS解放情報を送る段階とを含む。
【００４２】
この実装では、第二の装置は有効化されたSPS資源の一部または全部のスケジューリング資源を解放することを命令することができる。
【００４３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【００４４】
この実装を使うことによって、M個のSPSスケジューリング間隔のうちの異なるスケジューリング間隔におけるスケジューリング資源が解放されることができる。
【００４５】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【００４６】
ある可能な設計では、前記SPSは、ネットワークと端末の間でまたは端末間で使われる。
【００４７】
第三の側面によれば、スケジューリング方法が提供される。本方法は、車両対万物V2X通信に適用され：
第一の装置によって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一の装置によって、決定された前記RAプリアンブル・シーケンスおよび／または前記RAプリアンブル・シーケンスの電波資源に基づいて、第二の装置へのランダムアクセスを開始する段階とを含む。
【００４８】
本発明において提供されるスケジューリング方法によれば、第一の装置は、サービス要件および／またはサービスのメッセージ型に基づいて、ランダムアクセスRAプリアンブル・シーケンスおよび／または前記RAプリアンブル・シーケンスの電波資源を使うことを決定し、次いで、決定された前記RAプリアンブル・シーケンスおよび／または前記RAプリアンブル・シーケンスの電波資源に基づいて、第二の装置へのランダムアクセスを開始する。ここで、前記RAプリアンブル・シーケンスおよび／または前記RAプリアンブル・シーケンスの電波資源は、第一の装置のデータのサービス要件および／またはメッセージ型を示すために使われる。よって、本発明では、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【００４９】
ある可能な設計では、前記サービス要件はさらに、時間要件および／またはレート要件を含む。
【００５０】
ある可能な設計では、第一の装置によって、サービス要件および／またはV2Xサービスのメッセージ型に基づいて、RAプリアンブル・シーケンスおよび／または前記RAプリアンブル・シーケンスの電波資源を使うことを決定する前に、本方法は：
前記第一の装置によって前記第二の装置から、前記RAプリアンブル・シーケンスおよび／または前記RAプリアンブル・シーケンスの電波資源を受信することを含む。
【００５１】
ある可能な設計では、次の条件が満たされるとき、前記第一の装置は、サービス要件および／またはサービスのメッセージ型に基づいて、ランダムアクセスRAプリアンブル・シーケンスおよび／または前記RAプリアンブル・シーケンスの電波資源を使うことを決定する：
V2Xサービスがある、または前記第一の装置が計算を通じて、スケジューリング要求SRがV2Xサービスのサービス要件を満たさないことを見出す。
【００５２】
この実装を使うことによって、V2Xサービスのサービス要件は、比較的短い遅延で満たされることができる。
【００５３】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【００５４】
ある可能な設計では、サービスのサービス要件は、V2Xサービスのサービス要件を含む。
【００５５】
第四の側面によれば、スケジューリング方法が提供される。本方法は、車両対万物V2X通信に適用され：
第二の装置によって、第一の装置からランダムアクセスを受信する段階と；
前記第二の装置によって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階とを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【００５６】
本発明において提供されるスケジューリング方法によれば、第二の装置は、第一の装置からランダムアクセスを受け、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。RAプリアンブル・シーケンスおよび／または前記RAプリアンブル・シーケンスの電波資源は、サービスのサービス要件および／またはメッセージ型に基づいて第一の装置によって決定され、第一の装置のデータのサービス要件および／またはメッセージ型を示すために使われる。よって、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【００５７】
ある可能な設計では、前記サービス要件はさらに、時間要件および／またはレート要件を含む。
【００５８】
ある可能な設計では、第二の装置によって第一の装置からランダムアクセスを受ける前に、本方法はさらに：
前記第二の装置によって前記第一の装置に、前記RAプリアンブル・シーケンスおよび／または前記RAプリアンブル・シーケンスの電波資源を送ることを含む。
【００５９】
ある可能な設計では、次の条件が満たされるとき、前記第二の装置は前記第一の装置からランダムアクセスを受ける：
V2Xサービスがある、または前記第一の装置が計算を通じて、スケジューリング要求SRがV2Xサービスのサービス要件を満たさないことを見出す。
【００６０】
この実装を使うことによって、V2Xサービスのサービス要件は、比較的短い遅延で満たされることができる。
【００６１】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【００６２】
ある可能な設計では、サービスのサービス要件は、V2Xサービスのサービス要件を含む。
【００６３】
第五の側面によれば、スケジューリング方法が提供される。本方法は、車両対万物V2X通信に適用され：
第一の装置によって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一の装置によって、前記測定結果を前記第二の装置に送る段階とを含む。
【００６４】
本発明において提供されるスケジューリング方法によれば、第一の装置は、電波資源および／または電波信号を測定して測定結果を生成し、次いで測定結果を第二の装置に送る。ここで、測定結果は、第二の装置に、第一の装置のデータ送信範囲を判別して、第一のメッセージを送るために前記送信範囲に基づいて適正なセルを選択することを命令するために使われる。換言すれば、第一の装置は第二の装置に、前記データ送信範囲を示す前記測定結果を送ってもよく、それにより第二の装置は、前記データ送信範囲を判別して、第一のメッセージを送るために前記データ送信範囲に基づいて適正なセルを選択しうる。これは、第二の装置が第一の装置からデータ送信範囲を得ることができないという問題を解決する。
【００６５】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【００６６】
ある可能な設計では、前記第一の装置によって、前記測定結果を前記第二の装置に送ることは、下記のうちの一方を含む：
V2Xサービスが開始される前に、前記第一の装置によって、前記指定されたセルの前記測定結果を前記第二の装置に送る；または
V2Xサービスが開始された後に、前記第一の装置によって、前記指定されたセルの前記測定結果を前記第二の装置に送る。
【００６７】
この実装では、前記第一の装置のデータ送信範囲は、異なるV2Xサービス時間において決定されることができる。
【００６８】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【００６９】
ある可能な設計では、前記第一の装置によって、前記測定結果を前記第二の装置に送ることは：
前記第一の装置によって、前記第一の装置の移動性情報を、UU‐サイドリンク変換プロセスにおいて送ることを含み、UUは端末とネットワークの間のリンクであり、サイドリンクは装置対装置のリンクである。
【００７０】
ある可能な設計では、前記第一の装置によって、前記測定結果を前記第二の装置に送ることは：
前記第一の装置によって、前記測定結果および／または前記第一の装置の位置情報を前記第二の装置に送ることを含む。
【００７１】
ある可能な設計では、下記の条件のうちのいずれかが満たされるとき、前記第一の装置は前記測定結果および／または前記第一の装置の位置情報を前記第二の装置に送る：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【００７２】
ある可能な設計では、前記第一の装置によって、前記測定結果および／または前記第一の装置の位置情報を前記第二の装置に送ることは：
前記第一の装置によって、前記測定結果および／または前記第一の装置の位置情報を前記第二の装置に定期的に送ることを含む。
【００７３】
ある可能な設計では、前記移動性情報はさらに、V2Xメッセージ型情報および／または前記第一の装置のV2Xメッセージ送信距離情報を含む。
【００７４】
ある可能な設計では、前記第一の装置によって、前記測定結果を前記第二の装置に送ることは：
前記第一の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送ることを含む。
【００７５】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【００７６】
第六の側面によれば、スケジューリング方法が提供される。本方法は、車両対万物V2X通信に適用され：
第二の装置によって、第一の装置から測定結果を受信する段階であって、前記測定結果は、測定された電波資源および／または測定された電波信号に基づいて前記第一の装置によって生成される、段階と；
前記第二の装置によって、前記測定結果に基づいて、前記第一の装置のデータ送信範囲を判別する段階と；
前記第二の装置によって、第一のメッセージを送るために前記送信範囲に基づいて適正なセルを選択する段階とを含む。
【００７７】
本発明において提供されるスケジューリング方法によれば、第二の装置は、第一の装置から測定結果を受信し、前記測定結果に基づいて、第一の装置のデータ送信範囲を判別し、第一のメッセージを送るために前記送信範囲に基づいて適正なセルを選択する。前記測定結果は、測定された電波資源および／または電波信号に基づいて第一の装置によって生成される。これは、第二の装置が第一の装置からデータ送信範囲を得ることができないという問題を解決する。
【００７８】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【００７９】
ある可能な設計では、第二の装置によって、第一の装置から測定結果を受信することは、下記のうちの一方を含む：
V2Xサービスが開始される前に、前記第二の装置によって前記第一の装置から、前記指定されたセルの前記測定結果を受信する；または
V2Xサービスが開始された後に、前記第二の装置によって前記第一の装置から、前記指定されたセルの前記測定結果を受信する。
【００８０】
この実装では、前記第一の装置のデータ送信範囲は、前記V2Xサービスが開始される前または後に決定されることができる。
【００８１】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【００８２】
ある可能な設計では、第二の装置によって、第一の装置から測定結果を受信することは：
前記第二の装置によって、前記第一の装置の移動性情報を、UU‐サイドリンク変換プロセスにおいて受信することを含み、UUは端末とネットワークの間のリンクであり、サイドリンクは装置対装置のリンクである。
【００８３】
ある可能な設計では、第二の装置によって、第一の装置から測定結果を受信することは：
前記第二の装置によって、前記測定結果および／または前記第一の装置の位置情報を前記第一の装置から受信することを含む。
【００８４】
ある可能な設計では、下記の条件のうちのいずれかが満たされるとき、前記第二の装置は前記測定結果および／または前記第一の装置の位置情報を前記第一の装置から受信する：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【００８５】
ある可能な設計では、前記第二の装置によって、前記測定結果および／または前記第一の装置の位置情報を前記第一の装置から受信することは：
前記第二の装置によって、前記測定結果および／または前記第一の装置の位置情報を前記第一の装置から定期的に受信することを含む。
【００８６】
ある可能な設計では、前記移動性情報はさらに、V2Xメッセージ型情報および／または前記第一の装置のV2Xメッセージ送信距離情報を含む。
【００８７】
ある可能な設計では、前記第二の装置によって、第一の装置から測定結果を受信することは：
前記第二の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信することを含む。
【００８８】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【００８９】
第七の側面によれば、第一の装置が提供され、当該第一の装置は：
第二の装置から半持続的スケジューリングSPS構成情報を受信するよう構成された受信ユニットであって、前記SPS構成情報は前記第二の装置によって使われるSPS資源構成を示すために使われ；
前記受信ユニットはさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置にSPS命令情報を送るよう構成された送信ユニットであって、前記SPS命令情報は、前記有効化されたSPS資源のスケジューリング資源を使うまたは使わないことを命令するために使われる、送信ユニットとを含む。
【００９０】
本発明において提供される第一の装置は、第二の装置からSPS構成情報を受信し、第二の装置からSPS有効化情報を受信した後に、SPS命令情報を第二の装置に送る。SPS構成情報は第二の装置によって使われるSPS資源構成を示すために使われ、SPS有効化情報は有効化されたSPS資源を示すために使われ、該有効化されたSPS資源は前記SPS資源構成における一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００９１】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００９２】
ある可能な設計では、第一の装置はさらに処理ユニットを含み、該処理ユニットは：SPS資源構成がm個の利用可能なスケジューリング資源をもつSPSスケジューリング間隔であるとき、下記のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【００９３】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００９４】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００９５】
ある可能な設計では、前記時間窓は、前記送信ユニットによって前記第二の装置に送られる；または
前記時間窓は、前記第二の装置によって前記受信ユニットに送られる。
【００９６】
ある可能な設計では、前記処理ユニットはさらに、SPS解放情報を決定するよう構成され、前記SPS解放情報は、有効化されたSPS資源のうちの一部または全部のスケジューリング資源を解放することを命令するために使われ；
前記送信ユニットはさらに、前記SPS解放情報を前記第二の装置に送るよう構成される。
【００９７】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【００９８】
ある可能な設計では、前記受信ユニットはさらに、前記第二の装置からSPS解放情報を受信するよう構成され、前記SPS解放情報は、有効化されたSPS資源の一部または全部のスケジューリング資源を解放することを命令するために使われる。
【００９９】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１００】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１０１】
ある可能な設計では、前記SPSは、ネットワークと端末の間でまたは端末間で使われる。
【０１０２】
本発明のこの実施形態における第一の装置は、第一の側面において記載された方法手順を実行するよう構成されてもよい。よって、第一の装置がもつことのできる技術的効果については、第一の側面において記載された方法実施形態を参照されたい。本発明のこの実施形態において詳細を繰り返すことはしない。
【０１０３】
第八の側面によれば、第二の装置が提供され、当該第二の装置は：
第一の装置に半持続的スケジューリングSPS構成情報を送るよう構成された送信ユニットであって、前記SPS構成情報は前記第二の装置によって使われるSPS資源構成を示すために使われ；
前記送信ユニットはさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニットであって、前記SPS命令情報は、前記有効化されたSPS資源のスケジューリング資源を使うまたは使わないことを命令するために使われる、受信ユニットとを含む。
【０１０４】
本発明において提供される第二の装置は、第一の装置にSPS構成情報を送り、第一の装置はSPS構成情報を受信した後に、しかるべく対応するSPS資源構成を使う；第二の装置は、前記SPS資源構成における有効化されたSPS資源を示すよう、第一の装置にSPS有効化情報を送る；その後、第二の装置は第一の装置からSPS命令情報を受信する。SPS構成情報は第二の装置によって使われるSPS資源構成を示すために使われ、SPS有効化情報は有効化されたSPS資源を示すために使われ、該有効化されたSPS資源は前記SPS資源構成における前記一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【０１０５】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１０６】
ある可能な設計では、第二の装置はさらに処理ユニットを含み、該処理ユニットは：SPS資源構成がm個の利用可能なスケジューリング資源をもつSPSスケジューリング間隔であるとき、下記のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１０７】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１０８】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１０９】
ある可能な設計では、前記時間窓は、前記送信ユニットによって前記第二の装置に送られる；または
前記時間窓は、前記第二の装置によって前記受信ユニットに送られる。
【０１１０】
ある可能な設計では、前記受信ユニットはさらに、前記第一の装置からSPS解放情報を受信するよう構成され、前記SPS解放情報は、有効化されたSPS資源のうちの一部または全部のスケジューリング資源を解放することを命令するために使われる。
【０１１１】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０１１２】
ある可能な設計では、前記処理ユニットはさらに、SPS解放情報を決定するよう構成され、前記SPS解放情報は、有効化されたSPS資源の一部または全部のスケジューリング資源を解放することを命令するために使われ；
前記送信ユニットはさらに、前記第一の装置に前記SPS解放情報を送るよう構成される。
【０１１３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１１４】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１１５】
ある可能な設計では、前記SPSは、ネットワークと端末の間でまたは端末間で使われる。
【０１１６】
本発明のこの実施形態における第二の装置は、第二の側面において記載された方法手順を実行するよう構成されてもよい。よって、第二の装置によって得られる技術的効果については、第二の側面において記載された方法実施形態を参照されたい。本発明のこの実施形態において詳細を繰り返すことはしない。
【０１１７】
第九の側面によれば、第一の装置が提供される。当該第一の装置は、車両対万物V2X通信に適用され：
サービス要件および／またはサービスのメッセージ型に基づいて、ランダムアクセスRAプリアンブル・シーケンスおよび／または前記RAプリアンブル・シーケンスの電波資源を使うことを決定するよう構成された処理ユニットであって、前記RAプリアンブル・シーケンスおよび／または前記RAプリアンブル・シーケンスの電波資源は、前記第一の装置のデータのサービス要件および／またはメッセージ型を示すために使われる、処理ユニットと；
決定された前記RAプリアンブル・シーケンスおよび／または前記RAプリアンブル・シーケンスの電波資源に基づいて、第二の装置へのランダムアクセスを開始するよう構成された送信ユニットとを含む。
【０１１８】
本発明において提供される第一の装置は、サービス要件および／またはサービスのメッセージ型に基づいて、ランダムアクセスRAプリアンブル・シーケンスおよび／または前記RAプリアンブル・シーケンスの電波資源を使うことを決定し、次いで、決定された前記RAプリアンブル・シーケンスおよび／または前記RAプリアンブル・シーケンスの電波資源に基づいて、第二の装置へのランダムアクセスを開始する。ここで、前記RAプリアンブル・シーケンスおよび／または前記RAプリアンブル・シーケンスの電波資源は、第一の装置のデータのサービス要件および／またはメッセージ型を示すために使われる。よって、本発明では、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０１１９】
ある可能な設計では、前記サービス要件はさらに、時間要件および／またはレート要件を含む。
【０１２０】
ある可能な設計では、第一の装置はさらに受信ユニットを含み、該受信ユニットは、前記処理ユニットが、サービス要件および／またはV2Xサービスのメッセージ型に基づいて、RAプリアンブル・シーケンスおよび／または前記RAプリアンブル・シーケンスの電波資源を使うことを決定する前に、前記第二の装置から、前記RAプリアンブル・シーケンスおよび／または前記RAプリアンブル・シーケンスの電波資源を受信するよう構成される。
【０１２１】
ある可能な設計では、前記処理ユニットはさらに：V2Xサービスがある、または該処理ユニットが計算を通じて、スケジューリング要求SRがV2Xサービスのサービス要件を満たさないことを見出すときに、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０１２２】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１２３】
ある可能な設計では、サービスのサービス要件は、V2Xサービスのサービス要件を含む。
【０１２４】
本発明のこの実施形態における第一の装置は、第三の側面において記載された方法手順を実行するよう構成されてもよい。よって、第一の装置によって得られる技術的効果については、第三の側面において記載された方法実施形態を参照されたい。本発明のこの実施形態において詳細を繰り返すことはしない。
【０１２５】
第十の側面によれば、第二の装置が提供される。当該第二の装置は、車両対万物V2X通信に適用され：
第一の装置からランダムアクセスを受けるよう構成された受信ユニットと；
前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てるよう構成された処理ユニットとを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【０１２６】
本発明において提供される第二の装置は、第一の装置からランダムアクセスを受け、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。RAプリアンブル・シーケンスおよび／または前記RAプリアンブル・シーケンスの電波資源は、サービスのサービス要件および／またはメッセージ型に基づいて第一の装置によって決定され、第一の装置のデータのサービス要件および／またはメッセージ型を示すために使われる。よって、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０１２７】
ある可能な設計では、前記サービス要件はさらに、時間要件および／またはレート要件を含む。
【０１２８】
ある可能な設計では、第二の装置はさらに：前記受信ユニットが第一の装置からランダムアクセスを受ける前に、前記第一の装置に、前記RAプリアンブル・シーケンスおよび／または前記RAプリアンブル・シーケンスの電波資源を送るよう構成された送信ユニットを含む。
【０１２９】
ある可能な設計では、前記受信ユニットはさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０１３０】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１３１】
ある可能な設計では、サービスのサービス要件は、V2Xサービスのサービス要件を含む。
【０１３２】
本発明のこの実施形態における第二の装置は、第四の側面において記載された方法手順を実行するよう構成されてもよい。よって、第二の装置によって得られる技術的効果については、第四の側面において記載された方法実施形態を参照されたい。本発明のこの実施形態において詳細を繰り返すことはしない。
【０１３３】
第十一の側面によれば、第一の装置が提供される。当該第一の装置は、車両対万物V2X通信に適用され：
電波資源および／または電波信号を測定して測定結果を生成するよう構成された処理ユニットであって、前記測定結果は、第二の装置に、前記第一の装置のデータ送信範囲を判別して、第一のメッセージを送るために前記送信範囲に基づいて適正なセルを選択することを命令するために使われる、処理ユニットと；
前記測定結果を前記第二の装置に送るよう構成された送信ユニットとを含む。
【０１３４】
本発明において提供される第一の装置は、電波資源および／または電波信号を測定して測定結果を生成し、次いで測定結果を第二の装置に送る。ここで、測定結果は、第二の装置に、第一の装置のデータ送信範囲を判別して、第一のメッセージを送るために前記送信範囲に基づいて適正なセルを選択することを命令するために使われる。換言すれば、第一の装置は第二の装置に、前記データ送信範囲を示す前記測定結果を送ってもよく、それにより第二の装置は、前記データ送信範囲を判別して、第一のメッセージを送るために前記データ送信範囲に基づいて適正なセルを選択しうる。これは、第二の装置が第一の装置からデータ送信範囲を得ることができないという問題を解決する。
【０１３５】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０１３６】
ある可能な設計では、前記送信ユニットは具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０１３７】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０１３８】
ある可能な設計では、前記送信ユニットは具体的には、前記第一の装置の移動性情報を、UU‐サイドリンク変換プロセスにおいて送るよう構成される。UUは端末とネットワークの間のリンクであり、サイドリンクは装置対装置のリンクである。
【０１３９】
ある可能な設計では、前記送信ユニットは具体的には、前記測定結果および／または前記第一の装置の位置情報を前記第二の装置に送るよう構成される。
【０１４０】
ある可能な設計では、前記送信ユニットは具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０１４１】
ある可能な設計では、前記送信ユニットは具体的には、前記測定結果および／または前記第一の装置の位置情報を前記第二の装置に定期的に送るよう構成される。
【０１４２】
ある可能な設計では、前記移動性情報はさらに、V2Xメッセージ型情報および／または前記第一の装置のV2Xメッセージ送信距離情報を含む。
【０１４３】
ある可能な設計では、前記送信ユニットは具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０１４４】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０１４５】
本発明のこの実施形態における第一の装置は、第五の側面において記載された方法手順を実行するよう構成されてもよい。よって、第一の装置によって得られる技術的効果については、第五の側面において記載された方法実施形態を参照されたい。本発明のこの実施形態において詳細を繰り返すことはしない。
【０１４６】
第十二の側面によれば、第二の装置が提供される。当該第二の装置は、車両対万物V2X通信に適用され：
第一の装置から測定結果を受信するよう構成された受信ユニットであって、前記測定結果は、測定された電波資源および／または測定された電波信号に基づいて前記第一の装置によって生成される、受信ユニットと；
前記測定結果に基づいて、前記第一の装置のデータ送信範囲を判別するよう構成された処理ユニットと；
第一のメッセージを送るために前記送信範囲に基づいて適正なセルを選択するよう構成された送信ユニットとを含む。
【０１４７】
本発明において提供される第二の装置は、第一の装置から測定結果を受信し、前記測定結果に基づいて、第一の装置のデータ送信範囲を判別し、第一のメッセージを送るために前記送信範囲に基づいて適正なセルを選択する。前記測定結果は、測定された電波資源および／または電波信号に基づいて第一の装置によって生成される。これは、第二の装置が第一の装置からデータ送信範囲を得ることができないという問題を解決する。
【０１４８】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０１４９】
ある可能な設計では、前記受信ユニットは具体的には、下記のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０１５０】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０１５１】
ある可能な設計では、前記受信ユニットは具体的には、前記第一の装置の移動性情報を、UU‐サイドリンク変換プロセスにおいて受信するよう構成される。UUは端末とネットワークの間のリンクであり、サイドリンクは装置対装置のリンクである。
【０１５２】
ある可能な設計では、前記受信ユニットは具体的には、前記測定結果および／または前記第一の装置の位置情報を前記第一の装置から受信するよう構成される。
【０１５３】
ある可能な設計では、前記受信ユニットは具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０１５４】
ある可能な設計では、前記受信ユニットは具体的には、前記測定結果および／または前記第一の装置の位置情報を前記第一の装置から定期的に受信するよう構成される。
【０１５５】
ある可能な設計では、前記移動性情報はさらに、V2Xメッセージ型情報および／または前記第一の装置のV2Xメッセージ送信距離情報を含む。
【０１５６】
ある可能な設計では、前記受信ユニットは具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０１５７】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０１５８】
本発明のこの実施形態における第一の装置は、第六の側面において記載された方法手順を実行するよう構成されてもよい。よって、第一の装置によって得られる技術的効果については、第六の側面において記載された方法実施形態を参照されたい。本発明のこの実施形態において詳細を繰り返すことはしない。
【０１５９】
第十三の側面によれば、第七の側面に記載された第一の装置および第八の側面に記載された第二の装置または第九の側面に記載された第一の装置および第十の側面に記載された第二の装置または第十一の側面に記載された第一の装置および第十二の側面に記載された第二の装置を含む通信システムが提供される。
【０１６０】
本発明において提供される通信システムは、第七の側面に記載された第一の装置および第八の側面に記載された第二の装置または第九の側面に記載された第一の装置および第十の側面に記載された第二の装置または第十一の側面に記載された第一の装置および第十二の側面に記載された第二の装置を含む。よって、本通信システムによって得られる技術的効果については、第七の側面に記載された第一の装置および第八の側面に記載された第二の装置のもの、または第九の側面に記載された第一の装置および第十の側面に記載された第二の装置のもの、または第十一の側面に記載された第一の装置および第十二の側面に記載された第二の装置のものを参照されたい。本発明のこの実施形態において詳細を繰り返すことはしない。
【０１６１】
第十四の側面によれば、プロセッサと、第一のインターフェース回路と、第二のインターフェース回路と、メモリと、バスとを含む第一の装置が提供され、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって第二の装置から半持続的スケジューリングSPS構成情報を受信する段階であって、前記SPS構成情報は前記第二の装置によって使われるSPS資源構成を示すために使われる、段階と；
前記第一のインターフェース回路によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第二のインターフェース回路によって前記第二の装置にSPS命令情報を送る段階であって、前記SPS命令情報は、前記有効化されたSPS資源のスケジューリング資源を使うまたは使わないことを命令するために使われる、段階。
【０１６２】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１６３】
ある可能な設計では、前記プロセッサは、SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１６４】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１６５】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１６６】
ある可能な設計では、前記時間窓は、前記第二のインターフェース回路によって前記第二の装置に送られる；または
前記時間窓は、前記第二の装置によって前記第一のインターフェース回路に送られる。
【０１６７】
ある可能な設計では、前記プロセッサはさらに、SPS解放情報を決定するよう構成され、前記SPS解放情報は、有効化されたSPS資源のうちの一部または全部のスケジューリング資源を解放することを命令するために使われ；
前記第二のインターフェース回路はさらに、前記SPS解放情報を前記第二の装置に送るよう構成される。
【０１６８】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０１６９】
ある可能な設計では、前記第一のインターフェース回路はさらに、前記第二の装置からSPS解放情報を受信するよう構成され、前記SPS解放情報は、有効化されたSPS資源の一部または全部のスケジューリング資源を解放することを命令するために使われる。
【０１７０】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１７１】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１７２】
ある可能な設計では、前記SPSは、ネットワークと端末の間でまたは端末間で使われる。
【０１７３】
本発明のこの実施形態における第一の装置は、第一の側面において記載された方法手順を実行するよう構成されてもよい。よって、第一の装置によって得られる技術的効果については、第一の側面において記載された方法実施形態を参照されたい。本発明のこの実施形態において詳細を繰り返すことはしない。
【０１７４】
第十五の側面によれば、プロセッサと、第一のインターフェース回路と、第二のインターフェース回路と、メモリと、バスとを含む第一の装置が提供され、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって第一の装置に半持続的スケジューリングSPS構成情報を送る段階であって、前記SPS構成情報は前記第二の装置によって使われるSPS資源構成を示すために使われる、段階と；
前記第一のインターフェース回路によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二のインターフェース回路によって、前記第一の装置からSPS命令情報を受信する段階であって、前記SPS命令情報は、前記有効化されたSPS資源のスケジューリング資源を使うまたは使わないことを命令するために使われる、段階。
【０１７５】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１７６】
ある可能な設計では、前記プロセッサは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１７７】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１７８】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１７９】
ある可能な設計では、前記時間窓は、前記第一のインターフェース回路によって前記第二の装置に送られる；または
前記時間窓は、前記第二の装置によって前記第二のインターフェース回路に送られる。
【０１８０】
ある可能な設計では、前記第二のインターフェース回路はさらに、前記第一の装置からSPS解放情報を受信するよう構成され、前記SPS解放情報は、有効化されたSPS資源のうちの一部または全部のスケジューリング資源を解放することを命令するために使われる。
【０１８１】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０１８２】
ある可能な設計では、前記プロセッサはさらに、SPS解放情報を決定するよう構成され、前記SPS解放情報は、有効化されたSPS資源の一部または全部のスケジューリング資源を解放することを命令するために使われ；
前記第一のインターフェース回路は、前記第一の装置に前記SPS解放情報を送るよう構成される。
【０１８３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１８４】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１８５】
ある可能な設計では、前記SPSは、ネットワークと端末の間でまたは端末間で使われる。
【０１８６】
本発明のこの実施形態における第二の装置は、第二の側面において記載された方法手順を実行するよう構成されてもよい。よって、第二の装置によって得られる技術的効果については、第二の側面において記載された方法実施形態を参照されたい。本発明のこの実施形態において詳細を繰り返すことはしない。
【０１８７】
第十六の側面によれば、第一の装置が提供される。当該第一の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記プロセッサによって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一のインターフェース回路によって、決定された前記RAプリアンブル・シーケンスおよび／または前記RAプリアンブル・シーケンスの電波資源に基づいて、第二の装置へのランダムアクセスを開始する段階。
【０１８８】
ある可能な設計では、前記サービス要件はさらに、時間要件および／またはレート要件を含む。
【０１８９】
ある可能な設計では、第一の装置はさらに第二のインターフェース回路を含み、該第二のインターフェース回路は：前記プロセッサが、サービス要件および／またはV2Xサービスのメッセージ型に基づいて、RAプリアンブル・シーケンスおよび／または前記RAプリアンブル・シーケンスの電波資源を使うことを決定する前に：前記第二の装置から、前記RAプリアンブル・シーケンスおよび／または前記RAプリアンブル・シーケンスの電波資源を受信するよう構成される。
【０１９０】
ある可能な設計では、前記プロセッサはさらに：V2Xサービスがある、または前記プロセッサが計算を通じて、スケジューリング要求SRがV2Xサービスのサービス要件を満たさないことを見出すとき、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０１９１】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１９２】
ある可能な設計では、サービスのサービス要件は、V2Xサービスのサービス要件を含む。
【０１９３】
本発明のこの実施形態における第一の装置は、第三の側面において記載された方法手順を実行するよう構成されてもよい。よって、第一の装置によって得られる技術的効果については、第三の側面において記載された方法実施形態を参照されたい。本発明のこの実施形態において詳細を繰り返すことはしない。
【０１９４】
第十七の側面によれば、第二の装置が提供される。当該第二の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記第一のインターフェース回路によって、第一の装置からランダムアクセスを受信する段階と；
前記プロセッサによって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階であって、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる、段階。
【０１９５】
ある可能な設計では、前記サービス要件はさらに、時間要件および／またはレート要件を含む。
【０１９６】
ある可能な設計では、第二の装置はさらに第二のインターフェース回路を含み、該第二のインターフェース回路は：前記第一のインターフェース回路が前記第一の装置からランダムアクセスを受ける前に、前記第一の装置に、前記RAプリアンブル・シーケンスおよび／または前記RAプリアンブル・シーケンスの電波資源を送るよう構成される。
【０１９７】
ある可能な設計では、前記第一のインターフェース回路はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０１９８】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１９９】
ある可能な設計では、サービスのサービス要件は、V2Xサービスのサービス要件を含む。
【０２００】
本発明のこの実施形態における第二の装置は、第四の側面において記載された方法手順を実行するよう構成されてもよい。よって、第二の装置によって得られる技術的効果については、第四の側面において記載された方法実施形態を参照されたい。本発明のこの実施形態において詳細を繰り返すことはしない。
【０２０１】
第十八の側面によれば、第一の装置が提供される。当該第一の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記プロセッサによって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一のインターフェース回路によって、前記測定結果を前記第二の装置に送る段階。
【０２０２】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０２０３】
ある可能な設計では、前記第一のインターフェース回路は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０２０４】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０２０５】
ある可能な設計では、前記第一のインターフェース回路は具体的には、前記第一の装置の移動性情報を、UU‐サイドリンク変換プロセスにおいて送るよう構成される。UUは端末とネットワークの間のリンクであり、サイドリンクは装置対装置のリンクである。
【０２０６】
ある可能な設計では、前記第一のインターフェース回路は具体的には、前記測定結果および／または前記第一の装置の位置情報を前記第二の装置に送るよう構成される。
【０２０７】
ある可能な設計では、前記第一のインターフェース回路は具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０２０８】
ある可能な設計では、前記第一のインターフェース回路は具体的には、前記測定結果および／または前記第一の装置の位置情報を前記第二の装置に定期的に送るよう構成される。
【０２０９】
ある可能な設計では、前記移動性情報はさらに、V2Xメッセージ型情報および／または前記第一の装置のV2Xメッセージ送信距離情報を含む。
【０２１０】
ある可能な設計では、前記第一のインターフェース回路は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０２１１】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０２１２】
本発明のこの実施形態における第一の装置は、第五の側面において記載された方法手順を実行するよう構成されてもよい。よって、第一の装置によって得られる技術的効果については、第五の側面において記載された方法実施形態を参照されたい。本発明のこの実施形態において詳細を繰り返すことはしない。
【０２１３】
第十九の側面によれば、第二の装置が提供される。当該第二の装置は、車両対万物V2X通信に適用され、プロセッサと、第一のインターフェース回路と、第二のインターフェース回路と、メモリと、バスとを含み、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって、第一の装置から測定結果を受信する段階であって、前記測定結果は、測定された電波資源および／または測定された電波信号に基づいて前記第一の装置によって生成される、段階と；
前記プロセッサによって、前記測定結果に基づいて、前記第一の装置のデータ送信範囲を判別する段階と；
前記第二のインターフェース回路によって、第一のメッセージを送るために前記送信範囲に基づいて適正なセルを選択する段階。
【０２１４】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０２１５】
ある可能な設計では、前記第一のインターフェース回路は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０２１６】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０２１７】
ある可能な設計では、前記第一のインターフェース回路は具体的には、前記第一の装置の移動性情報を、UU‐サイドリンク変換プロセスにおいて送るよう構成される。UUは端末とネットワークの間のリンクであり、サイドリンクは装置対装置のリンクである。
【０２１８】
ある可能な設計では、前記第一のインターフェース回路は具体的には、前記測定結果および／または前記第一の装置の位置情報を前記第一の装置から受信するよう構成される。
【０２１９】
ある可能な設計では、前記第一のインターフェース回路は具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０２２０】
ある可能な設計では、前記第一のインターフェース回路は具体的には、前記測定結果および／または前記第一の装置の位置情報を前記第一の装置から定期的に受信するよう構成される。
【０２２１】
ある可能な設計では、前記移動性情報はさらに、V2Xメッセージ型情報および／または前記第一の装置のV2Xメッセージ送信距離情報を含む。
【０２２２】
ある可能な設計では、前記第一のインターフェース回路は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０２２３】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０２２４】
本発明のこの実施形態における第一の装置は、第六の側面において記載された方法手順を実行するよう構成されてもよい。よって、第一の装置によって得られる技術的効果については、第六の側面において記載された方法実施形態を参照されたい。本発明のこの実施形態において詳細を繰り返すことはしない。
【０２２５】
第二十の側面によれば、第十四の側面に記載された第一の装置および第十五の側面に記載された第二の装置または第十六の側面に記載された第一の装置および第十七の側面に記載された第二の装置または第十八の側面に記載された第一の装置および第十九の側面に記載された第二の装置を含む通信システムが提供される。
【０２２６】
本発明において提供される通信システムは、第十四の側面に記載された第一の装置および第十五の側面に記載された第二の装置または第十六の側面に記載された第一の装置および第十七の側面に記載された第二の装置または第十八の側面に記載された第一の装置および第十九の側面に記載された第二の装置を含む。よって、本通信システムによって得られる技術的効果については、第十四の側面に記載された第一の装置および第十五の側面に記載された第二の装置のもの、または第十六の側面に記載された第一の装置および第十七の側面に記載された第二の装置のもの、または第十八の側面に記載された第一の装置および第十九の側面に記載された第二の装置のものを参照されたい。本発明のこの実施形態において詳細を繰り返すことはしない。
【０２２７】
まとめると、本発明において提供されるスケジューリング方法、装置およびシステムによれば、第二の装置は第一の装置のために種々のSPS資源を構成し、第一の装置のためにそれらのSPS資源のうちの一つまたは複数を有効化する。第一の装置は、前記SPS資源のうちの前記一つまたは複数から、有効化されたSPS資源およびサービスのサービス要件に基づいて、サービスのサービス要件を満たすSPS資源を選択し、第二の装置は、別の装置に対して、第一の装置によって使用されないSPS資源を割り当て、スケジューリング資源の利用率を最大化する。これは、比較的短いスケジューリング間隔をもつSPS送信がV2Xサービスに適用されるときにスケジューリング資源が無駄になるという問題を解決する。
【０２２８】
あるいはまた、本発明において提供されるスケジューリング方法、装置およびシステムによれば、RAプリアンブル・シーケンスおよび／または前記RAプリアンブル・シーケンスの電波資源は、V2Xサービスのサービス要件またはサービス型にマッピングされる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０２２９】
あるいはまた、本発明において提供されるスケジューリング方法、装置およびシステムによれば、第一の装置は、データ送信範囲を示す測定結果を第二の装置に送る。それにより、第二の装置は、該データ送信範囲を判別して、第一のメッセージを送るために前記データ送信範囲に基づいて適正なセルを選択する。これは、第二の装置が第一の装置からデータ送信範囲を得ることができないという問題を解決する。
【図面の簡単な説明】
【０２３０】
本発明の実施形態または従来技術における技術的解決策をより明確に記述するため、前記実施形態または従来技術を記述するために必要とされる付属の図面について簡単に述べておく。明らかに、以下の記述における付属の図面は単に本発明のいくつかの実施形態を示すものであって、当業者は、創造的な努力をすることなく、これらの付属の図面から他の図面を導出することがありうる。
【０２３１】
【図１】ある可能な実装におけるV2Xシステムの概略図である。
【０２３２】
【図２】従来技術においてSPSがV2Xシステムに適用されるときに引き起こされるスケジューリング資源の無駄の概略図である。
【０２３３】
【図３】ネットワーク側によるUE測定カバレッジ・エリアを知覚する概略図である。
【０２３４】
【図４】本発明のある実施形態に基づく通信システムの概略図である。
【０２３５】
【図５】本発明のある実施形態に基づくスケジューリング方法の概略的なフローチャートである。
【０２３６】
【図６】本発明のある実施形態に基づくSPS資源構成の概略図である。
【０２３７】
【図７】本発明のある実施形態に基づくもう一つのSPS資源構成の概略図である。
【０２３８】
【図８】本発明のある実施形態に基づくさらにもう一つのSPS資源構成の概略図である。
【０２３９】
【図９】本発明のある実施形態に基づく、SPS有効化情報を使ってスケジューリング資源を示す概略図である。
【０２４０】
【図１０】本発明のある実施形態に基づく、SPS有効化情報を使ってスケジューリング資源を示すもう一つの概略図である。
【０２４１】
【図１１】本発明のある実施形態に基づく、SPS有効化情報を使ってスケジューリング資源を示すさらにもう一つの概略図である。
【０２４２】
【図１２】本発明のある実施形態に基づく、DCIにおけるビットマップを使ってSPSスケジューリング間隔を示す概略図である。
【０２４３】
【図１３】本発明のある実施形態に基づく、ある時間窓内の連続するスケジューリング資源の概略図である。
【０２４４】
【図１４】本発明のある実施形態に基づく、もう一つの時間窓内の連続するスケジューリング資源の概略図である。
【０２４５】
【図１５】本発明のある実施形態に基づく、もう一つのスケジューリング方法の概略的なフローチャートである。
【０２４６】
【図１６】本発明のある実施形態に基づく、SPS解放情報を使ってスケジューリング資源を解放することを命令する概略図である。
【０２４７】
【図１７】本発明のある実施形態に基づく、もう一つのスケジューリング方法の概略的なフローチャートである。
【０２４８】
【図１８】本発明のある実施形態に基づく、もう一つのスケジューリング方法の概略的なフローチャートである。
【０２４９】
【図１９】本発明のある実施形態に基づく、さらにもう一つのスケジューリング方法の概略的なフローチャートである。
【０２５０】
【図２０】本発明のある実施形態に基づく、第一の装置の概略的な構造図である。
【０２５１】
【図２１】本発明のある実施形態に基づく、もう一つの第一の装置の概略的な構造図である。
【０２５２】
【図２２】本発明のある実施形態に基づく、第二の装置の概略的な構造図である。
【０２５３】
【図２３】本発明のある実施形態に基づく、もう一つの第二の装置の概略的な構造図である。
【０２５４】
【図２４】本発明のある実施形態に基づく、第一の装置の概略的な構造図である。
【０２５５】
【図２５】本発明のある実施形態に基づく、もう一つの第一の装置の概略的な構造図である。
【０２５６】
【図２６】本発明のある実施形態に基づく、第二の装置の概略的な構造図である。
【０２５７】
【図２７】本発明のある実施形態に基づく、もう一つの第二の装置の概略的な構造図である。
【０２５８】
【図２８】本発明のある実施形態に基づく、第一の装置の概略的な構造図である。
【０２５９】
【図２９】本発明のある実施形態に基づく、第二の装置の概略的な構造図である。
【０２６０】
【図３０】本発明のある実施形態に基づく、第一の装置の概略的な構造図である。
【０２６１】
【図３１】本発明のある実施形態に基づく、第二の装置の概略的な構造図である。
【０２６２】
【図３２】本発明のある実施形態に基づく、第一の装置の概略的な構造図である。
【０２６３】
【図３３】本発明のある実施形態に基づく、第二の装置の概略的な構造図である。
【０２６４】
【図３４】本発明のある実施形態に基づく、第一の装置の概略的な構造図である。
【０２６５】
【図３５】本発明のある実施形態に基づく、第二の装置の概略的な構造図である。
【発明を実施するための形態】
【０２６６】
下記は、本発明の実施形態における付属の図面を参照して本発明の実施形態における技術的解決策を明瞭かつ完全に記述する。明らかに、記載される実施形態は本発明の実施形態の全部ではなく、一部にすぎない。創造的努力なしに本発明の実施形態に基づいて当業者によって得られる他のすべての実施形態は、本発明の保護範囲内にはいる。
【０２６７】
本願で使われる「コンポーネント」、「モジュール」および「システム」といった用語は、コンピュータに関係したエンティティーを示すために使われる。コンピュータに関係したエンティティーは、ハードウェア、ファームウェア、ハードウェアとソフトウェアの組み合わせ、ソフトウェアまたは実行中のソフトウェアでありうる。たとえば、コンポーネントは、プロセッサ上で実行中のプロセス、プロセッサ、オブジェクト、実行可能ファイル、実行のスレッド、プログラムおよび／またはコンピュータであってもよいが、それに限られない。一例として、コンピューティング装置上で走るアプリケーションおよびそのコンピューティング装置の両方がコンポーネントでありうる。一つまたは複数のコンポーネントがプロセスおよび／または実行スレッド内に存在してもよく、あるコンポーネントは、一つのコンピュータ上に位置されていても、および／または二つ以上のコンピュータの間で分散されていてもよい。さらに、これらのコンポーネントは、さまざまなデータ構造をもちうるさまざまなコンピュータ可読媒体から実行されることができる。これらのコンポーネントは、ローカルおよび／またはリモート・プロセスを使って、たとえば一つまたは複数のデータ・パケット（たとえば、ローカル・システム内のまたは分散システムにおける別のコンポーネントと対話するおよび／または信号を使ってインターネットのようなネットワークを介して他のシステムと対話するあるコンポーネントからのデータ）をもつ信号に基づいて、通信してもよい。
【０２６８】
さらに、本願ではさまざまな側面が、無線ネットワーク装置を参照して記述される。無線ネットワーク装置は基地局であってもよい。基地局は、一つまたは複数のユーザー装置と通信するよう構成されてもよく、あるいはいくつかのユーザー装置機能をもつ一つまたは複数の基地局と通信するよう構成されてもよい（たとえば、マクロ基地局とアクセスポイントのようなミクロ基地局との間の通信）。無線ネットワーク装置は、代替的に、ユーザー装置であってもよい。ユーザー装置は、一つまたは複数のユーザー装置と通信するよう構成されてもよく（たとえばD2D通信）、あるいは一つまたは複数の基地局と通信してもよい。ユーザー装置は、ユーザー端末と称されてもよく、システム、加入者ユニット、ノード、装置、リモート局、リモート端末、端末、無線通信デバイス、無線通信装置またはユーザー・エージェントの機能の一部または全部を含んでいてもよい。ユーザー装置は携帯電話、コードレス電話、セッション開始プロトコル（英語全称：Session  Initiation  Protocol、略SIP）電話、スマートフォン、無線ローカルループ（英語全称：wireless  local  loop、略WLL）、携帯情報端末（英語全称：personal  digital  assistant、略PDA）、ラップトップ・コンピュータ、ハンドヘルド通信装置、ハンドヘルド・コンピューティング装置、衛星無線装置、無線モデム・カードおよび／または無線システムにおける通信のために構成された他の処理装置であってもよい。基地局は、アクセスポイント、ノード、ノードB、進化型ノードB（eNB）または他のネットワーク・エンティティーと称されてもよく、上記のネットワーク・エンティティーの機能の一部または全部を含んでいてもよい。基地局は、空中インターフェースを使うことによって無線端末と通信しうる。通信は、一つまたは複数のセルを使って実行されうる。基地局は、受信された空中インターフェース・フレームを、無線端末とアクセス・ネットワークの残りの部分との間のルーティングのために使われるIPパケットに変換しうる。アクセス・ネットワークは、インターネット・プロトコル（英語全称：Internet  Protocol、略IP）ネットワークを含む。基地局はさらに、空中インターフェースの属性管理を協調させてもよく、有線ネットワークと無線ネットワークの間のゲートウェイであってもよい。
【０２６９】
本願では、すべての側面、実施形態または特徴は、複数の装置、コンポーネント、モジュールなどを含みうるシステムに基づいて呈示される。それぞれのシステムが別の装置、コンポーネント、モジュールなどを含んでいてもよく、および／または付属の図面を参照して論じられるすべての装置、コンポーネント、モジュールなどを含むのではなくてもよい。さらに、これらの解決策の組み合わせが使われてもよい。
【０２７０】
さらに、本発明の実施形態において、用語「たとえば」は、例、例解または説明を表わすために使われる。本願において「例」として記載されるどの実施形態または設計解決策も、他の実施形態または設計解決策より好ましいまたは有利であると解釈されるものではない。正確には、「たとえば」という用語は、具体的な仕方で概念を呈示するために使われている。
【０２７１】
本発明の実施形態では、情報（information）、信号（signal）、メッセージ（message）およびチャネル（channel）は、時に交換可能に使われることがある。これらはその違いが強調されないときには同じ意味を表わすことを注意しておくべきである。
【０２７２】
本発明の実施形態において記述されているネットワーク・アーキテクチャーおよびサービス・シナリオは、本発明の実施形態における技術的解決策をより明瞭に記述するために意図されており、本発明の実施形態において提供される技術的解決策に対するいかなる限定をなすものでもない。当業者は、ネットワーク・アーキテクチャーの進化および新たなサービス・シナリオの登場とともに、本発明の実施形態において提供される技術的解決策が同様の技術的問題にも適用可能であることを知りうる。
【０２７３】
本発明の実施形態は、時分割複信（time  division  duplex、TDD）のシナリオおよび周波数分割複信（frequency  division  duplex、FDD）のシナリオの両方に適用されうる。
【０２７４】
本発明の実施形態は、無線通信ネットワークにおけるV2Xネットワークのシナリオに基づいて記述される。本発明の実施形態における解決策は、別の無線通信ネットワークに適用されもよく、対応する名称が該別の無線通信ネットワークにおける対応する機能の名称で置き換えられてもよいことを注意しておくべきである。
【０２７５】
本発明では、第二の装置が、第一の装置のために種々のSPS資源を構成し、第一の装置のためにそれらのSPS資源のうちの一つまたは複数を有効化する。第一の装置は、前記SPS資源のうちの前記一つまたは複数から、有効化されたSPS資源（単数または複数）およびサービスのサービス要件に基づいて、該サービスのサービス要件を満たすSPS資源を選択する。第二の装置は、第一の装置によって使用されないSPS資源を別の装置に割り当てる。これは、スケジューリング資源の利用率を最大化するとともに、比較的短いスケジューリング間隔をもつSPS送信がV2Xサービスに適用されるときにスケジューリング資源が無駄になるという問題を解決する。
【０２７６】
本発明において提供されるスケジューリング方法および装置は、図１に示されるV2X通信に適用される。図４を参照するに、図４は、本願のある実施形態に基づく可能な適用シナリオの概略図である。本発明において提供される装置は、第一の装置１０１および第二の装置１０２を含む。V2Xサービスは、第一の装置と第二の装置の間で実行される。第一の装置は、図１に示される車両１上の車両内装置またはUE（英語全称：user  equipment）であってもよい。第二の装置は、図１に示されるネットワーク上のネットワーク装置または車両２上の車両内装置もしくはeNB（英語全称：evolved  node  base  station、）であってもよい。
【０２７７】
本発明は、スケジューリング方法を提供する。図５に示されるように、本方法は以下の段階を含む。
【０２７８】
S101。第二の装置が第一の装置にSPS構成情報を送る。SPS構成情報は第二の装置によって使われるSPS資源構成を示す。
【０２７９】
任意的に、SPS構成情報は、次のうちの少なくとも一つまたは組み合わせを含む：１型：つまりm個の利用可能なスケジューリング資源をもつSPSスケジューリング間隔；または２型、つまりM個のSPSスケジューリング間隔。
【０２８０】
上記の組み合わせは、M個のSPSスケジューリング間隔があり、各SPSスケジューリング間隔の内部にm個の利用可能なスケジューリング資源があってもよいことを意味する。
【０２８１】
具体的には、１型については、図６に示されるように、第二の装置によって使用されるSPS資源構成は：m個の利用可能なスケジューリング資源をもつSPSスケジューリング間隔を含んでいてもよい。一つのスケジューリング間隔におけるすべてのスケジューリング資源は、時間領域で等間隔であってもなくてもよく、すべてのスケジューリング間隔は同じスケジューリング資源をもつ。
【０２８２】
具体的には、２型については、第二の装置によって使用されるSPS資源構成はM個の型のSPSスケジューリング間隔を含んでいてもよい。それぞれの型のSPSスケジューリング間隔におけるすべてのスケジューリング資源は時間領域で等間隔である。具体的には、図７に示されるように、異なるSPSスケジューリング間隔におけるスケジューリング資源の時間間隔は異なり、たとえば時間間隔はT1、T2、T3である。あるいはまた、図８に示されるように、すべてのSPSスケジューリング間隔におけるスケジューリング資源の時間間隔は同じであり、みなTであるが、すべてのSPSスケジューリング間隔におけるスケジューリング資源は時間領域において互い違いになっている。
【０２８３】
本発明におけるスケジューリング資源は、あるTTI（英語全称：transmission  time  interval）内で利用可能な資源である。TTIは1msのTTIまたはいくつかのシンボルをもつTTIであってもよく、たとえば二つのシンボル、0.5ms、3/4シンボルなどの長さをもつ短TTIであってもよい。あるいはまた、本発明におけるスケジューリング資源は、あるTTI内の指定された周波数領域サブバンド上で使用されることのできる資源である。スケジューリング資源は、時間領域の資源または周波数領域の資源でありうる。
【０２８４】
V2X通信は、各スケジューリング間隔におけるスケジューリング資源を使うことによって、第一の装置と第二の装置の間で実行されうることを注意しておくべきである。本発明におけるSPSは、ネットワークと端末との間で使われてもよい。この場合、第二の装置はネットワークであり、第一の装置は端末である。たとえば、第二の装置がeNBであり第一の装置がUEであるとき、PS資源構成は、下りリンクSPS資源を含んでいてもよく（すなわち、第二の装置が下りリンク・データを第一の装置に送る必要があるとき）、あるいは上りリンクSPS資源を含んでいてもよい（すなわち、第一の装置が上りリンク・データを第二の装置に送る必要があるとき）。本発明において記載されるSPSは、端末間で使われてもよい。この場合、第一の装置は端末であり、第二の装置はネットワークである；あるいは第一の装置は第一の端末であり、第二の装置は第二の端末である。たとえば、第一の装置および第二の装置の両方がUEである。
【０２８５】
S102。第一の装置が第二の装置からSPS構成情報を受信する。
【０２８６】
S103。第二の装置が第一の装置にSPS有効化情報を送る。SPS有効化情報は有効化されたSPS資源を第一の装置に示すために使われ、該有効化されたSPS資源は段階S101におけるSPS資源構成における一つまたは複数のSPS資源である。
【０２８７】
SPS資源構成に対応して、本発明における有効化されたSPS資源または無効化されたSPS資源も、下りリンクSPS資源または上りリンクSPS資源を含みうる。
【０２８８】
SPS資源構成がm個の利用可能なスケジューリング資源をもつSPSスケジューリング間隔であるとき（すなわち、有効化される必要のあるSPS資源が１型であるとき）、第二の装置は、SPS-CRNTI（英語全称：semi-persistent  scheduling  cell  radio  network  temporary  identifier）を使ってスクランブルされたDCI（英語全称：downlink  control  information）を使ってSPS有効化情報を送ってもよい。さらに、送られたSPS有効化情報は、一つのスケジューリング間隔におけるm個のスケジューリング資源によって使用される資源位置を示してもよく、具体的には、下記のうちの少なくとも一つまたは組み合わせを含む。
【０２８９】
任意的に、第一の装置は、SPS-CRNTIを使ってスクランブルされたDCIに基づいて現在サブフレームにおいて決定されたULグラント（英語全称：uplink  grant）資源を、あるスケジューリング間隔においてm個の利用可能なスケジューリング資源によって占められる資源として使う。たとえば、図９に示されるように、上りリンク・グラントUL  grantによって示される三つの資源が、スケジューリング間隔における三つのスケジューリング資源（スケジューリング資源１、スケジューリング資源２およびスケジューリング資源３）によって占められる資源として使われる。
【０２９０】
任意的に、第一の装置は、スケジューリング間隔においてi番目の利用可能なスケジューリング資源に対応するサブフレームの前のサブフレームにおいてまたはSPS-CRNTIを使ってスクランブルされたDCIに基づいて現在サブフレームにおいて決定されたULグラント資源を、i番目の利用可能なスケジューリング資源によって占められる資源として使う。ここで、i番目の利用可能なスケジューリング資源は前記m個の利用可能なスケジューリング資源の一つである。たとえば、図１０に示されるように、上りリンク・グラント１によって示される資源がスケジューリング資源１によって占められる資源を示すために使われてもよく、上りリンク・グラント１によって示される資源が前記スケジューリング資源３によって占められる資源を示すために使われてもよい。
【０２９１】
任意的に、第一の装置は、m個の利用可能なスケジューリング資源のうちの一つまたは複数を有効化するために、SPS-CRNTIを使ってスクランブルされたDCIを使う。
【０２９２】
任意的に、第一の装置は、SPS-CRNTIを使ってスクランブルされたDCIに基づいて決定されたULグラント情報がi番目の利用可能なスケジューリング資源の前にまたは現在サブフレームにおいて受信されない場合、その位置における利用可能なスケジューリング資源は、デフォルトにより、有効化されなくてもよい。たとえば、図１１に示されるように、あるスケジューリング間隔においては、スケジューリング資源１およびスケジューリング資源３については資源が構成されない。これは、スケジューリング資源１およびスケジューリング資源３が有効化されないことを示す。
【０２９３】
SPS資源構成がM個のSPSスケジューリング間隔であるときは（すなわち、有効化される必要のあるSPS資源が２型であるとき）、M個のスケジューリング間隔のうちの一つまたは複数が有効化されてもよい。
【０２９４】
任意的に、DCIにおけるビットマップにおけるMビットが、M個のSPSスケジューリング間隔のうちの一つまたは複数を有効化および／または無効化することを命令するために使われる。たとえば、一つのビットが、一つのSPSスケジューリング間隔の識別子に対応しうる。ビットは、対応するSPSスケジューリング間隔を有効にすることを示すために1に設定され、対応するSPSスケジューリング間隔を有効にしないことを示すために0に設定される。あるいはまた、ビットは、対応するSPSスケジューリング間隔を有効にすることを示すために0に設定され、対応するSPSスケジューリング間隔を有効にしないことを示すために1に設定される。たとえば、図１２に示されるように、図１２は、DCIにおけるビットマップであり、そのビットは左から右にそれぞれ0ないし3であり、それぞれ第一のSPSスケジューリング間隔ないし第四のSPSスケジューリング間隔を表わす。1が対応するSPSスケジューリング間隔を有効にすることを示し、0が対応するSPSスケジューリング間隔を有効にしないとすると、図１２のビットマップは、第一のSPSスケジューリング間隔および第四のSPSスケジューリング間隔を有効にし、第二のSPSスケジューリング間隔および第三のSPSスケジューリング間隔を有効にしないことを示している。
【０２９５】
任意的に、前記SPS有効化情報の時間周波数資源が、前記M個のSPSスケジューリング間隔のうちの一つを有効化および／または無効化することを命令するために使われる。たとえば、SPS有効化情報を送るために占められる異なる時間周波数資源がそれぞれ、M個のスケジューリング間隔の識別子にマッピングされる。この場合、特定の時間周波数資源上でSPS有効化情報を送るとき、第二の装置は、対応するSPSスケジューリング間隔を有効化および／または無効化することを命令しうる。
【０２９６】
任意的に、前記SPS有効化情報の内容が、前記M個のSPSスケジューリング間隔のうちの一つまたは複数を有効化および／または無効化することを命令するために使われる。たとえば、SPS有効化情報は、前記M個のSPSスケジューリング間隔の一つまたは複数を有効化および／または無効化することを明瞭に命令する。
【０２９７】
上記から、本発明に記載される有効化および無効化が、あるSPS資源についての有効化または無効化を意味し、複数のSPS資源について有効化および／または無効化を意味することがわかる。
【０２９８】
S104。第一の装置が第二の装置からSPS有効化情報を受信する。
【０２９９】
S105。第一の装置が第二の装置にSPS命令情報を送る。SPS命令情報は、有効化されたSPS資源のスケジューリング資源を使うまたは使わないことを命令するために使われる。
【０３００】
具体的には、第一の装置は、SPS有効化情報およびV2Xサービスのサービス要件に基づいてSPS命令情報を決定する。SPS命令情報は、有効化されたSPS資源のスケジューリング資源を使うまたは使わないことを命令する。
【０３０１】
任意的に、SPS資源構成がm個の利用可能なスケジューリング資源をもつSPSスケジューリング間隔であるとき、SPS命令情報は、ある時間窓内の前記m個の利用可能なスケジューリング資源のうちの連続するスケジューリング資源を使うまたは使わないことを命令するために使われる。
【０３０２】
任意的に、SPS資源構成がM個のSPSスケジューリング間隔であるときは、SPS命令情報は、前記M個のSPSスケジューリング間隔のうちのN個のSPSスケジューリング間隔におけるスケジューリング資源を使うまたは使わないことを命令し、N≦Mであり、それらのスケジューリング資源は連続であっても不連続であってもよい。
【０３０３】
さらに、任意的に、SPS資源構成がM個のSPSスケジューリング間隔であるときは、SPS命令情報は、ある時間窓内の前記M個のSPSスケジューリング間隔のうちのN個のSPSスケジューリング間隔における連続するスケジューリング資源を使うまたは使わないことを命令し、N≦Mである。SPS命令情報は、図１３に示されるように、１型においては、SPSスケジューリング間隔内のm個のスケジューリング資源に固有であってもよく、あるいは図１４に示されるように、２型においては、各SPSスケジューリング間隔内のすべてのスケジューリング資源に固有であってもよい。第一の装置は、その後のV2Xサービス送信のために、V2Xサービスのサービス要件を満たすよう、SPS有効化情報において示されるSPS資源から連続するスケジューリング資源を選択する必要がある。
【０３０４】
ここでの時間窓はタイマーであってもよく、第一の装置から第二の装置に送られてもよく、あるいは第二の装置から第一の装置に送られてもよい。さらに、SPS命令情報はN個の連続するスケジューリング資源を、束縛式に示してもよい。たとえば、ビット1が、直近のスケジューリング資源から始まってN個の連続するスケジューリング資源を使うまたは使わないことを命令するために使われ、ビット11が、直近のスケジューリング資源から始まって二つ以上の連続するスケジューリング資源を使うまたは使わないことを命令するために使われる。
【０３０５】
第二の装置がeNBであり第一の装置がUEであるとき、有効化されたまたは無効化されたスケジューリング資源は下りリンクSPS資源であってもよく、あるいは上りリンクSPS資源であってもよいこと；あるいは第一の装置および第二の装置の両方がUEであるときは、有効化されたスケジューリング資源はサイドリンク（sidelink）のためのサイドリンクSPS資源であってもよいことを注意しておくべきである。
【０３０６】
具体的には、SPS命令情報は、物理層の信号伝達を使って送られる。
【０３０７】
S106。第二の装置が第一の装置からSPS命令情報を受信する。
【０３０８】
SPS命令情報を受信後、第二の装置は、SPS命令情報に基づいて、有効化されたSPS資源のスケジューリング資源であって、第一の装置によって使用されるまたは使用されないものを決定し、第一の装置によって使用されないSPS資源を、下りリンクSPS送信のために使ってもよく、あるいは第一の装置によって使用されないSPS資源を別の装置に、データ送信のために割り当ててもよい。
【０３０９】
任意的に、図１５を参照するに、本発明において提供されるスケジューリング方法はさらに、段階S107ないしS109を含んでいてもよい。
【０３１０】
S107。第一の装置がSPS解放情報を決定する。SPS解放情報は、有効化されたSPS資源のうちの一部または全部のスケジューリング資源を解放することを命令するために使われる。
【０３１１】
具体的には、第一の装置は、SPS解放情報を、SPS有効化情報およびV2Xサービスのサービス要件に基づいて決定する。
【０３１２】
上りリンクSPSスケジューリング資源を節約するために、第一の装置は上りリンクSPSスケジューリング資源をプロアクティブに解放してもよい。
【０３１３】
たとえば、SPS解放情報はRRC（英語全称：radio  resource  control）層信号伝達、MAC（英語全称：Medium  Access  Control）層信号伝達またはPHY（英語全称：physical）層信号伝達でありうる。SPS解放情報は、さまざまな層の組み合わされた信号伝達であってもよい。
【０３１４】
任意的に、１型については、すなわち、SPS資源構成がm個の利用可能なスケジューリング資源をもつSPSスケジューリング間隔であるときは、第一の装置は、SPS解放情報を、前記SPSスケジューリング間隔における前記m個の利用可能なスケジューリング資源のうちの任意のスケジューリング資源よりも前のサブフレームまたは短サブフレームにおいて送って、前記任意のスケジューリング資源を解放することを命令する。図１６を参照するに、たとえば、SPS解放情報があるスケジューリング間隔におけるスケジューリング資源2で送られるとき、それは、スケジューリング資源2が解放されることを示す。
【０３１５】
任意的に、２型については、すなわち、SPS資源構成がM個のSPSスケジューリング間隔であるときは、第一の装置は、UCI（英語全称：uplink  control  information）において、有効化されたSPS資源における一つまたは複数のSPSスケジューリング間隔を解放することを命令する。具体的には、SPSスケジューリング間隔の識別子が、特定のSPSスケジューリング間隔を示すために使われてもよい。
【０３１６】
S108。第一の装置がSPS解放情報を第二の装置に送る。
【０３１７】
S109。第二の装置が第一の装置からSPS解放情報を受信する。
【０３１８】
第二の装置は、SPS解放情報に基づいて、第一の装置が有効化されたSPS資源のあるスケジューリング資源を解放することを判別し、第一の装置によって解放されたSPS資源を、下りリンクSPS送信のために使ってもよく、あるいは第一の装置によって解放されたSPS資源を別の装置に、データ送信のために割り当ててもよい。
【０３１９】
任意的に、図１７を参照するに、本発明において提供されるスケジューリング方法はさらに、段階S110ないしS112を含んでいてもよい。
【０３２０】
S110。第二の装置がSPS解放情報を決定する。SPS解放情報は、有効化されたSPS資源の一部または全部のスケジューリング資源を解放することを命令する。
【０３２１】
具体的には、第二の装置は、SPS解放情報を、SPS有効化情報およびV2Xサービスのサービス要件に基づいて決定する。SPS解放情報指示プロセスについては、段階S111を参照されたい。
【０３２２】
S111。第二の装置が第一の装置にSPS解放情報を送る。SPS解放情報は、SPS有効化情報およびV2Xサービスのサービス要件に基づいて第二の装置によって決定され、SPS解放情報は、有効化されたSPS資源のスケジューリング資源を解放することを命令する。
【０３２３】
任意的に、２型については、すなわち、SPS資源構成がM個のSPSスケジューリング間隔であるとき、第二の装置は、有効化されたSPS資源のSPS資源を解放することを、DCIにおけるHARQ（英語全称：hybrid  automatic  repeat  request）識別子を使うことによって命令する。
【０３２４】
任意的に、２型については、第二の装置は、有効化されたSPS資源の任意のスケジューリング資源で送られた前記SPS解放情報を、前記任意のスケジューリング資源に対応するすべてのSPSスケジューリング資源を解放することを命令するために使う。
【０３２５】
S112。第一の装置が第二の装置からSPS解放情報を受信する。
【０３２６】
第一の装置は、SPS解放情報に基づいて、第二の装置が有効化されたSPS資源のスケジューリング資源を解放することを判別し、第二の装置によって解放されたSPS資源を下りリンクSPS送信のために使ってもよく、あるいは第二の装置によって解放されたSPS資源を別の装置に、データ送信のために割り当ててもよい。
【０３２７】
本発明において提供されるスケジューリング方法によれば、第二の装置が第一の装置にSPS構成情報を送り、SPS構成情報は第二の装置によって使われるSPS資源構成を示すために使われ；第一の装置が第二の装置からSPS構成情報を受信し；第二の装置が第一の装置にSPS有効化情報を送り、SPS有効化情報は有効化されたSPS資源を第一の装置に示すために使われ、該有効化されたSPS資源は構成されたSPS資源におけるSPS資源の一つまたは複数であり；第一の装置が第二の装置からSPS構成情報を受信し；第一の装置が第二の装置にSPS命令情報を送り、SPS命令情報は、有効化されたSPS資源のスケジューリング資源を使うまたは使わないことを命令するために使われ；第二の装置が第一の装置からSPS命令情報を受信し；SPS命令情報を受信後、第二の装置は、SPS命令情報またはSPS解放情報に基づいて、第一の装置によって使用されないSPS資源を判別し、第一の装置によって使用されないSPS資源を、下りリンクSPS送信のために使い、あるいは第一の装置によって使用されないSPS資源を、別の装置に、データ送信のために割り当てる。本発明では、第二の装置は、第一の装置のために種々のSPS資源を構成し、第一の装置のためにそれらのSPS資源のうちの一つまたは複数を有効化し、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当てる。これは、スケジューリング資源の利用率を最大化し、比較的短いスケジューリング間隔をもつSPS送信がV2Xサービスに適用されるときにスケジューリング資源が無駄になるという問題を解決する。
【０３２８】
本発明は、図１のV2X通信システムに適用されるスケジューリング方法を提供する。図１８を参照するに、本方法は下記の段階を含む。
【０３２９】
S201。第一の装置が、サービス要件および／またはサービスのメッセージ型に基づいて、ランダムアクセスRA（英語全称：random  access）プリアンブル・シーケンスおよび／または前記RAプリアンブル・シーケンスの電波資源を使うことを決定する。前記RAプリアンブル・シーケンスおよび／または前記RAプリアンブル・シーケンスの電波資源は、前記第一の装置のデータのサービス要件および／またはメッセージ型を示す。具体的には、前記RAプリアンブル・シーケンスおよび／または前記RAプリアンブル・シーケンスの電波資源は、前記第一の装置のデータのサービス要件を示す；前記RAプリアンブル・シーケンスおよび／または前記RAプリアンブル・シーケンスの電波資源は、前記第一の装置のデータのメッセージ型を示す；前記RAプリアンブル・シーケンスおよび／または前記RAプリアンブル・シーケンスの電波資源は、前記第一の装置のデータのサービス要件およびメッセージ型を示す。
【０３３０】
任意的に、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０３３１】
RAプリアンブル・シーケンスの電波資源は、第一の装置がRAプリアンブル・シーケンスを使うことによってランダムアクセスを開始するときに占有される電波資源である。
【０３３２】
第一の装置のデータのサービス要件は、データを搬送するベアラーのサービス要件またはデータを搬送するサービスのサービス要件である。複数のRAプリアンブル・シーケンスがある。各RAプリアンブル・シーケンスは、第一の装置のデータの一つのサービス要件または一つのメッセージ型にマッピングされてもよく、第一の装置のデータ送信緊急レベルが決定され、第一の装置はV2Xサービスのあるバージョンにマッチする。同様に、RAプリアンブル・シーケンスの複数の電波資源があってもよい。各電波資源は、第一の装置のデータの一つのサービス要件または一つのメッセージ型にマッピングされてもよく、第一の装置のデータ送信緊急レベルが決定され、第一の装置はV2Xサービスのあるバージョンにマッチする。
【０３３３】
本発明では、サービスはV2Xサービスを含んでいてもよく、サービスのサービス要件はV2Xサービスのサービス要件を含む。
【０３３４】
任意的に、サービス要件は、時間要件および／またはレート要件を含んでいてもよい。
【０３３５】
任意的に、V2Xサービスがあるとき、または第一の装置が計算を通じて、SR（英語全称：scheduling  request）がV2Xサービスのサービス要件またはメッセージ型を満たすことができないことを見出すとき、第一の装置は、V2Xサービスのサービス要件またはメッセージ型に基づいて、あるRAプリアンブル・シーケンスおよび／または前記RAプリアンブル・シーケンスのある電波資源を使うことを決定し、決定されたRAプリアンブル・シーケンスおよび／または前記RAプリアンブル・シーケンスの電波資源に基づいて第二の装置に対してランダムアクセスを開始する。こうして、第二の装置からスケジューリング資源を迅速に取得する。
【０３３６】
V2Xサービスのメッセージ型は、V2Xサービスの緊急レベルをも示し、サービス要件の一つの型でもある。
【０３３７】
S202。第一の装置が、決定されたRAプリアンブル・シーケンスおよび／または前記RAプリアンブル・シーケンスの電波資源に基づいて、第二の装置へのランダムアクセスを開始する。
【０３３８】
第一の装置は、一つのRAプリアンブル・シーケンスおよび／または前記RAプリアンブル・シーケンスの一つの電波資源を使うことによって第二の装置へのランダムアクセスを開始する。すなわち、第一の装置は、第二の装置に、V2Xサービスのサービス要件またはメッセージ型を満たす対応するスケジューリング資源の使用のための要求を送る。
【０３３９】
S203。第二の装置は第一の装置からランダムアクセスを受ける。
【０３４０】
S204。第二の装置は、第一の装置がランダムアクセスを実行するときに使われるRAプリアンブル・シーケンスおよび／または前記RAプリアンブル・シーケンスの電波資源に基づいて第一の装置にスケジューリング資源を割り当てる。
【０３４１】
任意的に、図１８を参照するに、段階S201の前に、本方法はさらに段階S205およびS206を含んでいてもよい。
【０３４２】
S205。第二の装置が第一の装置に、前記RAプリアンブル・シーケンスおよび／または前記RAプリアンブル・シーケンスの電波資源を送る。
【０３４３】
S206。第一の装置が第二の装置から、前記RAプリアンブル・シーケンスおよび／または前記RAプリアンブル・シーケンスの電波資源を受信する。
【０３４４】
任意的に、第二の装置は、ブロードキャストまたは信号伝達を通じて、前記RAプリアンブル・シーケンスおよび／または前記RAプリアンブル・シーケンスの電波資源を送ってもよい。あるいはまた、任意的に、第二の装置は、前記RAプリアンブル・シーケンスおよび／または前記RAプリアンブル・シーケンスの電波資源をローカルに記憶してもよい。これは本発明において限定されない。
【０３４５】
本発明において提供されるスケジューリング方法によれば、第一の装置は、サービスのサービス要件および／またはメッセージ型に基づいて、RAプリアンブル・シーケンスおよび／または前記RAプリアンブル・シーケンスの電波資源を使うことを決定し、前記RAプリアンブル・シーケンスおよび／または前記RAプリアンブル・シーケンスの電波資源は、第一の装置のデータのサービス要件および／またはメッセージ型を示し；第一の装置は、決定された前記RAプリアンブル・シーケンスおよび／または前記RAプリアンブル・シーケンスの電波資源に基づいて、第一の装置へのランダムアクセスを開始し；第二の装置は第一の装置からランダムアクセスを受け；第二の装置は、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。前記RAプリアンブル・シーケンスおよび／または前記RAプリアンブル・シーケンスの電波資源は、V2Xサービスのサービス要件またはサービス型にマッピングされ、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０３４６】
本発明は、図１のV2X通信システムに適用されるスケジューリング方法を提供する。図１９を参照するに、本方法は下記の段階を含む。
【０３４７】
S301。第一の装置が、電波資源および／または電波信号を測定して測定結果を生成する。測定結果は、第二の装置に、第一の装置のデータ送信範囲を判別して、第一のメッセージを送るために前記送信範囲に基づいて適正なセルを選択することを命令するために使われる。
【０３４８】
たとえば、第一のメッセージは下記のメッセージのうちの一つであってもよい：V2Xメッセージ、ウェアラブル・サービス・メッセージ、NB-IoT（英語全称：narrowband  Internet  of  Things）サービス・メッセージおよびブロードバンド・サービス・メッセージ。
【０３４９】
任意的に、前記測定結果は、指定されたセルの測定結果を含む。さらに、任意的に、前記測定結果は、次の条件を満たす指定されたセルの測定結果を含む：前記測定結果は第一の閾値より低いおよび／または前記第一の閾値の測定結果および第一のオフセット値よりも低い。
【０３５０】
任意的に、前記測定結果はさらに、第一の装置の移動性情報を含んでいてもよい。さらに、任意的に、前記移動性情報は、セルに関係した時間情報と、下記のセル情報のうちの少なくとも一つとを含む：前記第一の装置が通過した、通過中であるまたはこれから通過するセル。任意的に、前記セルは、V2Xサービスがあるセルである。たとえば、前記セルに関係した時間情報は、たとえば、セルにおけるキャンプオン継続時間またはいくつかのセルを通過するために必要とされる時間を含んでいてもよい。
【０３５１】
任意的に、第一の装置の移動性情報はさらに、V2Xメッセージ型情報および／または第一の装置のV2Xメッセージ送信距離情報を含んでいてもよい。
【０３５２】
S302。第一の装置が、前記測定結果を第二の装置に送る。
【０３５３】
任意的に、段階S301において前記測定結果が指定されたセルの測定結果である場合、第一の装置は、V2Xサービスが開始される前に、指定されたセルの測定結果を第二の装置に送る；または第一の装置は、V2Xサービスが開始された後に、指定されたセルの測定結果を第二の装置に送る。
【０３５４】
任意的に、段階S301において前記測定結果が第一の装置の移動性情報であるとき、第一の装置は第一の装置の移動性情報をUU‐サイドリンク変換プロセスにおいて送ってもよい。
【０３５５】
任意的に、第一の装置が、段階S301における前記測定結果および／または第一の装置の位置情報を第二の装置に送ってもよい。第一の装置の移動性情報は、第一の装置のV2Xメッセージ型情報および／またはV2Xメッセージ送信距離情報を含んでいてもよい。
【０３５６】
さらに、任意的に、下記の条件のうちの少なくとも一つが満たされるとき、第一の装置は段階S301における前記測定結果および／または前記第一の装置の位置情報を前記第二の装置に送ってもよい：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０３５７】
前記信号はCRS（cell-specific  reference  signal、セル固有参照信号）、DM-RS（demodulation  reference  signal、復調参照信号）、CSI-RS（channel  state  information  reference  signal、チャネル状態情報参照信号）またはPRS（positioning  reference  signal、測位参照信号）でありうる。
【０３５８】
さらに、任意的に、上記の条件が満たされるとき、第一の装置は前記測定結果および／または第一の装置の位置情報を第二の装置に定期的に送ってもよい。
【０３５９】
任意的に、段階S301における第一の装置の移動性情報がV2Xメッセージ型情報および／または第一の装置のV2Xメッセージ送信距離情報であるとき、第一の装置は、V2Xメッセージ型情報および／または第一の装置のV2Xメッセージ送信距離情報を、RRC層、MAC層およびPHY層の一つまたは組み合わせを使うことによって、第二の装置に送る。
【０３６０】
S303。第二の装置が第一の装置によって送られた測定結果を受信する。
【０３６１】
S304。第二の装置が、前記測定結果に基づいて、第一の装置のデータ送信範囲を判別する。
【０３６２】
S305。第二の装置が、第一のメッセージを送るために、前記送信範囲に基づいて、適正なセルを選択する。
【０３６３】
本発明において提供されるスケジューリング方法によれば、第一の装置が、電波資源および／または電波信号を測定して測定結果を生成し、測定結果は、第二の装置に、第一の装置のデータ送信範囲を判別して、第一のメッセージを送るために前記送信範囲に基づいて適正なセルを選択することを命令するために使われるものであり；第一の装置は、前記測定結果を第二の装置に送り；第二の装置は、第一の装置によって送られた測定結果を受信し；第二の装置は、前記測定結果に基づいて、第一の装置のデータ送信範囲を判別し、第一のメッセージを送るために前記送信範囲に基づいて適正なセルを選択する。第一の装置は第二の装置に、データ送信範囲を示す測定結果を送り、それにより第二の装置は、データ送信範囲を判別し、第一のメッセージを送るために、前記データ送信範囲に基づいて適正なセルを選択する。これは、第二の装置が第一の装置からデータ送信範囲を得ることができないという問題を解決する。
【０３６４】
本発明は、第一の装置を提供する。第一の装置は、図４における第一の装置１０１であってもよく、図５、図１５および図１７のスケジューリング方法に適用される。図２０に示されるように、第一の装置は：
第二の装置から半持続的スケジューリングSPS構成情報を受信するよう構成された受信ユニット１０１１であって、前記SPS構成情報は前記第二の装置によって使われるSPS資源構成を示すために使われ；
前記受信ユニット１０１１はさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置にSPS命令情報を送るよう構成された送信ユニット１０１２であって、前記SPS命令情報は、前記有効化されたSPS資源のスケジューリング資源を使うまたは使わないことを命令するために使われる、送信ユニットとを含む。
【０３６５】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０３６６】
例が与えられる。SPS資源構成は下記のうちの少なくとも一つまたは組み合わせを含む：
m個の利用可能なスケジューリング資源をもつSPSスケジューリング間隔；または
M個のSPSスケジューリング間隔。
【０３６７】
例が与えられる。任意的に、図２１を参照するに、第一の装置はさらに処理ユニット１０１３を含み、該処理ユニットは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０３６８】
例が与えられる。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０３６９】
例が与えられる。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０３７０】
例が与えられる。前記時間窓は、前記送信ユニット１０１２によって前記第二の装置に送られる；または
前記時間窓は、前記第二の装置によって前記受信ユニット１０１１に送られる。
【０３７１】
例が与えられる。前記処理ユニット１０１３はさらに、SPS解放情報を決定するよう構成され、前記SPS解放情報は、有効化されたSPS資源のうちの一部または全部のスケジューリング資源を解放することを命令するために使われる。
【０３７２】
前記送信ユニット１０１２はさらに、前記SPS解放情報を前記第二の装置に送るよう構成される。
【０３７３】
例が与えられる。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０３７４】
例が与えられる。前記受信ユニット１０１１はさらに、前記第二の装置からSPS解放情報を受信するよう構成され、前記SPS解放情報は、有効化されたSPS資源の一部または全部のスケジューリング資源を解放することを命令するために使われる。
【０３７５】
例が与えられる。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０３７６】
例が与えられる。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０３７７】
例が与えられる。前記SPSは、ネットワークと端末の間でまたは端末間で使われる。
【０３７８】
処理ユニット１０１３は、独立して配置されたプロセッサであってもよく、あるいは第一の装置のプロセッサに統合されてもよく、あるいは第一の装置のメモリに、該処理ユニットの上記の機能を実行するために第一の装置のプロセッサによって呼び出されるプログラム・コードの形で記憶されてもよいことを注意しておくべきである。本稿でのプロセッサは、中央処理ユニット（英語全称：central  processing  unit、略CPU）、特定用途向け集積回路（英語全称：application-specific  integrated  circuit、略ASIC）または本発明のこの実施形態を実装するよう構成された一つまたは複数の集積回路でありうる。
【０３７９】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０３８０】
本発明は、第二の装置を提供する。第二の装置は、図４における第二の装置１０２であってもよく、図５、図１５および図１７のスケジューリング方法に適用される。図２２に示されるように、第二の装置は：
第一の装置に半持続的スケジューリングSPS構成情報を送るよう構成された送信ユニット１０２１であって、前記SPS構成情報は前記第二の装置によって使われるSPS資源構成を示すために使われ；
前記送信ユニット１０２１はさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニット１０２２であって、前記SPS命令情報は、前記有効化されたSPS資源のスケジューリング資源を使うまたは使わないことを命令するために使われる、受信ユニットとを含む。
【０３８１】
本発明のこの実施形態における第二の装置は、図５、図１５および図１７に示された方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０３８２】
例が与えられる。SPS資源構成は下記のうちの少なくとも一つまたは組み合わせを含む：
m個の利用可能なスケジューリング資源をもつSPSスケジューリング間隔；または
M個のSPSスケジューリング間隔。
【０３８３】
例が与えられる。任意的に、図２３を参照するに、第二の装置はさらに処理ユニット１０２３を含み、該処理ユニットは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０３８４】
例が与えられる。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０３８５】
例が与えられる。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０３８６】
例が与えられる。前記時間窓は、前記送信ユニット１０２１によって前記第二の装置に送られる；または
前記時間窓は、前記第二の装置によって前記受信ユニット１０２２に送られる。
【０３８７】
例が与えられる。前記受信ユニット１０２２はさらに、前記第一の装置からSPS解放情報を受信するよう構成され、前記SPS解放情報は、有効化されたSPS資源のうちの一部または全部のスケジューリング資源を解放することを命令するために使われる。
【０３８８】
例が与えられる。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０３８９】
例が与えられる。前記処理ユニット１０２３はさらに、SPS解放情報を決定するよう構成され、前記SPS解放情報は、有効化されたSPS資源の一部または全部のスケジューリング資源を解放することを命令するために使われる。
【０３９０】
前記送信ユニット１０２１はさらに、前記第一の装置に前記SPS解放情報を送るよう構成される。
【０３９１】
例が与えられる。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０３９２】
例が与えられる。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０３９３】
例が与えられる。前記SPSは、ネットワークと端末の間でまたは端末間で使われる。
【０３９４】
処理ユニット１０２３は、独立して配置されたプロセッサであってもよく、あるいは第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（英語全称：central  processing  unit、略CPU）、特定用途向け集積回路（英語全称：application-specific  integrated  circuit、略ASIC）または本発明のこの実施形態を実装するよう構成された一つまたは複数の集積回路でありうる。
【０３９５】
本発明のこの実施形態における第二の装置は、図５、図１５および図１７に示された方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０３９６】
本発明は、第一の装置を提供する。第一の装置は、図４における第一の装置１０１であってもよく、図１８のスケジューリング方法および車両対万物V2X通信に適用される。図２４に示されるように、第一の装置は：
サービス要件および／またはサービスのメッセージ型に基づいて、ランダムアクセスRAプリアンブル・シーケンスおよび／または前記RAプリアンブル・シーケンスの電波資源を使うことを決定するよう構成された処理ユニット１０１４であって、前記RAプリアンブル・シーケンスおよび／または前記RAプリアンブル・シーケンスの電波資源は、前記第一の装置のデータのサービス要件および／またはメッセージ型を示すために使われる、処理ユニットと；
決定された前記RAプリアンブル・シーケンスおよび／または前記RAプリアンブル・シーケンスの電波資源に基づいて、第二の装置へのランダムアクセスを開始するよう構成された送信ユニット１０１５とを含む。
【０３９７】
本発明のこの実施形態における第一の装置は、図１８に示された方法手順を実行するよう構成されてもよい。よって、第一の装置によって得られる技術的効果については、図１８において示した方法実施形態を参照されたい。本発明のこの実施形態において詳細を繰り返すことはしない。
【０３９８】
例が提供される。前記サービス要件はさらに、時間要件および／またはレート要件を含む。
【０３９９】
例が提供される。任意的に、図２５に示されるように、第一の装置はさらに受信ユニット１０１６を含み、該受信ユニットは、前記処理ユニット１０１４が、V2Xサービスのサービス要件および／またはメッセージ型に基づいて、RAプリアンブル・シーケンスおよび／または前記RAプリアンブル・シーケンスの電波資源を使うことを決定する前に、前記第二の装置から、前記RAプリアンブル・シーケンスおよび／または前記RAプリアンブル・シーケンスの電波資源を受信するよう構成される。
【０４００】
例が提供される。前記処理ユニット１０１４はさらに：V2Xサービスがある、または該処理ユニット１０４が計算を通じて、スケジューリング要求SRがV2Xサービスのサービス要件を満たさないことを見出すときに、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０４０１】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４０２】
例が提供される。サービスのサービス要件は、V2Xサービスのサービス要件を含む。
【０４０３】
処理ユニット１０１４は、独立して配置されたプロセッサであってもよく、あるいは実装のために第一の装置のプロセッサに統合されてもよく、あるいは第一の装置のメモリに、該処理ユニットの上記の機能を実行するために第一の装置のプロセッサによって呼び出されるプログラム・コードの形で記憶されてもよいことを注意しておくべきである。本稿でのプロセッサは、中央処理ユニット（英語全称：central  processing  unit、略CPU）、特定用途向け集積回路（英語全称：application-specific  integrated  circuit、略ASIC）または本発明のこの実施形態を実装するよう構成された一つまたは複数の集積回路でありうる。
【０４０４】
本発明のこの実施形態における第一の装置は、図１８に示された方法手順を実行するよう構成されてもよい。よって、第一の装置によって得られる技術的効果については、図１８において示した方法実施形態を参照されたい。本発明のこの実施形態において詳細を繰り返すことはしない。
【０４０５】
本発明は、第二の装置を提供する。第二の装置は、図４における第一の装置１０２であってもよく、図１８のスケジューリング方法および車両対万物V2X通信に適用される。図２６に示されるように、第二の装置は：
第一の装置からランダムアクセスを受けるよう構成された受信ユニット１０２４と；
前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てるよう構成された処理ユニット１０２５とを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【０４０６】
本発明のこの実施形態における第二の装置は、図１８に示された方法手順を実行するよう構成されてもよい。よって、第二の装置によって得られる技術的効果については、図１８において示した方法実施形態を参照されたい。本発明のこの実施形態において詳細を繰り返すことはしない。
【０４０７】
例が提供される。前記サービス要件はさらに、時間要件および／またはレート要件を含む。
【０４０８】
例が提供される。図２７に示されるように、第二の装置はさらに：前記受信ユニット１０２４が第一の装置からランダムアクセスを受ける前に、前記第一の装置に、前記RAプリアンブル・シーケンスおよび／または前記RAプリアンブル・シーケンスの電波資源を送るよう構成された送信ユニット１０２６を含む。
【０４０９】
例が提供される。前記受信ユニット１０２４はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０４１０】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４１１】
例が提供される。サービスのサービス要件は、V2Xサービスのサービス要件を含む。
【０４１２】
処理ユニット１０２５は、独立して配置されたプロセッサであってもよく、あるいは実装のために第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（英語全称：central  processing  unit、略CPU）、特定用途向け集積回路（英語全称：application-specific  integrated  circuit、略ASIC）または本発明のこの実施形態を実装するよう構成された一つまたは複数の集積回路でありうる。
【０４１３】
本発明のこの実施形態における第二の装置は、図１８に示された方法手順を実行するよう構成されてもよい。よって、第二の装置によって得られる技術的効果については、図１８において示した方法実施形態を参照されたい。本発明のこの実施形態において詳細を繰り返すことはしない。
【０４１４】
本発明は、第一の装置を提供する。第一の装置は、図４における第一の装置１０１であってもよく、図１９のスケジューリング方法および車両対万物V2X通信に適用される。図２８に示されるように、第一の装置は：
電波資源および／または電波信号を測定して測定結果を生成するよう構成された処理ユニット１０１７であって、前記測定結果は、第二の装置に、前記第一の装置のデータ送信範囲を判別して、第一のメッセージを送るために前記送信範囲に基づいて適正なセルを選択することを命令するために使われる、処理ユニットと；
前記測定結果を前記第二の装置に送るよう構成された送信ユニット１０１８とを含む。
【０４１５】
本発明のこの実施形態における第一の装置は、図１９に示された方法手順を実行するよう構成されてもよい。よって、第一の装置によって得られる技術的効果については、図１９において示した方法実施形態を参照されたい。本発明のこの実施形態において詳細を繰り返すことはしない。
【０４１６】
例が提供される。前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０４１７】
例が提供される。前記送信ユニット１０１８は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０４１８】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０４１９】
例が提供される。前記送信ユニット１０１８は具体的には、前記第一の装置の移動性情報を、UU‐サイドリンク変換プロセスにおいて送るよう構成される。UUは端末とネットワークの間のリンクであり、サイドリンクは装置対装置のリンクである。
【０４２０】
例が提供される。前記送信ユニット１０１８は具体的には、前記測定結果および／または前記第一の装置の位置情報を前記第二の装置に送るよう構成される。
【０４２１】
例が提供される。前記送信ユニット１０１８は：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０４２２】
例が提供される。前記送信ユニット１０１８は具体的には、前記測定結果および／または前記第一の装置の位置情報を前記第二の装置に定期的に送るよう構成される。
【０４２３】
例が提供される。前記移動性情報はさらに、V2Xメッセージ型情報および／または前記第一の装置のV2Xメッセージ送信距離情報を含む。
【０４２４】
例が提供される。前記送信ユニット１０１８は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０４２５】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０４２６】
本発明のこの実施形態における第一の装置は、図１９に示された方法手順を実行するよう構成されてもよい。よって、第一の装置によって得られる技術的効果については、図１９において示した方法実施形態を参照されたい。本発明のこの実施形態において詳細を繰り返すことはしない。
【０４２７】
本発明は、第二の装置を提供する。第二の装置は、図４における第一の装置１０２であってもよく、図１９のスケジューリング方法および車両対万物V2X通信に適用される。図２９に示されるように、第二の装置は：
第一の装置から測定結果を受信するよう構成された受信ユニット１０２７であって、前記測定結果は、測定された電波資源および／または測定された電波信号に基づいて前記第一の装置によって生成される、受信ユニットと；
前記測定結果に基づいて、前記第一の装置のデータ送信範囲を判別するよう構成された処理ユニット１０２８と；
第一のメッセージを送るために前記送信範囲に基づいて適正なセルを選択するよう構成された送信ユニット１０２９とを含む。
【０４２８】
本発明のこの実施形態における第二の装置は、図１９に示された方法手順を実行するよう構成されてもよい。よって、第二の装置によって得られる技術的効果については、図１９において示した方法実施形態を参照されたい。本発明のこの実施形態において詳細を繰り返すことはしない。
【０４２９】
例が提供される。前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０４３０】
例が提供される。前記受信ユニット１０２７は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０４３１】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０４３２】
例が提供される。前記受信ユニット１０２７は具体的には、前記第一の装置の移動性情報を、UU‐サイドリンク変換プロセスにおいて受信するよう構成される。UUは端末とネットワークの間のリンクであり、サイドリンクは装置対装置のリンクである。
【０４３３】
例が提供される。前記受信ユニット１０２７は具体的には、前記測定結果および／または前記第一の装置の位置情報を前記第一の装置から受信するよう構成される。
【０４３４】
例が提供される。前記受信ユニット１０２７は：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０４３５】
例が提供される。前記受信ユニット１０２７は具体的には、前記測定結果および／または前記第一の装置の位置情報を前記第一の装置から定期的に受信するよう構成される。
【０４３６】
例が提供される。前記移動性情報はさらに、V2Xメッセージ型情報および／または前記第一の装置のV2Xメッセージ送信距離情報を含む。
【０４３７】
例が提供される。前記受信ユニット１０２７は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０４３８】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０４３９】
処理ユニット１０２８は、独立して配置されたプロセッサであってもよく、あるいは実装のために第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（英語全称：central  processing  unit、略CPU）、特定用途向け集積回路（英語全称：application-specific  integrated  circuit、略ASIC）または本発明のこの実施形態を実装するよう構成された一つまたは複数の集積回路でありうる。
【０４４０】
本発明のこの実施形態における第二の装置は、図１９に示された方法手順を実行するよう構成されてもよい。よって、第二の装置によって得られる技術的効果については、図１９において示した方法実施形態を参照されたい。本発明のこの実施形態において詳細を繰り返すことはしない。
【０４４１】
本発明は、第一の装置を提供する。第一の装置は、図４における第一の装置１０１であってもよく、図５、図１５および図１７のスケジューリング方法に適用される。図３０に示されるように、第一の装置は：プロセッサ３００１と、第一のインターフェース回路３００２と、第二のインターフェース回路３００３と、メモリ３００４と、バス３００５とを含む。前記プロセッサ３００１、前記第一のインターフェース回路３００２、前記第二のインターフェース回路３００３および前記メモリ３００４は、前記バス３００５を使って接続され、相互通信を実装する。前記プロセッサ３００１は、下記の動作を実行するよう前記第一のインターフェース回路３００２および前記第二のインターフェース回路３００３を制御するための前記メモリ３００４内のプログラム・コードを実行するよう構成される：
前記第一のインターフェース回路３００２によって第二の装置から半持続的スケジューリングSPS構成情報を受信する段階であって、前記SPS構成情報は前記第二の装置によって使われるSPS資源構成を示すために使われる、段階と；
前記第一のインターフェース回路３００２によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第二のインターフェース回路３００３によって前記第二の装置にSPS命令情報を送る段階であって、前記SPS命令情報は、前記有効化されたSPS資源のスケジューリング資源を使うまたは使わないことを命令するために使われる、段階。
【０４４２】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０４４３】
例が提供される。SPS資源構成は下記のうちの少なくとも一つまたは組み合わせを含む：
m個の利用可能なスケジューリング資源をもつSPSスケジューリング間隔；または
M個のSPSスケジューリング間隔。
【０４４４】
例が提供される。前記プロセッサ３００１は、SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０４４５】
例が提供される。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０４４６】
例が提供される。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０４４７】
例が提供される。前記時間窓は、前記第二のインターフェース回路３００３によって前記第二の装置に送られる；または
前記時間窓は、前記第二の装置によって前記第一のインターフェース回路３００２に送られる。
【０４４８】
例が提供される。前記プロセッサ３００１はさらに、SPS解放情報を決定するよう構成され、前記SPS解放情報は、有効化されたSPS資源のうちの一部または全部のスケジューリング資源を解放することを命令するために使われる。
【０４４９】
前記第二のインターフェース回路３００３はさらに、前記SPS解放情報を前記第二の装置に送るよう構成される。
【０４５０】
例が提供される。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０４５１】
例が提供される。前記第一のインターフェース回路３００２はさらに、前記第二の装置からSPS解放情報を受信するよう構成され、前記SPS解放情報は、有効化されたSPS資源の一部または全部のスケジューリング資源を解放することを命令するために使われる。
【０４５２】
例が提供される。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０４５３】
例が提供される。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０４５４】
例が提供される。前記SPSは、ネットワークと端末の間でまたは端末間で使われる。
【０４５５】
本稿におけるプロセッサ３００１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０４５６】
メモリ３００４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３００４はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０４５７】
バス３００５は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３００５は、アドレス・バス、データ・バス、制御バスなどに分類されてもよい。図３０では表現の簡単のため、バス３００５はただ一つの太線を使って表わされているが、これはただ一つのバスまたは一つの型のバスしかないことを意味するものではない。
【０４５８】
プロセッサ３００１は、第一のインターフェース回路３００２および第二のインターフェース回路３００３と一緒に図５、図１５または図１７に示される実施形態において提供される方法を実行するためのメモリ内のプログラム・コードを実行するよう構成される。
【０４５９】
具体的には、プロセッサ３００１は、図５、図１５または図１７に示される実施形態における第一の装置の処理ユニットの機能を実行するようメモリ内の前記プログラムを実行するよう構成される。
【０４６０】
第一のインターフェース回路３００２は、図５、図１５または図１７に示される実施形態における第一の装置の受信ユニットの機能を実行するよう構成される。
【０４６１】
第二のインターフェース回路３００３は、図５、図１５または図１７に示される実施形態における第一の装置の送信ユニットの機能を実行するよう構成される。
【０４６２】
本発明のこの実施形態における第一の装置は、図５、図１５および図１７に示される方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０４６３】
本発明は、第二の装置を提供する。第二の装置は、図４における第二の装置１０２であってもよく、図５、図１５および図１７のスケジューリング方法に適用される。図３１に示されるように、第二の装置は：プロセッサ３１０１と、第一のインターフェース回路３１０２と、第二のインターフェース回路３１０３と、メモリ３１０４と、バス３１０５とを含む。前記プロセッサ、前記第一のインターフェース回路３１０２、前記第二のインターフェース回路３１０３および前記メモリ３１０４は、前記バス３１０５を使って接続され、相互通信を実装する。前記プロセッサ３１０１は、下記の動作を実行するよう前記第一のインターフェース回路３００２および前記第二のインターフェース回路３００３を制御するための前記メモリ３１０４内のプログラム・コードを実行するよう構成される：
前記第一のインターフェース回路３１０２によって第一の装置に半持続的スケジューリングSPS構成情報を送る段階であって、前記SPS構成情報は前記第二の装置によって使われるSPS資源構成を示すために使われる、段階と；
前記第一のインターフェース回路３１０２によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二のインターフェース回路３１０３によって、前記第一の装置からSPS命令情報を受信する段階であって、前記SPS命令情報は、前記有効化されたSPS資源のスケジューリング資源を使うまたは使わないことを命令するために使われる、段階。
【０４６４】
本発明のこの実施形態における第二の装置は、図５、図１５および図１７に示される方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０４６５】
例が提供される。SPS資源構成は下記のうちの少なくとも一つまたは組み合わせを含む：
m個の利用可能なスケジューリング資源をもつSPSスケジューリング間隔；または
M個のSPSスケジューリング間隔。
【０４６６】
例が提供される。前記プロセッサ３１０１は：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０４６７】
例が提供される。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０４６８】
例が提供される。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０４６９】
例が提供される。前記時間窓は、前記第一のインターフェース回路３１０２によって前記第二の装置に送られる；または
前記時間窓は、前記第二の装置によって前記第二のインターフェース回路３１０３に送られる。
【０４７０】
例が提供される。前記第二のインターフェース回路３１０３はさらに、前記第一の装置からSPS解放情報を受信するよう構成され、前記SPS解放情報は、有効化されたSPS資源のうちの一部または全部のスケジューリング資源を解放することを命令するために使われる。
【０４７１】
例が提供される。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０４７２】
例が提供される。前記プロセッサ３１０１はさらに、SPS解放情報を決定するよう構成され、前記SPS解放情報は、有効化されたSPS資源の一部または全部のスケジューリング資源を解放することを命令するために使われる。
【０４７３】
前記第一のインターフェース回路３１０２はさらに、前記第一の装置に前記SPS解放情報を送るよう構成される。
【０４７４】
例が提供される。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０４７５】
例が提供される。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０４７６】
例が提供される。前記SPSは、ネットワークと端末の間でまたは端末間で使われる。
【０４７７】
本稿におけるプロセッサ３１０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０４７８】
メモリ３１０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３１０４はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０４７９】
バス３１０５は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３１０５は、アドレス・バス、データ・バス、制御バスなどに分類されてもよい。図３１では表現の簡単のため、バス３１０５はただ一つの太線を使って表わされているが、これはただ一つのバスまたは一つの型のバスしかないことを意味するものではない。
【０４８０】
プロセッサ３１０１は、第一のインターフェース回路３１０２および第二のインターフェース回路３１０３と一緒に図５、図１５または図１７に示される実施形態において提供される方法を実行するためのメモリ内のプログラム・コードを実行するよう構成される。
【０４８１】
具体的には、プロセッサ３１０１は、図５、図１５または図１７に示される実施形態における第二の装置の処理ユニットの機能を実行するようメモリ内の前記プログラム・コードを実行するよう構成される。
【０４８２】
第一のインターフェース回路３１０２は、図５、図１５または図１７に示される実施形態における第二の装置の送信ユニットの機能を実行するよう構成される。
【０４８３】
第二のインターフェース回路３１０３は、図５、図１５または図１７に示される実施形態における第二の装置の受信ユニットの機能を実行するよう構成される。
【０４８４】
本発明のこの実施形態における第二の装置は、図５、図１５および図１７に示される方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０４８５】
本発明は、第一の装置を提供する。第一の装置は、図４における第一の装置１０１であってもよく、図１８のスケジューリング方法および車両対万物V2X通信に適用される。図３２に示されるように、第一の装置は：プロセッサ３２０１と、第一のインターフェース回路３２０２と、第二のインターフェース回路３２０３と、メモリ３２０４と、バス３２０５とを含む。前記プロセッサ３２０１、前記第一のインターフェース回路３２０２、前記第二のインターフェース回路３２０３および前記メモリ３２０４は、前記バス３２０５を使って接続され、相互通信を実装する。前記プロセッサ３２０１は、下記の動作を実行するよう前記第一のインターフェース回路３２０２および前記第二のインターフェース回路３２０３を制御するための前記メモリ３２０４内のプログラム・コードを実行するよう構成される：
前記プロセッサ３２０１によって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一のインターフェース回路３２０２によって、決定された前記RAプリアンブル・シーケンスおよび／または前記RAプリアンブル・シーケンスの電波資源に基づいて、第二の装置へのランダムアクセスを開始する段階。
【０４８６】
本発明のこの実施形態における第一の装置は、図１８に示される方法手順を実行するよう構成されてもよい。よって、第一の装置によって得られる技術的効果については、図１８において示した方法実施形態を参照されたい。本発明のこの実施形態において詳細を繰り返すことはしない。
【０４８７】
例が提供される。前記サービス要件はさらに、時間要件および／またはレート要件を含む。
【０４８８】
例が提供される。第二のインターフェース回路３２０３は：前記プロセッサ３２０１が、サービス要件および／またはV2Xサービスのメッセージ型に基づいて、RAプリアンブル・シーケンスおよび／または前記RAプリアンブル・シーケンスの電波資源を使うことを決定する前に：前記第二の装置から、前記RAプリアンブル・シーケンスおよび／または前記RAプリアンブル・シーケンスの電波資源を受信するよう構成される。
【０４８９】
例が提供される。前記プロセッサ３２０１はさらに：V2Xサービスがある、または前記プロセッサ３２０１が計算を通じて、スケジューリング要求SRがV2Xサービスのサービス要件を満たさないことを見出すとき、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０４９０】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４９１】
例が提供される。サービスのサービス要件は、V2Xサービスのサービス要件を含む。
【０４９２】
本稿におけるプロセッサ３２０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０４９３】
メモリ３２０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３２０４はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０４９４】
バス３２０５は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３２０５は、アドレス・バス、データ・バス、制御バスなどに分類されてもよい。図３２では表現の簡単のため、バス３２０５はただ一つの太線を使って表わされているが、これはただ一つのバスまたは一つの型のバスしかないことを意味するものではない。
【０４９５】
プロセッサ３２０１は、第一のインターフェース回路３２０２および第二のインターフェース回路３２０３と一緒に図１８に示される方法実施形態において提供される方法を実行するためのメモリ内のプログラム・コードを実行するよう構成される。
【０４９６】
具体的には、プロセッサ３２０１は、図１８に示される実施形態における第一の装置の処理ユニットの機能を実行するようメモリ内の前記プログラム・コードを実行するよう構成される。
【０４９７】
第一のインターフェース回路３２０２は、図１８に示される実施形態における第一の装置の送信ユニットの機能を実行するよう構成される。
【０４９８】
第二のインターフェース回路３２０３は、図１８に示される実施形態における第一の装置の受信ユニットの機能を実行するよう構成される。
【０４９９】
本発明のこの実施形態における第一の装置は、図１８に示される方法手順を実行するよう構成されてもよい。よって、第一の装置によって得られる技術的効果については、図１８において示した方法実施形態を参照されたい。本発明のこの実施形態において詳細を繰り返すことはしない。
【０５００】
本発明は、第二の装置を提供する。第二の装置は、図４における第二の装置１０２であってもよく、図１８のスケジューリング方法および車両対万物V2X通信に適用される。図３３に示されるように、第二の装置は：プロセッサ３３０１と、第一のインターフェース回路３３０２と、第二のインターフェース回路３３０３と、メモリ３３０４と、バス３３０５とを含む。前記プロセッサ３３０１、前記第一のインターフェース回路３３０２、前記第二のインターフェース回路３３０３および前記メモリ３３０４は、前記バス３３０５を使って接続され、相互通信を実装する。前記プロセッサ３３０１は、下記の動作を実行するよう前記第一のインターフェース回路３３０２および前記第二のインターフェース回路３３０３を制御するための前記メモリ３３０４内のプログラム・コードを実行するよう構成される：
前記第一のインターフェース回路３３０２によって、第一の装置からランダムアクセスを受ける段階と；
前記プロセッサ３３０１によって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階であって、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる、段階。
【０５０１】
本発明のこの実施形態における第二の装置は、図１８に示される方法手順を実行するよう構成されてもよい。よって、第二の装置によって得られる技術的効果については、図１８において示した方法実施形態を参照されたい。本発明のこの実施形態において詳細を繰り返すことはしない。
【０５０２】
例が提供される。前記サービス要件はさらに、時間要件および／またはレート要件を含む。
【０５０３】
例が提供される。第二のインターフェース回路３３０３は：前記第一のインターフェース回路３３０２が前記第一の装置からランダムアクセスを受ける前に、前記第一の装置に、前記RAプリアンブル・シーケンスおよび／または前記RAプリアンブル・シーケンスの電波資源を送るよう構成される。
【０５０４】
例が提供される。前記第一のインターフェース回路３３０２はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０５０５】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０５０６】
例が提供される。サービスのサービス要件は、V2Xサービスのサービス要件を含む。
【０５０７】
本稿におけるプロセッサ３３０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０５０８】
メモリ３３０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３３０４はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０５０９】
バス３３０５は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３３０５は、アドレス・バス、データ・バス、制御バスなどに分類されてもよい。図３３では表現の簡単のため、バス３３０５はただ一つの太線を使って表わされているが、これはただ一つのバスまたは一つの型のバスしかないことを意味するものではない。
【０５１０】
プロセッサ３３０１は、第一のインターフェース回路３３０２および第二のインターフェース回路３３０３と一緒に図１８に示される方法実施形態において提供される方法を実行するためのメモリ内のプログラム・コードを実行するよう構成される。
【０５１１】
具体的には、プロセッサ３３０１は、図１８に示される実施形態における第二の装置の処理ユニットの機能を実行するようメモリ内の前記プログラム・コードを実行するよう構成される。
【０５１２】
第一のインターフェース回路３３０２は、図１８に示される実施形態における第二の装置の受信ユニットの機能を実行するよう構成される。
【０５１３】
第二のインターフェース回路３３０３は、図１８に示される実施形態における第二の装置の送信ユニットの機能を実行するよう構成される。
【０５１４】
本発明のこの実施形態における第二の装置は、図１８に示される方法手順を実行するよう構成されてもよい。よって、第二の装置によって得られる技術的効果については、図１８において示した方法実施形態を参照されたい。本発明のこの実施形態において詳細を繰り返すことはしない。
【０５１５】
本発明は、第一の装置を提供する。第一の装置は、図４における第一の装置１０１であってもよく、図１９のスケジューリング方法および車両対万物V2X通信に適用される。図３４に示されるように、第一の装置は：プロセッサ３４０１と、第一のインターフェース回路３４０２と、メモリ３４０３と、バス３４０４とを含む。前記プロセッサ３４０１、前記第一のインターフェース回路３４０２および前記メモリ３４０３は、前記バス３４０４を使って接続され、相互通信を実装する。前記プロセッサ３４０１は、下記の動作を実行するよう前記第一のインターフェース回路３４０２を制御するための前記メモリ３４０３内のプログラム・コードを実行するよう構成される：
前記プロセッサ３４０１によって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一のインターフェース回路３４０２によって、前記測定結果を前記第二の装置に送る段階。
【０５１６】
本発明のこの実施形態における第一の装置は、図１９に示される方法手順を実行するよう構成されてもよい。よって、第一の装置によって得られる技術的効果については、図１９において示した方法実施形態を参照されたい。本発明のこの実施形態において詳細を繰り返すことはしない。
【０５１７】
例が提供される。前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０５１８】
例が提供される。前記第一のインターフェース回路３４０２は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０５１９】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０５２０】
例が提供される。前記第一のインターフェース回路３４０２は具体的には、前記第一の装置の移動性情報を、UU‐サイドリンク変換プロセスにおいて送るよう構成される。UUは端末とネットワークの間のリンクであり、サイドリンクは装置対装置のリンクである。
【０５２１】
例が提供される。前記第一のインターフェース回路３４０２は具体的には、前記測定結果および／または前記第一の装置の位置情報を前記第二の装置に送るよう構成される。
【０５２２】
例が提供される。前記第一のインターフェース回路３４０２は具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０５２３】
例が提供される。前記第一のインターフェース回路３４０２は具体的には、前記測定結果および／または前記第一の装置の位置情報を前記第二の装置に定期的に送るよう構成される。
【０５２４】
例が提供される。前記移動性情報はさらに、V2Xメッセージ型情報および／または前記第一の装置のV2Xメッセージ送信距離情報を含む。
【０５２５】
例が提供される。前記第一のインターフェース回路３４０２は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０５２６】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０５２７】
本稿におけるプロセッサ３４０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０５２８】
メモリ３４０３は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３４０３はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０５２９】
バス３４０４は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３４０４は、アドレス・バス、データ・バス、制御バスなどに分類されてもよい。図３４では表現の簡単のため、バス３４０４はただ一つの太線を使って表わされているが、これはただ一つのバスまたは一つの型のバスしかないことを意味するものではない。
【０５３０】
プロセッサ３４０１は、第一のインターフェース回路３４０２と一緒に図１９に示される方法実施形態において提供される方法を実行するためのメモリ内のプログラム・コードを実行するよう構成される。
【０５３１】
具体的には、プロセッサ３４０１は、図１９に示される実施形態における第一の装置の処理ユニットの機能を実行するようメモリ内の前記プログラム・コードを実行するよう構成される。
【０５３２】
第一のインターフェース回路３４０２は、図１９に示される実施形態における第一の装置の送信ユニットの機能を実行するよう構成される。
【０５３３】
本発明のこの実施形態における第一の装置は、図１９に示される方法手順を実行するよう構成されてもよい。よって、第一の装置によって得られる技術的効果については、図１９において示した方法実施形態を参照されたい。本発明のこの実施形態において詳細を繰り返すことはしない。
【０５３４】
本発明は、第二の装置を提供する。第二の装置は、図４における第一の装置１０２であってもよく、図１９のスケジューリング方法および車両対万物V2X通信に適用される。図３５に示されるように、第二の装置は：プロセッサ３５０１と、第一のインターフェース回路３５０２と、第二のインターフェース回路３５０３と、メモリ３５０４と、バス３５０５とを含む。前記プロセッサ３５０１、前記第一のインターフェース回路３５０２、前記第二のインターフェース回路３５０３および前記メモリ３５０４は、前記バス３５０５を使って接続され、相互通信を実装する。前記プロセッサ３５０１は、下記の動作を実行するよう前記第一のインターフェース回路３５０２および、前記第二のインターフェース回路３５０３を制御するための前記メモリ３５０４内のプログラム・コードを実行するよう構成される：
前記第一のインターフェース回路３５０２によって、第一の装置から測定結果を受信する段階であって、前記測定結果は、測定された電波資源および／または測定された電波信号に基づいて前記第一の装置によって生成される、段階と；
前記プロセッサ３５０１によって、前記測定結果に基づいて、前記第一の装置のデータ送信範囲を判別する段階と；
前記第二のインターフェース回路３５０３によって、第一のメッセージを送るために前記送信範囲に基づいて適正なセルを選択する段階。
【０５３５】
本発明のこの実施形態における第二の装置は、図１９に示される方法手順を実行するよう構成されてもよい。よって、第二の装置によって得られる技術的効果については、図１９において示した方法実施形態を参照されたい。本発明のこの実施形態において詳細を繰り返すことはしない。
【０５３６】
例が提供される。前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０５３７】
例が提供される。前記第一のインターフェース回路３５０２は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０５３８】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０５３９】
例が提供される。前記第一のインターフェース回路３５０２は具体的には、前記第一の装置の移動性情報を、UU‐サイドリンク変換プロセスにおいて送るよう構成される。UUは端末とネットワークの間のリンクであり、サイドリンクは装置対装置のリンクである。
【０５４０】
例が提供される。前記第一のインターフェース回路３５０２は具体的には、前記測定結果および／または前記第一の装置の位置情報を前記第一の装置から受信するよう構成される。
【０５４１】
例が提供される。前記第一のインターフェース回路３５０２は具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０５４２】
例が提供される。前記第一のインターフェース回路３５０２は具体的には、前記測定結果および／または前記第一の装置の位置情報を前記第一の装置から定期的に受信するよう構成される。
【０５４３】
例が提供される。前記移動性情報はさらに、V2Xメッセージ型情報および／または前記第一の装置のV2Xメッセージ送信距離情報を含む。
【０５４４】
例が提供される。前記第一のインターフェース回路３５０２は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０５４５】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０５４６】
本稿におけるプロセッサ３５０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（英語全称：digital  signal  processor、略DSP）または一つまたは複数のフィールドプログラマブルゲートアレイ（英語全称：field  programmable  gate  array、略FPGA）であってもよい。
【０５４７】
メモリ３５０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３５０４はランダムアクセスメモリ（英語全称：random  access  memory、略RAM）を含んでいてもよく、あるいは不揮発性メモリ（英語全称：non-volatile  memory、略NVRAM）、たとえば磁気ディスクメモリまたはフラッシュメモリ（Flash）を含んでいてもよい。
【０５４８】
バス３５０５は、業界標準アーキテクチャー（英語全称：industry  standard  architecture、略ISA）バス、周辺コンポーネント相互接続（英語全称：peripheral  component  interconnect、略PCI）バス、拡張業界標準アーキテクチャー（英語全称：extended  industry  standard  architecture、略EISA）バスなどでありうる。バス３５０５は、アドレス・バス、データ・バス、制御バスなどに分類されてもよい。図３５では表現の簡単のため、バス３５０５はただ一つの太線を使って表わされているが、これはただ一つのバスまたは一つの型のバスしかないことを意味するものではない。
【０５４９】
プロセッサ３５０１は、第一のインターフェース回路３５０２および第二のインターフェース回路３５０３と一緒に図１９に示される方法実施形態において提供される方法を実行するためのメモリ内のプログラム・コードを実行するよう構成される。
【０５５０】
具体的には、第一のインターフェース回路３５０２は、図１９に示される実施形態における第二の装置の受信ユニットの機能を実行するよう構成される。
【０５５１】
第二のインターフェース回路３５０３は、図１９に示される実施形態における第二の装置の送信ユニットの機能を実行するよう構成される。
【０５５２】
本発明のこの実施形態における第二の装置は、図１９に示される方法手順を実行するよう構成されてもよい。よって、第二の装置によって得られる技術的効果については、図１９において示した方法実施形態を参照されたい。本発明のこの実施形態において詳細を繰り返すことはしない。
【０５５３】
上記の諸プロセスにおける逐次番号は本発明のさまざまな実施形態における実行順を意味するものではないことを理解しておくべきである。プロセスの実行順は、プロセスの機能および内部論理に従って決定されるべきであり、本発明の実施形態の実装プロセスに対するいかなる限定としても解釈されるべきではない。
【０５５４】
当業者は、本明細書において開示される実施形態において記述される例との組み合わせにおいて、ユニットおよびアルゴリズム段階が電子的なハードウェアまたはコンピュータ・ソフトウェアと電子的なハードウェアとの組み合わせによって実装されうることを認識しうる。機能がハードウェアまたはソフトウェアのどちらによって実行されるかは、技術的解決策の具体的な用途および設計制約条件に依存する。当業者は、それぞれの具体的な応用のために上記の記載された機能を実装するために種々の方法を使用しうるが、かかる実装が本発明の範囲外であると考えるべきではない。
【０５５５】
当業者には、簡明な記述を目的として、上記のシステム、装置およびユニットの詳細な作動プロセスについて、先行する方法実施形態における対応するプロセスが参照されることがあり、詳細が本稿で再び記載されていないことが明瞭に理解されうる。
【０５５６】
本願で提供されるいくつかの実施形態では、開示されるシステム、装置および方法は他の仕方で実装されてもよいことは理解しておくべきである。たとえば、ユニットの分割は単に論理的な機能の分割であり、実際の実装では他の分割であってもよい。たとえば、複数のユニットまたはコンポーネントが組み合わされたり、あるいは別のシステムに統合されたりしてもよく、あるいはいくつかの特徴が無視されたり、あるいは実行されなかったりしてもよい。さらに、表示されるまたは論じられる相互の結合または直接結合または通信接続は、いくつかのインターフェースを通じて実装されてもよい。装置またはユニット間の間接的な結合または通信接続は、電子的、機械的または他の形で実装されうる。
【０５５７】
別個の部分として記載されるユニットは物理的に別個であってもなくてもよい。ユニットとして表示される部分は物理的なユニットであってもなくてもよく、一つの位置に位置していてもよく、あるいは複数のネットワーク・ユニット上に分散されていてもよい。それらのユニットの一部または全部は、実施形態の解決策の目的を達成するために実際の要件に従って選択されうる。
【０５５８】
さらに、本発明の実施形態における機能ユニットは、一つの処理ユニットに統合されてもよく、あるいは各ユニットが物理的に担体で存在していてもよく、あるいは二つ以上のユニットが一つのユニットに統合される。
【０５５９】
機能がソフトウェア機能ユニットの形で実装され、独立したプロダクトとして販売または使用されるときは、それらの機能はコンピュータ可読記憶媒体において記憶されてもよい。そのような理解に基づいて、本発明の技術的解決策は、本質的には、あるいは従来技術に貢献する部分または技術的解決策の一部は、ソフトウェア・プロダクトの形で実装されてもよい。コンピュータ・ソフトウェア・プロダクトは記憶媒体に記憶され、本発明の実施形態において記載された方法の段階の全部または一部を実行するようコンピュータ装置（これはパーソナル・コンピュータ、サーバー、ネットワーク装置などでありうる）に命令するためのいくつかの命令を含む。上記の記憶媒体は、プログラム・コードを記憶することのできる任意の媒体、たとえばUSBフラッシュドライブ、リムーバブルハードディスク、読み出し専用メモリ（英語全称：read-only  memory、略ROM）、ランダムアクセスメモリ（英語全称：random  access  memory、略RAM）、磁気ディスクまたは光ディスクを含む。
【０５６０】
上記の記述は単に本発明の具体的実装であり、本発明の保護範囲を限定することは意図されていない。本発明において開示されている技術的範囲内で当業者によって容易に割り出されるいかなる変形または置換も、本発明の保護範囲内にはいる。したがって、本発明の保護範囲は、請求項の保護範囲に従う。
【図１】
2019520733.tif 000003
【図２】
2019520733.tif 000004
【図３】
2019520733.tif 000005
【図４】
2019520733.tif 000006
【図５】
2019520733.tif 000007
【図６】
2019520733.tif 000008
【図７】
2019520733.tif 000009
【図８】
2019520733.tif 000010
【図９】
2019520733.tif 000011
【図１０】
2019520733.tif 000012
【図１１】
2019520733.tif 000013
【図１２】
2019520733.tif 000014
【図１３】
2019520733.tif 000015
【図１４】
2019520733.tif 000016
【図１５】
2019520733.tif 000017
【図１６】
2019520733.tif 000018
【図１７】
2019520733.tif 000019
【図１８】
2019520733.tif 000020
【図１９】
2019520733.tif 000021
【図２０】
2019520733.tif 000022
【図２１】
2019520733.tif 000023
【図２２】
2019520733.tif 000024
【図２３】
2019520733.tif 000025
【図２４】
2019520733.tif 000026
【図２５】
2019520733.tif 000027
【図２６】
2019520733.tif 000028
【図２７】
2019520733.tif 000029
【図２８】
2019520733.tif 000030
【図２９】
2019520733.tif 000031
【図３０】
2019520733.tif 000032
【図３１】
2019520733.tif 000033
【図３２】
2019520733.tif 000034
【図３３】
2019520733.tif 000035
【図３４】
2019520733.tif 000036
【図３５】
2019520733.tif 000037
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
スケジューリング方法であって、当該方法は：
第一の装置によって第二の装置から半持続的スケジューリング（SPS）構成情報を受信する段階であって、前記SPS構成情報はSPS資源構成を示すために使われ、該SPS資源構成は一つまたは複数のSPS資源を含む、段階と；
前記第一の装置によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第一の装置によって前記第二の装置にSPS命令情報を送る段階であって、前記SPS命令情報は、前記有効化されたSPS資源のSPS資源を使うまたは使わないことを命令するために使われる、段階とを含む、
方法。
【請求項２】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項１記載の方法。
【請求項３】
当該方法がさらに：
前記第一の装置によって、前記第二の装置からSPS解放情報を受信する段階を含み、前記SPS解放情報は、前記有効化されたSPS資源の一部または全部のスケジューリング資源を解放することを命令するために使われる、
請求項２記載の方法。
【請求項４】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項１ないし３のうちいずれか一項記載の方法。
【請求項５】
前記SPSがネットワークと端末の間で、または端末間で使われる、
請求項１ないし４のうちいずれか一項記載の方法。
【請求項６】
スケジューリング方法であって、当該方法は：
第二の装置によって第一の装置に半持続的スケジューリング（SPS）構成情報を送る段階であって、前記SPS構成情報はSPS資源構成を示すために使われ、該SPS資源構成は一つまたは複数のSPS資源を含む、段階と；
前記第二の装置によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二の装置によって、前記第一の装置からSPS命令情報を受信する段階であって、前記SPS命令情報は、前記有効化されたSPS資源のSPS資源を使うまたは使わないことを命令するために使われる、段階とを含む、
方法。
【請求項７】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項６記載の方法。
【請求項８】
当該方法がさらに：
前記第二の装置によってSPS解放情報を決定する段階であって、前記SPS解放情報は、前記有効化されたSPS資源の一部または全部のスケジューリング資源を解放することを命令するために使われる、段階と；
前記第二の装置によって前記第一の装置に前記SPS解放情報を送る段階とを含む、
請求項７記載の方法。
【請求項９】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項６ないし８のうちいずれか一項記載の方法。
【請求項１０】
前記SPSがネットワークと端末の間または端末間で使われる、請求項６ないし９のうちいずれか一項記載の方法。
【請求項１１】
第一の装置であって、当該装置は：
第二の装置から半持続的スケジューリング（SPS）構成情報を受信するよう構成された受信ユニットであって、前記SPS構成情報はSPS資源構成を示すために使われ、該SPS資源構成は一つまたは複数のSPS資源を含み；
前記受信ユニットはさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置にSPS命令情報を送るよう構成された送信ユニットであって、前記SPS命令情報は、前記有効化されたSPS資源のSPS資源を使うまたは使わないことを命令するために使われる、送信ユニットとを有する、
装置。
【請求項１２】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項１１記載の装置。
【請求項１３】
前記受信ユニットはさらに：
前記第二の装置からSPS解放情報を受信するよう構成され、前記SPS解放情報は、前記有効化されたSPS資源の一部または全部のスケジューリング資源を解放することを命令するために使われる、
請求項１２記載の装置。
【請求項１４】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項１１ないし１３のうちいずれか一項記載の装置。
【請求項１５】
前記SPSは、ネットワークと端末の間でまたは端末間で使われる、
請求項１１ないし１４のうちいずれか一項記載の装置。
【請求項１６】
第二の装置であって、当該第二の装置は：
第一の装置に半持続的スケジューリング（SPS）構成情報を送るよう構成された送信ユニットであって、前記SPS構成情報はSPS資源構成を示すために使われ、該SPS資源構成は一つまたは複数のSPS資源を含み；
前記送信ユニットはさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニットであって、前記SPS命令情報は、前記有効化されたSPS資源のSPS資源を使うまたは使わないことを命令するために使われる、受信ユニットとを有する、
装置。
【請求項１７】
前記SPS資源構成は、下記、すなわち：
m個の利用可能なスケジューリング資源をもつSPSスケジューリング間隔；または
M個のSPSスケジューリング間隔、
のうちの少なくとも一つまたは組み合わせを含む、請求項１６記載の装置。
【請求項１８】
前記処理ユニットはさらに、SPS解放情報を決定するよう構成され、前記SPS解放情報は、前記有効化されたSPS資源の一部または全部のスケジューリング資源を解放することを命令するために使われ；
前記送信ユニットはさらに、前記第一の装置に前記SPS解放情報を送るよう構成される、
請求項１７記載の装置。
【請求項１９】
前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む、
請求項１６ないし１８のうちいずれか一項記載の装置。
【請求項２０】
前記SPSは、ネットワークと端末の間でまたは端末間で使われる、
請求項１６ないし１９のうちいずれか一項記載の装置。
【請求項２１】
コンピュータに請求項１ないし５のうちいずれか一項記載の方法を実行させるプログラムが記録されているコンピュータ可読記憶媒体。
【請求項２２】
コンピュータに請求項１ないし５のうちいずれか一項記載の方法を実行させるプログラム。
【請求項２３】
コンピュータに請求項６ないし１０のうちいずれか一項記載の方法を実行させるプログラムが記録されているコンピュータ可読記憶媒体。
【請求項２４】
コンピュータに請求項６ないし１０のうちいずれか一項記載の方法を実行させるプログラム。

【手続補正２】
【補正対象書類名】明細書
【補正対象項目名】全文
【補正方法】変更
【補正の内容】
【発明の詳細な説明】
【技術分野】
【０００１】
本発明は、無線通信分野に、詳細にはスケジューリング方法、装置およびシステムに関する。
【背景技術】
【０００２】
現在、LTEネットワークは車両のインターネット通信に導入されている。車両に通信ノードが配置され、このノードが車両の内部と外部の間の通信のために使われる。図１を参照するに、具体的には車両対車両通信、車両対ネットワーク通信および車両対歩行者通信が含まれてもよく、本稿ではまとめて車両対X（vehicle  to  X、V2X）通信と称される。「車両のインターネット」通信の間、通信ノードによって送られるメッセージは、「車両のインターネット」自身の動作特性に密接に関係している。これらのメッセージのいくつかは、定期的な送信の特性、たとえば規則的な間隔での固定した屈曲における速度制限のようなブロードキャスト情報をもつ。
【０００３】
指定された期間にノードによって諸メッセージが送られることを考えると、ノードが上りリンク資源上でメッセージを送るときに使われる資源位置を示すために物理的下りリンク制御チャネル（physical  downlink  control  channel、PDCCH）上で下りリンク制御情報（downlink  control  information、DCI）が頻繁に送られるのを避けるため、ノードが上りリンク資源上でメッセージを送るときに使用されるべき資源位置を前もって示すいくつかの方法が従来技術において使われている。
【０００４】
たとえば、PDCCH上でDCIを使って上りリンク資源を割り当てるまたは指定するために半持続的スケジューリング（semi-persistent  scheduling、SPS）機能が使われ、すると、ノードは定期的にメッセージを送るために、同じ上りリンクの時間周波数資源を繰り返し使う。しかしながら、V2Xサービスは絶対的に周期的ではないので、ノードは突然データを送ることがある。図２を参照するに、突然ノードによって送られたデータに応答するために短すぎるSPSスケジューリング間隔が設定される場合、余計な上りリンク承認資源が無駄にされる。
【０００５】
さらに、ノードは、知覚されるトラフィック条件についての情報を、V2Xメッセージの形でネットワーク側に送る。このV2Xメッセージを受信した後、ネットワーク側は、セル内の別のノードにサービスするための適正なセルを選択するよう、このV2Xメッセージのカバレッジ・エリアを知る必要がある。図３を参照するに、ノードのはたらきをするUE1は知覚されたトラフィック条件をネットワーク側のeNB1にV2Xメッセージの形で送り、ネットワーク側にあるeNB1およびeNB2は互いと通信し、eNB2もUE1によって知覚されたトラフィック条件を知る。この場合、トラフィック条件をサービスされるノードにブロードキャストするとき、eNB2は、トラフィック条件が、UE1の測定カバレッジ・エリア内にあるUE2のために有用なだけであり、トラフィック条件を比較的長い距離のところにあるUE3には送るべきではないことを判別する必要がある。
【発明の概要】
【０００６】
本発明の実施形態は、比較的短いスケジューリング間隔をもつSPS送信がV2Xサービスに適用されるときにスケジューリング資源が浪費されるという問題を解決するためのスケジューリング方法、装置およびシステムを提供する。
【０００７】
上記の目的を達成するために、本発明の実施形態では、以下の技術的解決策が使われる。
【０００８】
第一の側面によれば、スケジューリング方法が提供され、当該方法は：
第一の装置によって第二の装置から半持続的スケジューリングSPS構成情報を受信する段階であって、前記SPS構成情報は前記第二の装置によって使われるSPS資源構成を示すために使われる、段階と；
前記第一の装置によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第一の装置によって前記第二の装置にSPS命令情報を送る段階であって、前記SPS命令情報は、前記有効化されたSPS資源のスケジューリング資源を使うまたは使わないことを命令するために使われる、段階とを含む。
【０００９】
本発明において提供されるスケジューリング方法では、第一の装置は、第二の装置からSPS構成情報を受信し、第二の装置からSPS有効化情報を受信した後に、SPS命令情報を第二の装置に送る。SPS構成情報は第二の装置によって使われるSPS資源構成を示すために使われ、SPS有効化情報は有効化されたSPS資源を示すために使われ、該有効化されたSPS資源は前記SPS資源構成における一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００１０】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００１１】
ある可能な設計では、SPS資源構成がm個の利用可能なスケジューリング資源をもつSPSスケジューリング間隔であるとき、本方法はさらに、下記のうちの少なくとも一つまたは組み合わせを含む：
SPS-CRNTIを使ってスクランブルされたDCIに基づいて現在サブフレームにおいて決定されたULグラント（grant）資源を、前記第一の装置によって、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記第一の装置によって、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを前記第一の装置によって使って、前記m個の利用可能なスケジューリング資源のうちの一つまたは複数を有効化する。
【００１２】
この実装を使うことによって、スケジューリング間隔における複数のスケジューリング資源が柔軟に有効化されることができる。
【００１３】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００１４】
この実装を使うことによって、前記M個のSPSスケジューリング間隔におけるスケジューリング資源が柔軟に有効化および無効化されることができる。
【００１５】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００１６】
この実装では、第一の装置は第二の装置に、使われるまたは使われないスケジューリング資源を指示することができる。
【００１７】
ある可能な設計では、前記時間窓は、前記第一の装置によって前記第二の装置に送られる；または
前記時間窓は、前記第二の装置によって前記第一の装置に送られる。
【００１８】
ある可能な設計では、本方法はさらに：
前記第一の装置によってSPS解放情報を決定する段階であって、前記SPS解放情報は、有効化されたSPS資源のうちの一部または全部のスケジューリング資源を解放することを命令するために使われる、段階と；
前記第一の装置によって、前記SPS解放情報を前記第二の装置に送る段階とを含む。
【００１９】
この実装では、第一の装置は、有効化されたSPS資源のうちの一部または全部のスケジューリング資源を解放することを命令することができる。
【００２０】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【００２１】
ある可能な設計では、本方法はさらに：
この実装を使うことによって、異なるSPS資源構成におけるスケジューリング資源が解放されることができる。
前記第一の装置によって、前記第二の装置からSPS解放情報を受信することを含み、前記SPS解放情報は、有効化されたSPS資源の一部または全部のスケジューリング資源を解放することを命令するために使われる。
【００２２】
この実装では、第二の装置は有効化されたSPS資源の一部または全部のスケジューリング資源を解放することを命令することができる。
【００２３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【００２４】
この実装を使うことによって、M個のSPSスケジューリング間隔のうちの異なるスケジューリング間隔におけるスケジューリング資源が解放されることができる。
【００２５】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【００２６】
ある可能な設計では、前記SPSは、ネットワークと端末の間でまたは端末間で使われる。
【００２７】
第二の側面によれば、スケジューリング方法が提供され、当該方法は：
第二の装置によって第一の装置に半持続的スケジューリングSPS構成情報を送る段階であって、前記SPS構成情報は前記第二の装置によって使われるSPS資源構成を示すために使われる、段階と；
前記第二の装置によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二の装置によって、前記第一の装置からSPS命令情報を受信する段階であって、前記SPS命令情報は、前記有効化されたSPS資源のスケジューリング資源を使うまたは使わないことを命令するために使われる、段階とを含む。
【００２８】
本発明において提供されるスケジューリング方法では、第二の装置が第一の装置にSPS構成情報を送り、第一の装置はSPS構成情報を受信した後に、しかるべく対応するSPS資源構成を使う；第二の装置は、前記SPS資源構成における有効化されたSPS資源を示すよう、第一の装置にSPS有効化情報を送る；その後、第二の装置は第一の装置からSPS命令情報を受信する。SPS構成情報は第二の装置によって使われるSPS資源構成を示すために使われ、SPS有効化情報は有効化されたSPS資源を示すために使われ、該有効化されたSPS資源は前記SPS資源構成における前記一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００２９】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００３０】
ある可能な設計では、SPS資源構成がm個の利用可能なスケジューリング資源をもつSPSスケジューリング間隔であるとき、本方法はさらに、下記のうちの少なくとも一つまたは組み合わせを含む：
SPS-CRNTIを使ってスクランブルされたDCIに基づいて現在サブフレームにおいて決定されたULグラント（grant）資源を、前記第二の装置によって、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記第二の装置によって、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを前記第二の装置によって使って、前記m個の利用可能なスケジューリング資源のうちの一つまたは複数を有効化する。
【００３１】
この実装を使うことによって、スケジューリング間隔における複数のスケジューリング資源が柔軟に有効化されることができる。
【００３２】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００３３】
この実装を使うことによって、前記M個のSPSスケジューリング間隔におけるスケジューリング資源が柔軟に有効化および無効化されることができる。
【００３４】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００３５】
この実装では、第一の装置は第二の装置に、使われるまたは使われないスケジューリング資源を指示することができる。
【００３６】
ある可能な設計では、前記時間窓は、前記第一の装置によって前記第二の装置に送られる；または
前記時間窓は、前記第二の装置によって前記第一の装置に送られる。
【００３７】
ある可能な設計では、本方法はさらに：
前記第二の装置によって、前記第一の装置からSPS解放情報を受信する段階であって、前記SPS解放情報は、有効化されたSPS資源のうちの一部または全部のスケジューリング資源を解放することを命令するために使われる、段階を含む。
【００３８】
この実装では、第一の装置は、有効化されたSPS資源のうちの一部または全部のスケジューリング資源を解放することを命令することができる。
【００３９】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【００４０】
この実装を使うことによって、異なるSPS資源構成におけるスケジューリング資源が解放されることができる。
【００４１】
ある可能な設計では、本方法はさらに：
前記第二の装置によってSPS解放情報を決定する段階であって、前記SPS解放情報は、有効化されたSPS資源の一部または全部のスケジューリング資源を解放することを命令するために使われる、段階と；
前記第二の装置によって前記第一の装置に前記SPS解放情報を送る段階とを含む。
【００４２】
この実装では、第二の装置は有効化されたSPS資源の一部または全部のスケジューリング資源を解放することを命令することができる。
【００４３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【００４４】
この実装を使うことによって、M個のSPSスケジューリング間隔のうちの異なるスケジューリング間隔におけるスケジューリング資源が解放されることができる。
【００４５】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【００４６】
ある可能な設計では、前記SPSは、ネットワークと端末の間でまたは端末間で使われる。
【００４７】
第三の側面によれば、スケジューリング方法が提供される。本方法は、車両対万物V2X通信に適用され：
第一の装置によって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一の装置によって、決定された前記RAプリアンブル・シーケンスおよび／または前記RAプリアンブル・シーケンスの電波資源に基づいて、第二の装置へのランダムアクセスを開始する段階とを含む。
【００４８】
本発明において提供されるスケジューリング方法によれば、第一の装置は、サービス要件および／またはサービスのメッセージ型に基づいて、ランダムアクセスRAプリアンブル・シーケンスおよび／または前記RAプリアンブル・シーケンスの電波資源を使うことを決定し、次いで、決定された前記RAプリアンブル・シーケンスおよび／または前記RAプリアンブル・シーケンスの電波資源に基づいて、第二の装置へのランダムアクセスを開始する。ここで、前記RAプリアンブル・シーケンスおよび／または前記RAプリアンブル・シーケンスの電波資源は、第一の装置のデータのサービス要件および／またはメッセージ型を示すために使われる。よって、本発明では、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【００４９】
ある可能な設計では、前記サービス要件はさらに、時間要件および／またはレート要件を含む。
【００５０】
ある可能な設計では、第一の装置によって、サービス要件および／またはV2Xサービスのメッセージ型に基づいて、RAプリアンブル・シーケンスおよび／または前記RAプリアンブル・シーケンスの電波資源を使うことを決定する前に、本方法は：
前記第一の装置によって前記第二の装置から、前記RAプリアンブル・シーケンスおよび／または前記RAプリアンブル・シーケンスの電波資源を受信することを含む。
【００５１】
ある可能な設計では、次の条件が満たされるとき、前記第一の装置は、サービス要件および／またはサービスのメッセージ型に基づいて、ランダムアクセスRAプリアンブル・シーケンスおよび／または前記RAプリアンブル・シーケンスの電波資源を使うことを決定する：
V2Xサービスがある、または前記第一の装置が計算を通じて、スケジューリング要求SRがV2Xサービスのサービス要件を満たさないことを見出す。
【００５２】
この実装を使うことによって、V2Xサービスのサービス要件は、比較的短い遅延で満たされることができる。
【００５３】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【００５４】
ある可能な設計では、サービスのサービス要件は、V2Xサービスのサービス要件を含む。
【００５５】
第四の側面によれば、スケジューリング方法が提供される。本方法は、車両対万物V2X通信に適用され：
第二の装置によって、第一の装置からランダムアクセスを受信する段階と；
前記第二の装置によって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階とを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【００５６】
本発明において提供されるスケジューリング方法によれば、第二の装置は、第一の装置からランダムアクセスを受け、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。RAプリアンブル・シーケンスおよび／または前記RAプリアンブル・シーケンスの電波資源は、サービスのサービス要件および／またはメッセージ型に基づいて第一の装置によって決定され、第一の装置のデータのサービス要件および／またはメッセージ型を示すために使われる。よって、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【００５７】
ある可能な設計では、前記サービス要件はさらに、時間要件および／またはレート要件を含む。
【００５８】
ある可能な設計では、第二の装置によって第一の装置からランダムアクセスを受ける前に、本方法はさらに：
前記第二の装置によって前記第一の装置に、前記RAプリアンブル・シーケンスおよび／または前記RAプリアンブル・シーケンスの電波資源を送ることを含む。
【００５９】
ある可能な設計では、次の条件が満たされるとき、前記第二の装置は前記第一の装置からランダムアクセスを受ける：
V2Xサービスがある、または前記第一の装置が計算を通じて、スケジューリング要求SRがV2Xサービスのサービス要件を満たさないことを見出す。
【００６０】
この実装を使うことによって、V2Xサービスのサービス要件は、比較的短い遅延で満たされることができる。
【００６１】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【００６２】
ある可能な設計では、サービスのサービス要件は、V2Xサービスのサービス要件を含む。
【００６３】
第五の側面によれば、スケジューリング方法が提供される。本方法は、車両対万物V2X通信に適用され：
第一の装置によって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一の装置によって、前記測定結果を前記第二の装置に送る段階とを含む。
【００６４】
本発明において提供されるスケジューリング方法によれば、第一の装置は、電波資源および／または電波信号を測定して測定結果を生成し、次いで測定結果を第二の装置に送る。ここで、測定結果は、第二の装置に、第一の装置のデータ送信範囲を判別して、第一のメッセージを送るために前記送信範囲に基づいて適正なセルを選択することを命令するために使われる。換言すれば、第一の装置は第二の装置に、前記データ送信範囲を示す前記測定結果を送ってもよく、それにより第二の装置は、前記データ送信範囲を判別して、第一のメッセージを送るために前記データ送信範囲に基づいて適正なセルを選択しうる。これは、第二の装置が第一の装置からデータ送信範囲を得ることができないという問題を解決する。
【００６５】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【００６６】
ある可能な設計では、前記第一の装置によって、前記測定結果を前記第二の装置に送ることは、下記のうちの一方を含む：
V2Xサービスが開始される前に、前記第一の装置によって、前記指定されたセルの前記測定結果を前記第二の装置に送る；または
V2Xサービスが開始された後に、前記第一の装置によって、前記指定されたセルの前記測定結果を前記第二の装置に送る。
【００６７】
この実装では、前記第一の装置のデータ送信範囲は、異なるV2Xサービス時間において決定されることができる。
【００６８】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【００６９】
ある可能な設計では、前記第一の装置によって、前記測定結果を前記第二の装置に送ることは：
前記第一の装置によって、前記第一の装置の移動性情報を、UU‐サイドリンク変換プロセスにおいて送ることを含み、UUは端末とネットワークの間のリンクであり、サイドリンクは装置対装置のリンクである。
【００７０】
ある可能な設計では、前記第一の装置によって、前記測定結果を前記第二の装置に送ることは：
前記第一の装置によって、前記測定結果および／または前記第一の装置の位置情報を前記第二の装置に送ることを含む。
【００７１】
ある可能な設計では、下記の条件のうちのいずれかが満たされるとき、前記第一の装置は前記測定結果および／または前記第一の装置の位置情報を前記第二の装置に送る：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【００７２】
ある可能な設計では、前記第一の装置によって、前記測定結果および／または前記第一の装置の位置情報を前記第二の装置に送ることは：
前記第一の装置によって、前記測定結果および／または前記第一の装置の位置情報を前記第二の装置に定期的に送ることを含む。
【００７３】
ある可能な設計では、前記移動性情報はさらに、V2Xメッセージ型情報および／または前記第一の装置のV2Xメッセージ送信距離情報を含む。
【００７４】
ある可能な設計では、前記第一の装置によって、前記測定結果を前記第二の装置に送ることは：
前記第一の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送ることを含む。
【００７５】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【００７６】
第六の側面によれば、スケジューリング方法が提供される。本方法は、車両対万物V2X通信に適用され：
第二の装置によって、第一の装置から測定結果を受信する段階であって、前記測定結果は、測定された電波資源および／または測定された電波信号に基づいて前記第一の装置によって生成される、段階と；
前記第二の装置によって、前記測定結果に基づいて、前記第一の装置のデータ送信範囲を判別する段階と；
前記第二の装置によって、第一のメッセージを送るために前記送信範囲に基づいて適正なセルを選択する段階とを含む。
【００７７】
本発明において提供されるスケジューリング方法によれば、第二の装置は、第一の装置から測定結果を受信し、前記測定結果に基づいて、第一の装置のデータ送信範囲を判別し、第一のメッセージを送るために前記送信範囲に基づいて適正なセルを選択する。前記測定結果は、測定された電波資源および／または電波信号に基づいて第一の装置によって生成される。これは、第二の装置が第一の装置からデータ送信範囲を得ることができないという問題を解決する。
【００７８】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【００７９】
ある可能な設計では、第二の装置によって、第一の装置から測定結果を受信することは、下記のうちの一方を含む：
V2Xサービスが開始される前に、前記第二の装置によって前記第一の装置から、前記指定されたセルの前記測定結果を受信する；または
V2Xサービスが開始された後に、前記第二の装置によって前記第一の装置から、前記指定されたセルの前記測定結果を受信する。
【００８０】
この実装では、前記第一の装置のデータ送信範囲は、前記V2Xサービスが開始される前または後に決定されることができる。
【００８１】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【００８２】
ある可能な設計では、第二の装置によって、第一の装置から測定結果を受信することは：
前記第二の装置によって、前記第一の装置の移動性情報を、UU‐サイドリンク変換プロセスにおいて受信することを含み、UUは端末とネットワークの間のリンクであり、サイドリンクは装置対装置のリンクである。
【００８３】
ある可能な設計では、第二の装置によって、第一の装置から測定結果を受信することは：
前記第二の装置によって、前記測定結果および／または前記第一の装置の位置情報を前記第一の装置から受信することを含む。
【００８４】
ある可能な設計では、下記の条件のうちのいずれかが満たされるとき、前記第二の装置は前記測定結果および／または前記第一の装置の位置情報を前記第一の装置から受信する：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【００８５】
ある可能な設計では、前記第二の装置によって、前記測定結果および／または前記第一の装置の位置情報を前記第一の装置から受信することは：
前記第二の装置によって、前記測定結果および／または前記第一の装置の位置情報を前記第一の装置から定期的に受信することを含む。
【００８６】
ある可能な設計では、前記移動性情報はさらに、V2Xメッセージ型情報および／または前記第一の装置のV2Xメッセージ送信距離情報を含む。
【００８７】
ある可能な設計では、前記第二の装置によって、第一の装置から測定結果を受信することは：
前記第二の装置によって、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信することを含む。
【００８８】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【００８９】
第七の側面によれば、第一の装置が提供され、当該第一の装置は：
第二の装置から半持続的スケジューリングSPS構成情報を受信するよう構成された受信ユニットであって、前記SPS構成情報は前記第二の装置によって使われるSPS資源構成を示すために使われ；
前記受信ユニットはさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置にSPS命令情報を送るよう構成された送信ユニットであって、前記SPS命令情報は、前記有効化されたSPS資源のスケジューリング資源を使うまたは使わないことを命令するために使われる、送信ユニットとを含む。
【００９０】
本発明において提供される第一の装置は、第二の装置からSPS構成情報を受信し、第二の装置からSPS有効化情報を受信した後に、SPS命令情報を第二の装置に送る。SPS構成情報は第二の装置によって使われるSPS資源構成を示すために使われ、SPS有効化情報は有効化されたSPS資源を示すために使われ、該有効化されたSPS資源は前記SPS資源構成における一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【００９１】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【００９２】
ある可能な設計では、第一の装置はさらに処理ユニットを含み、該処理ユニットは：SPS資源構成がm個の利用可能なスケジューリング資源をもつSPSスケジューリング間隔であるとき、下記のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【００９３】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【００９４】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【００９５】
ある可能な設計では、前記時間窓は、前記送信ユニットによって前記第二の装置に送られる；または
前記時間窓は、前記第二の装置によって前記受信ユニットに送られる。
【００９６】
ある可能な設計では、前記処理ユニットはさらに、SPS解放情報を決定するよう構成され、前記SPS解放情報は、有効化されたSPS資源のうちの一部または全部のスケジューリング資源を解放することを命令するために使われ；
前記送信ユニットはさらに、前記SPS解放情報を前記第二の装置に送るよう構成される。
【００９７】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【００９８】
ある可能な設計では、前記受信ユニットはさらに、前記第二の装置からSPS解放情報を受信するよう構成され、前記SPS解放情報は、有効化されたSPS資源の一部または全部のスケジューリング資源を解放することを命令するために使われる。
【００９９】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１００】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１０１】
ある可能な設計では、前記SPSは、ネットワークと端末の間でまたは端末間で使われる。
【０１０２】
本発明のこの実施形態における第一の装置は、第一の側面において記載された方法手順を実行するよう構成されてもよい。よって、第一の装置がもつことのできる技術的効果については、第一の側面において記載された方法実施形態を参照されたい。本発明のこの実施形態において詳細を繰り返すことはしない。
【０１０３】
第八の側面によれば、第二の装置が提供され、当該第二の装置は：
第一の装置に半持続的スケジューリングSPS構成情報を送るよう構成された送信ユニットであって、前記SPS構成情報は前記第二の装置によって使われるSPS資源構成を示すために使われ；
前記送信ユニットはさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニットであって、前記SPS命令情報は、前記有効化されたSPS資源のスケジューリング資源を使うまたは使わないことを命令するために使われる、受信ユニットとを含む。
【０１０４】
本発明において提供される第二の装置は、第一の装置にSPS構成情報を送り、第一の装置はSPS構成情報を受信した後に、しかるべく対応するSPS資源構成を使う；第二の装置は、前記SPS資源構成における有効化されたSPS資源を示すよう、第一の装置にSPS有効化情報を送る；その後、第二の装置は第一の装置からSPS命令情報を受信する。SPS構成情報は第二の装置によって使われるSPS資源構成を示すために使われ、SPS有効化情報は有効化されたSPS資源を示すために使われ、該有効化されたSPS資源は前記SPS資源構成における前記一つまたは複数のSPS資源であり、SPS命令情報は、有効化されたSPS資源のスケジューリング資源を使うまたは使わないことを命令するために使われる。したがって、本発明では、第二の装置は、第一の装置のために種々のSPS資源を構成し、第一の装置のためにそれらのSPS資源のうちの一つまたは複数を有効化してもよく、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当て、スケジューリング資源の利用率を最大化する。これは、比較的短いスケジューリング間隔をもつSPS送信がV2Xサービスに適用されるときにスケジューリング資源が無駄になるという問題を解決する。
【０１０５】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１０６】
ある可能な設計では、第二の装置はさらに処理ユニットを含み、該処理ユニットは：SPS資源構成がm個の利用可能なスケジューリング資源をもつSPSスケジューリング間隔であるとき、下記のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１０７】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１０８】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１０９】
ある可能な設計では、前記時間窓は、前記送信ユニットによって前記第二の装置に送られる；または
前記時間窓は、前記第二の装置によって前記受信ユニットに送られる。
【０１１０】
ある可能な設計では、前記受信ユニットはさらに、前記第一の装置からSPS解放情報を受信するよう構成され、前記SPS解放情報は、有効化されたSPS資源のうちの一部または全部のスケジューリング資源を解放することを命令するために使われる。
【０１１１】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０１１２】
ある可能な設計では、前記処理ユニットはさらに、SPS解放情報を決定するよう構成され、前記SPS解放情報は、有効化されたSPS資源の一部または全部のスケジューリング資源を解放することを命令するために使われ；
前記送信ユニットはさらに、前記第一の装置に前記SPS解放情報を送るよう構成される。
【０１１３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１１４】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１１５】
ある可能な設計では、前記SPSは、ネットワークと端末の間でまたは端末間で使われる。
【０１１６】
本発明のこの実施形態における第二の装置は、第二の側面において記載された方法手順を実行するよう構成されてもよい。よって、第二の装置によって得られる技術的効果については、第二の側面において記載された方法実施形態を参照されたい。本発明のこの実施形態において詳細を繰り返すことはしない。
【０１１７】
第九の側面によれば、第一の装置が提供される。当該第一の装置は、車両対万物V2X通信に適用され：
サービス要件および／またはサービスのメッセージ型に基づいて、ランダムアクセスRAプリアンブル・シーケンスおよび／または前記RAプリアンブル・シーケンスの電波資源を使うことを決定するよう構成された処理ユニットであって、前記RAプリアンブル・シーケンスおよび／または前記RAプリアンブル・シーケンスの電波資源は、前記第一の装置のデータのサービス要件および／またはメッセージ型を示すために使われる、処理ユニットと；
決定された前記RAプリアンブル・シーケンスおよび／または前記RAプリアンブル・シーケンスの電波資源に基づいて、第二の装置へのランダムアクセスを開始するよう構成された送信ユニットとを含む。
【０１１８】
本発明において提供される第一の装置は、サービス要件および／またはサービスのメッセージ型に基づいて、ランダムアクセスRAプリアンブル・シーケンスおよび／または前記RAプリアンブル・シーケンスの電波資源を使うことを決定し、次いで、決定された前記RAプリアンブル・シーケンスおよび／または前記RAプリアンブル・シーケンスの電波資源に基づいて、第二の装置へのランダムアクセスを開始する。ここで、前記RAプリアンブル・シーケンスおよび／または前記RAプリアンブル・シーケンスの電波資源は、第一の装置のデータのサービス要件および／またはメッセージ型を示すために使われる。よって、本発明では、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０１１９】
ある可能な設計では、前記サービス要件はさらに、時間要件および／またはレート要件を含む。
【０１２０】
ある可能な設計では、第一の装置はさらに受信ユニットを含み、該受信ユニットは、前記処理ユニットが、サービス要件および／またはV2Xサービスのメッセージ型に基づいて、RAプリアンブル・シーケンスおよび／または前記RAプリアンブル・シーケンスの電波資源を使うことを決定する前に、前記第二の装置から、前記RAプリアンブル・シーケンスおよび／または前記RAプリアンブル・シーケンスの電波資源を受信するよう構成される。
【０１２１】
ある可能な設計では、前記処理ユニットはさらに：V2Xサービスがある、または該処理ユニットが計算を通じて、スケジューリング要求SRがV2Xサービスのサービス要件を満たさないことを見出すときに、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０１２２】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１２３】
ある可能な設計では、サービスのサービス要件は、V2Xサービスのサービス要件を含む。
【０１２４】
本発明のこの実施形態における第一の装置は、第三の側面において記載された方法手順を実行するよう構成されてもよい。よって、第一の装置によって得られる技術的効果については、第三の側面において記載された方法実施形態を参照されたい。本発明のこの実施形態において詳細を繰り返すことはしない。
【０１２５】
第十の側面によれば、第二の装置が提供される。当該第二の装置は、車両対万物V2X通信に適用され：
第一の装置からランダムアクセスを受けるよう構成された受信ユニットと；
前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てるよう構成された処理ユニットとを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【０１２６】
本発明において提供される第二の装置は、第一の装置からランダムアクセスを受け、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。RAプリアンブル・シーケンスおよび／または前記RAプリアンブル・シーケンスの電波資源は、サービスのサービス要件および／またはメッセージ型に基づいて第一の装置によって決定され、第一の装置のデータのサービス要件および／またはメッセージ型を示すために使われる。よって、前記RAプリアンブル・シーケンスおよび／または前記RAプリアンブル・シーケンスの電波資源は、V2Xサービスのサービス要件またはサービス型にマッピングされうる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０１２７】
ある可能な設計では、前記サービス要件はさらに、時間要件および／またはレート要件を含む。
【０１２８】
ある可能な設計では、第二の装置はさらに：前記受信ユニットが第一の装置からランダムアクセスを受ける前に、前記第一の装置に、前記RAプリアンブル・シーケンスおよび／または前記RAプリアンブル・シーケンスの電波資源を送るよう構成された送信ユニットを含む。
【０１２９】
ある可能な設計では、前記受信ユニットはさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０１３０】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１３１】
ある可能な設計では、サービスのサービス要件は、V2Xサービスのサービス要件を含む。
【０１３２】
本発明のこの実施形態における第二の装置は、第四の側面において記載された方法手順を実行するよう構成されてもよい。よって、第二の装置によって得られる技術的効果については、第四の側面において記載された方法実施形態を参照されたい。本発明のこの実施形態において詳細を繰り返すことはしない。
【０１３３】
第十一の側面によれば、第一の装置が提供される。当該第一の装置は、車両対万物V2X通信に適用され：
電波資源および／または電波信号を測定して測定結果を生成するよう構成された処理ユニットであって、前記測定結果は、第二の装置に、前記第一の装置のデータ送信範囲を判別して、第一のメッセージを送るために前記送信範囲に基づいて適正なセルを選択することを命令するために使われる、処理ユニットと；
前記測定結果を前記第二の装置に送るよう構成された送信ユニットとを含む。
【０１３４】
本発明において提供される第一の装置は、電波資源および／または電波信号を測定して測定結果を生成し、次いで測定結果を第二の装置に送る。ここで、測定結果は、第二の装置に、第一の装置のデータ送信範囲を判別して、第一のメッセージを送るために前記送信範囲に基づいて適正なセルを選択することを命令するために使われる。換言すれば、第一の装置は第二の装置に、前記データ送信範囲を示す前記測定結果を送ってもよく、それにより第二の装置は、前記データ送信範囲を判別して、第一のメッセージを送るために前記データ送信範囲に基づいて適正なセルを選択しうる。これは、第二の装置が第一の装置からデータ送信範囲を得ることができないという問題を解決する。
【０１３５】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０１３６】
ある可能な設計では、前記送信ユニットは具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０１３７】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０１３８】
ある可能な設計では、前記送信ユニットは具体的には、前記第一の装置の移動性情報を、UU‐サイドリンク変換プロセスにおいて送るよう構成される。UUは端末とネットワークの間のリンクであり、サイドリンクは装置対装置のリンクである。
【０１３９】
ある可能な設計では、前記送信ユニットは具体的には、前記測定結果および／または前記第一の装置の位置情報を前記第二の装置に送るよう構成される。
【０１４０】
ある可能な設計では、前記送信ユニットは具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０１４１】
ある可能な設計では、前記送信ユニットは具体的には、前記測定結果および／または前記第一の装置の位置情報を前記第二の装置に定期的に送るよう構成される。
【０１４２】
ある可能な設計では、前記移動性情報はさらに、V2Xメッセージ型情報および／または前記第一の装置のV2Xメッセージ送信距離情報を含む。
【０１４３】
ある可能な設計では、前記送信ユニットは具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０１４４】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０１４５】
本発明のこの実施形態における第一の装置は、第五の側面において記載された方法手順を実行するよう構成されてもよい。よって、第一の装置によって得られる技術的効果については、第五の側面において記載された方法実施形態を参照されたい。本発明のこの実施形態において詳細を繰り返すことはしない。
【０１４６】
第十二の側面によれば、第二の装置が提供される。当該第二の装置は、車両対万物V2X通信に適用され：
第一の装置から測定結果を受信するよう構成された受信ユニットであって、前記測定結果は、測定された電波資源および／または測定された電波信号に基づいて前記第一の装置によって生成される、受信ユニットと；
前記測定結果に基づいて、前記第一の装置のデータ送信範囲を判別するよう構成された処理ユニットと；
第一のメッセージを送るために前記送信範囲に基づいて適正なセルを選択するよう構成された送信ユニットとを含む。
【０１４７】
本発明において提供される第二の装置は、第一の装置から測定結果を受信し、前記測定結果に基づいて、第一の装置のデータ送信範囲を判別し、第一のメッセージを送るために前記送信範囲に基づいて適正なセルを選択する。前記測定結果は、測定された電波資源および／または電波信号に基づいて第一の装置によって生成される。これは、第二の装置が第一の装置からデータ送信範囲を得ることができないという問題を解決する。
【０１４８】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０１４９】
ある可能な設計では、前記受信ユニットは具体的には、下記のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０１５０】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０１５１】
ある可能な設計では、前記受信ユニットは具体的には、前記第一の装置の移動性情報を、UU‐サイドリンク変換プロセスにおいて受信するよう構成される。UUは端末とネットワークの間のリンクであり、サイドリンクは装置対装置のリンクである。
【０１５２】
ある可能な設計では、前記受信ユニットは具体的には、前記測定結果および／または前記第一の装置の位置情報を前記第一の装置から受信するよう構成される。
【０１５３】
ある可能な設計では、前記受信ユニットは具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０１５４】
ある可能な設計では、前記受信ユニットは具体的には、前記測定結果および／または前記第一の装置の位置情報を前記第一の装置から定期的に受信するよう構成される。
【０１５５】
ある可能な設計では、前記移動性情報はさらに、V2Xメッセージ型情報および／または前記第一の装置のV2Xメッセージ送信距離情報を含む。
【０１５６】
ある可能な設計では、前記受信ユニットは具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０１５７】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０１５８】
本発明のこの実施形態における第一の装置は、第六の側面において記載された方法手順を実行するよう構成されてもよい。よって、第一の装置によって得られる技術的効果については、第六の側面において記載された方法実施形態を参照されたい。本発明のこの実施形態において詳細を繰り返すことはしない。
【０１５９】
第十三の側面によれば、第七の側面に記載された第一の装置および第八の側面に記載された第二の装置または第九の側面に記載された第一の装置および第十の側面に記載された第二の装置または第十一の側面に記載された第一の装置および第十二の側面に記載された第二の装置を含む通信システムが提供される。
【０１６０】
本発明において提供される通信システムは、第七の側面に記載された第一の装置および第八の側面に記載された第二の装置または第九の側面に記載された第一の装置および第十の側面に記載された第二の装置または第十一の側面に記載された第一の装置および第十二の側面に記載された第二の装置を含む。よって、本通信システムによって得られる技術的効果については、第七の側面に記載された第一の装置および第八の側面に記載された第二の装置のもの、または第九の側面に記載された第一の装置および第十の側面に記載された第二の装置のもの、または第十一の側面に記載された第一の装置および第十二の側面に記載された第二の装置のものを参照されたい。本発明のこの実施形態において詳細を繰り返すことはしない。
【０１６１】
第十四の側面によれば、プロセッサと、第一のインターフェース回路と、第二のインターフェース回路と、メモリと、バスとを含む第一の装置が提供され、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって第二の装置から半持続的スケジューリングSPS構成情報を受信する段階であって、前記SPS構成情報は前記第二の装置によって使われるSPS資源構成を示すために使われる、段階と；
前記第一のインターフェース回路によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第二のインターフェース回路によって前記第二の装置にSPS命令情報を送る段階であって、前記SPS命令情報は、前記有効化されたSPS資源のスケジューリング資源を使うまたは使わないことを命令するために使われる、段階。
【０１６２】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１６３】
ある可能な設計では、前記プロセッサは、SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１６４】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１６５】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１６６】
ある可能な設計では、前記時間窓は、前記第二のインターフェース回路によって前記第二の装置に送られる；または
前記時間窓は、前記第二の装置によって前記第一のインターフェース回路に送られる。
【０１６７】
ある可能な設計では、前記プロセッサはさらに、SPS解放情報を決定するよう構成され、前記SPS解放情報は、有効化されたSPS資源のうちの一部または全部のスケジューリング資源を解放することを命令するために使われ；
前記第二のインターフェース回路はさらに、前記SPS解放情報を前記第二の装置に送るよう構成される。
【０１６８】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０１６９】
ある可能な設計では、前記第一のインターフェース回路はさらに、前記第二の装置からSPS解放情報を受信するよう構成され、前記SPS解放情報は、有効化されたSPS資源の一部または全部のスケジューリング資源を解放することを命令するために使われる。
【０１７０】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１７１】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１７２】
ある可能な設計では、前記SPSは、ネットワークと端末の間でまたは端末間で使われる。
【０１７３】
本発明のこの実施形態における第一の装置は、第一の側面において記載された方法手順を実行するよう構成されてもよい。よって、第一の装置によって得られる技術的効果については、第一の側面において記載された方法実施形態を参照されたい。本発明のこの実施形態において詳細を繰り返すことはしない。
【０１７４】
第十五の側面によれば、プロセッサと、第一のインターフェース回路と、第二のインターフェース回路と、メモリと、バスとを含む第一の装置が提供され、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって第一の装置に半持続的スケジューリングSPS構成情報を送る段階であって、前記SPS構成情報は前記第二の装置によって使われるSPS資源構成を示すために使われる、段階と；
前記第一のインターフェース回路によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二のインターフェース回路によって、前記第一の装置からSPS命令情報を受信する段階であって、前記SPS命令情報は、前記有効化されたSPS資源のスケジューリング資源を使うまたは使わないことを命令するために使われる、段階。
【０１７５】
ある可能な設計では、SPS資源構成は下記のうちの少なくとも一つまたは組み合わせを含む：
m個の利用可能なスケジューリング資源をもつSPSスケジューリング間隔；または
M個のSPSスケジューリング間隔。
【０１７６】
ある可能な設計では、前記プロセッサは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０１７７】
ある可能な設計では、SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０１７８】
ある可能な設計では、SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０１７９】
ある可能な設計では、前記時間窓は、前記第一のインターフェース回路によって前記第二の装置に送られる；または
前記時間窓は、前記第二の装置によって前記第二のインターフェース回路に送られる。
【０１８０】
ある可能な設計では、前記第二のインターフェース回路はさらに、前記第一の装置からSPS解放情報を受信するよう構成され、前記SPS解放情報は、有効化されたSPS資源のうちの一部または全部のスケジューリング資源を解放することを命令するために使われる。
【０１８１】
ある可能な設計では、前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０１８２】
ある可能な設計では、前記プロセッサはさらに、SPS解放情報を決定するよう構成され、前記SPS解放情報は、有効化されたSPS資源の一部または全部のスケジューリング資源を解放することを命令するために使われ；
前記第一のインターフェース回路は、前記第一の装置に前記SPS解放情報を送るよう構成される。
【０１８３】
ある可能な設計では、前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０１８４】
ある可能な設計では、前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０１８５】
ある可能な設計では、前記SPSは、ネットワークと端末の間でまたは端末間で使われる。
【０１８６】
本発明のこの実施形態における第二の装置は、第二の側面において記載された方法手順を実行するよう構成されてもよい。よって、第二の装置によって得られる技術的効果については、第二の側面において記載された方法実施形態を参照されたい。本発明のこの実施形態において詳細を繰り返すことはしない。
【０１８７】
第十六の側面によれば、第一の装置が提供される。当該第一の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記プロセッサによって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一のインターフェース回路によって、決定された前記RAプリアンブル・シーケンスおよび／または前記RAプリアンブル・シーケンスの電波資源に基づいて、第二の装置へのランダムアクセスを開始する段階。
【０１８８】
ある可能な設計では、前記サービス要件はさらに、時間要件および／またはレート要件を含む。
【０１８９】
ある可能な設計では、第一の装置はさらに第二のインターフェース回路を含み、該第二のインターフェース回路は：前記プロセッサが、サービス要件および／またはV2Xサービスのメッセージ型に基づいて、RAプリアンブル・シーケンスおよび／または前記RAプリアンブル・シーケンスの電波資源を使うことを決定する前に：前記第二の装置から、前記RAプリアンブル・シーケンスおよび／または前記RAプリアンブル・シーケンスの電波資源を受信するよう構成される。
【０１９０】
ある可能な設計では、前記プロセッサはさらに：V2Xサービスがある、または前記プロセッサが計算を通じて、スケジューリング要求SRがV2Xサービスのサービス要件を満たさないことを見出すとき、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０１９１】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１９２】
ある可能な設計では、サービスのサービス要件は、V2Xサービスのサービス要件を含む。
【０１９３】
本発明のこの実施形態における第一の装置は、第三の側面において記載された方法手順を実行するよう構成されてもよい。よって、第一の装置によって得られる技術的効果については、第三の側面において記載された方法実施形態を参照されたい。本発明のこの実施形態において詳細を繰り返すことはしない。
【０１９４】
第十七の側面によれば、第二の装置が提供される。当該第二の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記第一のインターフェース回路によって、第一の装置からランダムアクセスを受信する段階と；
前記プロセッサによって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階であって、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる、段階。
【０１９５】
ある可能な設計では、前記サービス要件はさらに、時間要件および／またはレート要件を含む。
【０１９６】
ある可能な設計では、第二の装置はさらに第二のインターフェース回路を含み、該第二のインターフェース回路は：前記第一のインターフェース回路が前記第一の装置からランダムアクセスを受ける前に、前記第一の装置に、前記RAプリアンブル・シーケンスおよび／または前記RAプリアンブル・シーケンスの電波資源を送るよう構成される。
【０１９７】
ある可能な設計では、前記第一のインターフェース回路はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０１９８】
ある可能な設計では、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０１９９】
ある可能な設計では、サービスのサービス要件は、V2Xサービスのサービス要件を含む。
【０２００】
本発明のこの実施形態における第二の装置は、第四の側面において記載された方法手順を実行するよう構成されてもよい。よって、第二の装置によって得られる技術的効果については、第四の側面において記載された方法実施形態を参照されたい。本発明のこの実施形態において詳細を繰り返すことはしない。
【０２０１】
第十八の側面によれば、第一の装置が提供される。当該第一の装置は、車両対万物V2X通信に適用され、プロセッサと、第一のインターフェース回路と、メモリと、バスとを含み、前記プロセッサ、前記第一のインターフェース回路および前記メモリは、前記バスを使って接続され、相互通信を実装する。前記プロセッサは、下記の動作を実行するよう前記第一のインターフェース回路を制御するための前記メモリ内のプログラム・コードを実行するよう構成される：
前記プロセッサによって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一のインターフェース回路によって、前記測定結果を前記第二の装置に送る段階。
【０２０２】
ある可能な設計では、前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０２０３】
ある可能な設計では、前記第一のインターフェース回路は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０２０４】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０２０５】
ある可能な設計では、前記第一のインターフェース回路は具体的には、前記第一の装置の移動性情報を、UU‐サイドリンク変換プロセスにおいて送るよう構成される。UUは端末とネットワークの間のリンクであり、サイドリンクは装置対装置のリンクである。
【０２０６】
ある可能な設計では、前記第一のインターフェース回路は具体的には、前記測定結果および／または前記第一の装置の位置情報を前記第二の装置に送るよう構成される。
【０２０７】
ある可能な設計では、前記第一のインターフェース回路は具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０２０８】
ある可能な設計では、前記第一のインターフェース回路は具体的には、前記測定結果および／または前記第一の装置の位置情報を前記第二の装置に定期的に送るよう構成される。
【０２０９】
ある可能な設計では、前記移動性情報はさらに、V2Xメッセージ型情報および／または前記第一の装置のV2Xメッセージ送信距離情報を含む。
【０２１０】
ある可能な設計では、前記第一のインターフェース回路は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０２１１】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０２１２】
本発明のこの実施形態における第一の装置は、第五の側面において記載された方法手順を実行するよう構成されてもよい。よって、第一の装置によって得られる技術的効果については、第五の側面において記載された方法実施形態を参照されたい。本発明のこの実施形態において詳細を繰り返すことはしない。
【０２１３】
第十九の側面によれば、第二の装置が提供される。当該第二の装置は、車両対万物V2X通信に適用され、プロセッサと、第一のインターフェース回路と、第二のインターフェース回路と、メモリと、バスとを含み、前記プロセッサ、前記第一のインターフェース回路、前記第二のインターフェース回路および前記メモリは、前記バスを使って接続され、相互通信を実装する。前記プロセッサは、下記の動作を実行するよう前記第一のインターフェース回路および前記第二のインターフェース回路を制御するための前記メモリ内のプログラム・コードを実行するよう構成される：
前記第一のインターフェース回路によって、第一の装置から測定結果を受信する段階であって、前記測定結果は、測定された電波資源および／または測定された電波信号に基づいて前記第一の装置によって生成される、段階と；
前記プロセッサによって、前記測定結果に基づいて、前記第一の装置のデータ送信範囲を判別する段階と；
前記第二のインターフェース回路によって、第一のメッセージを送るために前記送信範囲に基づいて適正なセルを選択する段階。
【０２１４】
ある可能な設計では、前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０２１５】
ある可能な設計では、前記第一のインターフェース回路は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０２１６】
ある可能な設計では、前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０２１７】
ある可能な設計では、前記第一のインターフェース回路は具体的には、前記第一の装置の移動性情報を、UU‐サイドリンク変換プロセスにおいて送るよう構成される。UUは端末とネットワークの間のリンクであり、サイドリンクは装置対装置のリンクである。
【０２１８】
ある可能な設計では、前記第一のインターフェース回路は具体的には、前記測定結果および／または前記第一の装置の位置情報を前記第一の装置から受信するよう構成される。
【０２１９】
ある可能な設計では、前記第一のインターフェース回路は具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０２２０】
ある可能な設計では、前記第一のインターフェース回路は具体的には、前記測定結果および／または前記第一の装置の位置情報を前記第一の装置から定期的に受信するよう構成される。
【０２２１】
ある可能な設計では、前記移動性情報はさらに、V2Xメッセージ型情報および／または前記第一の装置のV2Xメッセージ送信距離情報を含む。
【０２２２】
ある可能な設計では、前記第一のインターフェース回路は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０２２３】
ある可能な設計では、前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０２２４】
本発明のこの実施形態における第一の装置は、第六の側面において記載された方法手順を実行するよう構成されてもよい。よって、第一の装置によって得られる技術的効果については、第六の側面において記載された方法実施形態を参照されたい。本発明のこの実施形態において詳細を繰り返すことはしない。
【０２２５】
第二十の側面によれば、第十四の側面に記載された第一の装置および第十五の側面に記載された第二の装置または第十六の側面に記載された第一の装置および第十七の側面に記載された第二の装置または第十八の側面に記載された第一の装置および第十九の側面に記載された第二の装置を含む通信システムが提供される。
【０２２６】
本発明において提供される通信システムは、第十四の側面に記載された第一の装置および第十五の側面に記載された第二の装置または第十六の側面に記載された第一の装置および第十七の側面に記載された第二の装置または第十八の側面に記載された第一の装置および第十九の側面に記載された第二の装置を含む。よって、本通信システムによって得られる技術的効果については、第十四の側面に記載された第一の装置および第十五の側面に記載された第二の装置のもの、または第十六の側面に記載された第一の装置および第十七の側面に記載された第二の装置のもの、または第十八の側面に記載された第一の装置および第十九の側面に記載された第二の装置のものを参照されたい。本発明のこの実施形態において詳細を繰り返すことはしない。
【０２２７】
まとめると、本発明において提供されるスケジューリング方法、装置およびシステムによれば、第二の装置は第一の装置のために種々のSPS資源を構成し、第一の装置のためにそれらのSPS資源のうちの一つまたは複数を有効化する。第一の装置は、前記SPS資源のうちの前記一つまたは複数から、有効化されたSPS資源およびサービスのサービス要件に基づいて、サービスのサービス要件を満たすSPS資源を選択し、第二の装置は、別の装置に対して、第一の装置によって使用されないSPS資源を割り当て、スケジューリング資源の利用率を最大化する。これは、比較的短いスケジューリング間隔をもつSPS送信がV2Xサービスに適用されるときにスケジューリング資源が無駄になるという問題を解決する。
【０２２８】
あるいはまた、本発明において提供されるスケジューリング方法、装置およびシステムによれば、RAプリアンブル・シーケンスおよび／または前記RAプリアンブル・シーケンスの電波資源は、V2Xサービスのサービス要件またはサービス型にマッピングされる。よって、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０２２９】
あるいはまた、本発明において提供されるスケジューリング方法、装置およびシステムによれば、第一の装置は、データ送信範囲を示す測定結果を第二の装置に送る。それにより、第二の装置は、該データ送信範囲を判別して、第一のメッセージを送るために前記データ送信範囲に基づいて適正なセルを選択する。これは、第二の装置が第一の装置からデータ送信範囲を得ることができないという問題を解決する。
【図面の簡単な説明】
【０２３０】
本発明の実施形態または従来技術における技術的解決策をより明確に記述するため、前記実施形態または従来技術を記述するために必要とされる付属の図面について簡単に述べておく。明らかに、以下の記述における付属の図面は単に本発明のいくつかの実施形態を示すものであって、当業者は、創造的な努力をすることなく、これらの付属の図面から他の図面を導出することがありうる。
【０２３１】
【図１】ある可能な実装におけるV2Xシステムの概略図である。
【０２３２】
【図２】従来技術においてSPSがV2Xシステムに適用されるときに引き起こされるスケジューリング資源の無駄の概略図である。
【０２３３】
【図３】ネットワーク側によるUE測定カバレッジ・エリアを知覚する概略図である。
【０２３４】
【図４】本発明のある実施形態に基づく通信システムの概略図である。
【０２３５】
【図５】本発明のある実施形態に基づくスケジューリング方法の概略的なフローチャートである。
【０２３６】
【図６】本発明のある実施形態に基づくSPS資源構成の概略図である。
【０２３７】
【図７】本発明のある実施形態に基づくもう一つのSPS資源構成の概略図である。
【０２３８】
【図８】本発明のある実施形態に基づくさらにもう一つのSPS資源構成の概略図である。
【０２３９】
【図９】本発明のある実施形態に基づく、SPS有効化情報を使ってスケジューリング資源を示す概略図である。
【０２４０】
【図１０】本発明のある実施形態に基づく、SPS有効化情報を使ってスケジューリング資源を示すもう一つの概略図である。
【０２４１】
【図１１】本発明のある実施形態に基づく、SPS有効化情報を使ってスケジューリング資源を示すさらにもう一つの概略図である。
【０２４２】
【図１２】本発明のある実施形態に基づく、DCIにおけるビットマップを使ってSPSスケジューリング間隔を示す概略図である。
【０２４３】
【図１３】本発明のある実施形態に基づく、ある時間窓内の連続するスケジューリング資源の概略図である。
【０２４４】
【図１４】本発明のある実施形態に基づく、もう一つの時間窓内の連続するスケジューリング資源の概略図である。
【０２４５】
【図１５】本発明のある実施形態に基づく、もう一つのスケジューリング方法の概略的なフローチャートである。
【０２４６】
【図１６】本発明のある実施形態に基づく、SPS解放情報を使ってスケジューリング資源を解放することを命令する概略図である。
【０２４７】
【図１７】本発明のある実施形態に基づく、もう一つのスケジューリング方法の概略的なフローチャートである。
【０２４８】
【図１８】本発明のある実施形態に基づく、もう一つのスケジューリング方法の概略的なフローチャートである。
【０２４９】
【図１９】本発明のある実施形態に基づく、さらにもう一つのスケジューリング方法の概略的なフローチャートである。
【０２５０】
【図２０】本発明のある実施形態に基づく、第一の装置の概略的な構造図である。
【０２５１】
【図２１】本発明のある実施形態に基づく、もう一つの第一の装置の概略的な構造図である。
【０２５２】
【図２２】本発明のある実施形態に基づく、第二の装置の概略的な構造図である。
【０２５３】
【図２３】本発明のある実施形態に基づく、もう一つの第二の装置の概略的な構造図である。
【０２５４】
【図２４】本発明のある実施形態に基づく、第一の装置の概略的な構造図である。
【０２５５】
【図２５】本発明のある実施形態に基づく、もう一つの第一の装置の概略的な構造図である。
【０２５６】
【図２６】本発明のある実施形態に基づく、第二の装置の概略的な構造図である。
【０２５７】
【図２７】本発明のある実施形態に基づく、もう一つの第二の装置の概略的な構造図である。
【０２５８】
【図２８】本発明のある実施形態に基づく、第一の装置の概略的な構造図である。
【０２５９】
【図２９】本発明のある実施形態に基づく、第二の装置の概略的な構造図である。
【０２６０】
【図３０】本発明のある実施形態に基づく、第一の装置の概略的な構造図である。
【０２６１】
【図３１】本発明のある実施形態に基づく、第二の装置の概略的な構造図である。
【０２６２】
【図３２】本発明のある実施形態に基づく、第一の装置の概略的な構造図である。
【０２６３】
【図３３】本発明のある実施形態に基づく、第二の装置の概略的な構造図である。
【０２６４】
【図３４】本発明のある実施形態に基づく、第一の装置の概略的な構造図である。
【０２６５】
【図３５】本発明のある実施形態に基づく、第二の装置の概略的な構造図である。
【発明を実施するための形態】
【０２６６】
下記は、本発明の実施形態における付属の図面を参照して本発明の実施形態における技術的解決策を明瞭に記述する。明らかに、記載される実施形態は本発明の実施形態の全部ではなく、一部にすぎない。創造的努力なしに本発明の実施形態に基づいて当業者によって得られる他のすべての実施形態は、本発明の保護範囲内にはいる。
【０２６７】
本願で使われる「コンポーネント」、「モジュール」および「システム」といった用語は、コンピュータに関係したエンティティーを示すために使われる。コンピュータに関係したエンティティーは、ハードウェア、ファームウェア、ハードウェアとソフトウェアの組み合わせ、ソフトウェアまたは実行中のソフトウェアでありうる。たとえば、コンポーネントは、プロセッサ上で実行中のプロセス、プロセッサ、オブジェクト、実行可能ファイル、実行のスレッド、プログラムおよび／またはコンピュータであってもよいが、それに限られない。一例として、コンピューティング装置上で走るアプリケーションおよびそのコンピューティング装置の両方がコンポーネントでありうる。一つまたは複数のコンポーネントがプロセスおよび／または実行スレッド内に存在してもよく、あるコンポーネントは、一つのコンピュータ上に位置されていても、および／または二つ以上のコンピュータの間で分散されていてもよい。さらに、これらのコンポーネントは、さまざまなデータ構造をもちうるさまざまなコンピュータ可読媒体から実行されることができる。これらのコンポーネントは、ローカルおよび／またはリモート・プロセスを使って、たとえば一つまたは複数のデータ・パケット（たとえば、ローカル・システム内のまたは分散システムにおける別のコンポーネントと対話するおよび／または信号を使ってインターネットのようなネットワークを介して他のシステムと対話するあるコンポーネントからのデータ）をもつ信号に基づいて、通信してもよい。
【０２６８】
さらに、本願ではさまざまな側面が、無線ネットワーク装置を参照して記述される。無線ネットワーク装置は基地局であってもよい。基地局は、一つまたは複数のユーザー装置と通信するよう構成されてもよく、あるいはいくつかのユーザー装置機能をもつ一つまたは複数の基地局と通信するよう構成されてもよい（たとえば、マクロ基地局とアクセスポイントのようなミクロ基地局との間の通信）。無線ネットワーク装置は、代替的に、ユーザー装置であってもよい。ユーザー装置は、一つまたは複数のユーザー装置と通信するよう構成されてもよく（たとえばD2D通信）、あるいは一つまたは複数の基地局と通信してもよい。ユーザー装置は、ユーザー端末と称されてもよく、システム、加入者ユニット、ノード、装置、リモート局、リモート端末、端末、無線通信デバイス、無線通信装置またはユーザー・エージェントの機能の一部または全部を含んでいてもよい。ユーザー装置は携帯電話、コードレス電話、セッション開始プロトコル（Session  Initiation  Protocol、SIP）電話、スマートフォン、無線ローカルループ（wireless  local  loop、WLL）、携帯情報端末（personal  digital  assistant、PDA）、ラップトップ・コンピュータ、ハンドヘルド通信装置、ハンドヘルド・コンピューティング装置、衛星無線装置、無線モデム・カードおよび／または無線システムにおける通信のために構成された他の処理装置であってもよい。基地局は、アクセスポイント、ノード、ノードB、進化型ノードB（eNB）または他のネットワーク・エンティティーと称されてもよく、上記のネットワーク・エンティティーの機能の一部または全部を含んでいてもよい。基地局は、空中インターフェースを使うことによって無線端末と通信しうる。通信は、一つまたは複数のセルを使って実行されうる。基地局は、受信された空中インターフェース・フレームを、無線端末とアクセス・ネットワークの残りの部分との間のルーティングのために使われるIPパケットに変換しうる。アクセス・ネットワークは、インターネット・プロトコル（Internet  Protocol、IP）ネットワークを含む。基地局はさらに、空中インターフェースの属性管理を協調させてもよく、有線ネットワークと無線ネットワークの間のゲートウェイであってもよい。
【０２６９】
本願では、すべての側面、実施形態または特徴は、複数の装置、コンポーネント、モジュールなどを含みうるシステムに基づいて呈示される。それぞれのシステムが別の装置、コンポーネント、モジュールなどを含んでいてもよく、および／または付属の図面を参照して論じられるすべての装置、コンポーネント、モジュールなどを含むのではなくてもよい。さらに、これらの解決策の組み合わせが使われてもよい。
【０２７０】
さらに、本発明の実施形態において、用語「たとえば」は、例、例解または説明を表わすために使われる。本願において「例」として記載されるどの実施形態または設計解決策も、他の実施形態または設計解決策より好ましいまたは有利であると解釈されるものではない。正確には、「たとえば」という用語は、具体的な仕方で概念を呈示するために使われている。
【０２７１】
本発明の実施形態では、情報（information）、信号（signal）、メッセージ（message）およびチャネル（channel）は、時に交換可能に使われることがある。これらはその違いが強調されないときには同じ意味を表わすことを注意しておくべきである。
【０２７２】
本発明の実施形態において記述されているネットワーク・アーキテクチャーおよびサービス・シナリオは、本発明の実施形態における技術的解決策をより明瞭に記述するために意図されており、本発明の実施形態において提供される技術的解決策に対するいかなる限定をなすものでもない。当業者は、ネットワーク・アーキテクチャーの進化および新たなサービス・シナリオの登場とともに、本発明の実施形態において提供される技術的解決策が同様の技術的問題にも適用可能であることを知りうる。
【０２７３】
本発明の実施形態は、時分割複信（time  division  duplex、TDD）のシナリオおよび周波数分割複信（frequency  division  duplex、FDD）のシナリオの両方に適用されうる。
【０２７４】
本発明の実施形態は、無線通信ネットワークにおけるV2Xネットワークのシナリオに基づいて記述される。本発明の実施形態における解決策は、別の無線通信ネットワークに適用されもよく、対応する名称が該別の無線通信ネットワークにおける対応する機能の名称で置き換えられてもよいことを注意しておくべきである。
【０２７５】
本発明では、第二の装置が、第一の装置のために種々のSPS資源を構成し、第一の装置のためにそれらのSPS資源のうちの一つまたは複数を有効化する。第一の装置は、前記SPS資源のうちの前記一つまたは複数から、有効化されたSPS資源（単数または複数）およびサービスのサービス要件に基づいて、該サービスのサービス要件を満たすSPS資源を選択する。第二の装置は、第一の装置によって使用されないSPS資源を別の装置に割り当てる。これは、スケジューリング資源の利用率を最大化するとともに、比較的短いスケジューリング間隔をもつSPS送信がV2Xサービスに適用されるときにスケジューリング資源が無駄になるという問題を解決する。
【０２７６】
本発明において提供されるスケジューリング方法および装置は、図１に示されるV2X通信に適用される。図４を参照するに、図４は、本願のある実施形態に基づく可能な適用シナリオの概略図である。本発明において提供される装置は、第一の装置１０１および第二の装置１０２を含む。V2Xサービスは、第一の装置と第二の装置の間で実行される。第一の装置は、図１に示される車両１上の車両内装置またはユーザー装置（user  equipment、UE）であってもよい。第二の装置は、図１に示されるネットワーク上のネットワーク装置または車両２上の車両内装置もしくは進化型ノードB（evolved  node  B、eNB）であってもよい。
【０２７７】
本発明は、スケジューリング方法を提供する。図５に示されるように、本方法は以下の段階を含む。
【０２７８】
S101。第二の装置が第一の装置にSPS構成情報を送る。SPS構成情報は第二の装置によって使われるSPS資源構成を示す。
【０２７９】
任意的に、SPS構成情報は、次のうちの少なくとも一つまたは組み合わせを含む：１型：つまりm個の利用可能なスケジューリング資源をもつSPSスケジューリング間隔；または２型、つまりM個のSPSスケジューリング間隔。
【０２８０】
上記の組み合わせは、M個のSPSスケジューリング間隔があり、各SPSスケジューリング間隔の内部にm個の利用可能なスケジューリング資源があってもよいことを意味する。
【０２８１】
具体的には、１型については、図６に示されるように、第二の装置によって使用されるSPS資源構成は：m個の利用可能なスケジューリング資源をもつSPSスケジューリング間隔を含んでいてもよい。一つのスケジューリング間隔におけるすべてのスケジューリング資源は、時間領域で等間隔であってもなくてもよく、すべてのスケジューリング間隔は同じスケジューリング資源をもつ。
【０２８２】
具体的には、２型については、第二の装置によって使用されるSPS資源構成はM個の型のSPSスケジューリング間隔を含んでいてもよい。それぞれの型のSPSスケジューリング間隔におけるすべてのスケジューリング資源は時間領域で等間隔である。具体的には、図７に示されるように、異なるSPSスケジューリング間隔におけるスケジューリング資源の時間間隔は異なり、たとえば時間間隔はT1、T2、T3である。あるいはまた、図８に示されるように、すべてのSPSスケジューリング間隔におけるスケジューリング資源の時間間隔は同じであり、みなTであるが、すべてのSPSスケジューリング間隔におけるスケジューリング資源は時間領域において互い違いになっている。
【０２８３】
本発明におけるスケジューリング資源は、ある送信時間間隔（transmission  time  interval、TTI）内で利用可能な資源である。TTIは1msのTTIまたはいくつかのシンボルをもつTTIであってもよく、たとえば二つのシンボル、0.5ms、3/4シンボルなどの長さをもつ短TTIであってもよい。あるいはまた、本発明におけるスケジューリング資源は、あるTTI内の指定された周波数領域サブバンド上で使用されることのできる資源である。スケジューリング資源は、時間領域の資源または周波数領域の資源でありうる。
【０２８４】
V2X通信は、各スケジューリング間隔におけるスケジューリング資源を使うことによって、第一の装置と第二の装置の間で実行されうることを注意しておくべきである。本発明におけるSPSは、ネットワークと端末との間で使われてもよい。この場合、第二の装置はネットワークであり、第一の装置は端末である。たとえば、第二の装置がeNBであり第一の装置がUEであるとき、PS資源構成は、下りリンクSPS資源を含んでいてもよく（すなわち、第二の装置が下りリンク・データを第一の装置に送る必要があるとき）、あるいは上りリンクSPS資源を含んでいてもよい（すなわち、第一の装置が上りリンク・データを第二の装置に送る必要があるとき）。本発明において記載されるSPSは、端末間で使われてもよい。この場合、第一の装置は端末であり、第二の装置はネットワークである；あるいは第一の装置は第一の端末であり、第二の装置は第二の端末である。たとえば、第一の装置および第二の装置の両方がUEである。
【０２８５】
S102。第一の装置が第二の装置からSPS構成情報を受信する。
【０２８６】
S103。第二の装置が第一の装置にSPS有効化情報を送る。SPS有効化情報は有効化されたSPS資源を第一の装置に示すために使われ、該有効化されたSPS資源は段階S101におけるSPS資源構成における一つまたは複数のSPS資源である。
【０２８７】
SPS資源構成に対応して、本発明における有効化されたSPS資源または無効化されたSPS資源も、下りリンクSPS資源または上りリンクSPS資源を含みうる。
【０２８８】
SPS資源構成がm個の利用可能なスケジューリング資源をもつSPSスケジューリング間隔であるとき（すなわち、有効化される必要のあるSPS資源が１型であるとき）、第二の装置は、半持続的スケジューリング・セル無線ネットワーク一時識別子（semi-persistent  scheduling  cell  radio  network  temporary  identifier、SPS-CRNTI）を使ってスクランブルされた下りリンク制御情報（downlink  control  information、DCI）を使ってSPS有効化情報を送ってもよい。さらに、送られたSPS有効化情報は、一つのスケジューリング間隔におけるm個のスケジューリング資源によって使用される資源位置を示してもよく、具体的には、下記のうちの少なくとも一つまたは組み合わせを含む。
【０２８９】
任意的に、第一の装置は、SPS-CRNTIを使ってスクランブルされたDCIに基づいて現在サブフレームにおいて決定された上りリンク・グラント（uplink  grant、UL  grant）資源を、あるスケジューリング間隔においてm個の利用可能なスケジューリング資源によって占められる資源として使う。たとえば、図９に示されるように、上りリンク・グラントUL  grantによって示される三つの資源が、スケジューリング間隔における三つのスケジューリング資源（スケジューリング資源１、スケジューリング資源２およびスケジューリング資源３）によって占められる資源として使われる。
【０２９０】
任意的に、第一の装置は、スケジューリング間隔においてi番目の利用可能なスケジューリング資源に対応するサブフレームの前のサブフレームにおいてまたはSPS-CRNTIを使ってスクランブルされたDCIに基づいて現在サブフレームにおいて決定されたULグラント資源を、i番目の利用可能なスケジューリング資源によって占められる資源として使う。ここで、i番目の利用可能なスケジューリング資源は前記m個の利用可能なスケジューリング資源の一つである。たとえば、図１０に示されるように、上りリンク・グラント１によって示される資源がスケジューリング資源１によって占められる資源を示すために使われてもよく、上りリンク・グラント１によって示される資源が前記スケジューリング資源３によって占められる資源を示すために使われてもよい。
【０２９１】
任意的に、第一の装置は、m個の利用可能なスケジューリング資源のうちの一つまたは複数を有効化するために、SPS-CRNTIを使ってスクランブルされたDCIを使う。
【０２９２】
任意的に、第一の装置は、SPS-CRNTIを使ってスクランブルされたDCIに基づいて決定されたULグラント情報がi番目の利用可能なスケジューリング資源の前にまたは現在サブフレームにおいて受信されない場合、その位置における利用可能なスケジューリング資源は、デフォルトにより、有効化されなくてもよい。たとえば、図１１に示されるように、あるスケジューリング間隔においては、スケジューリング資源１およびスケジューリング資源３については資源が構成されない。これは、スケジューリング資源１およびスケジューリング資源３が有効化されないことを示す。
【０２９３】
SPS資源構成がM個のSPSスケジューリング間隔であるときは（すなわち、有効化される必要のあるSPS資源が２型であるとき）、M個のスケジューリング間隔のうちの一つまたは複数が有効化されてもよい。
【０２９４】
任意的に、DCIにおけるビットマップにおけるMビットが、M個のSPSスケジューリング間隔のうちの一つまたは複数を有効化および／または無効化することを命令するために使われる。たとえば、一つのビットが、一つのSPSスケジューリング間隔の識別子に対応しうる。ビットは、対応するSPSスケジューリング間隔を有効にすることを示すために1に設定され、対応するSPSスケジューリング間隔を有効にしないことを示すために0に設定される。あるいはまた、ビットは、対応するSPSスケジューリング間隔を有効にすることを示すために0に設定され、対応するSPSスケジューリング間隔を有効にしないことを示すために1に設定される。たとえば、図１２に示されるように、図１２は、DCIにおけるビットマップであり、そのビットは左から右にそれぞれ0ないし3であり、それぞれ第一のSPSスケジューリング間隔ないし第四のSPSスケジューリング間隔を表わす。1が対応するSPSスケジューリング間隔を有効にすることを示し、0が対応するSPSスケジューリング間隔を有効にしないとすると、図１２のビットマップは、第一のSPSスケジューリング間隔および第四のSPSスケジューリング間隔を有効にし、第二のSPSスケジューリング間隔および第三のSPSスケジューリング間隔を有効にしないことを示している。
【０２９５】
任意的に、前記SPS有効化情報の時間周波数資源が、前記M個のSPSスケジューリング間隔のうちの一つを有効化および／または無効化することを命令するために使われる。たとえば、SPS有効化情報を送るために占められる異なる時間周波数資源がそれぞれ、M個のスケジューリング間隔の識別子にマッピングされる。この場合、特定の時間周波数資源上でSPS有効化情報を送るとき、第二の装置は、対応するSPSスケジューリング間隔を有効化および／または無効化することを命令しうる。
【０２９６】
任意的に、前記SPS有効化情報の内容が、前記M個のSPSスケジューリング間隔のうちの一つまたは複数を有効化および／または無効化することを命令するために使われる。たとえば、SPS有効化情報は、前記M個のSPSスケジューリング間隔の一つまたは複数を有効化および／または無効化することを明瞭に命令する。
【０２９７】
上記から、本発明に記載される有効化および無効化が、あるSPS資源についての有効化または無効化を意味し、複数のSPS資源について有効化および／または無効化を意味することがわかる。
【０２９８】
S104。第一の装置が第二の装置からSPS有効化情報を受信する。
【０２９９】
S105。第一の装置が第二の装置にSPS命令情報を送る。SPS命令情報は、有効化されたSPS資源のスケジューリング資源を使うまたは使わないことを命令するために使われる。
【０３００】
具体的には、第一の装置は、SPS有効化情報およびV2Xサービスのサービス要件に基づいてSPS命令情報を決定する。SPS命令情報は、有効化されたSPS資源のスケジューリング資源を使うまたは使わないことを命令する。
【０３０１】
任意的に、SPS資源構成がm個の利用可能なスケジューリング資源をもつSPSスケジューリング間隔であるとき、SPS命令情報は、ある時間窓内の前記m個の利用可能なスケジューリング資源のうちの連続するスケジューリング資源を使うまたは使わないことを命令するために使われる。
【０３０２】
任意的に、SPS資源構成がM個のSPSスケジューリング間隔であるときは、SPS命令情報は、前記M個のSPSスケジューリング間隔のうちのN個のSPSスケジューリング間隔におけるスケジューリング資源を使うまたは使わないことを命令し、N≦Mであり、それらのスケジューリング資源は連続であっても不連続であってもよい。
【０３０３】
さらに、任意的に、SPS資源構成がM個のSPSスケジューリング間隔であるときは、SPS命令情報は、ある時間窓内の前記M個のSPSスケジューリング間隔のうちのN個のSPSスケジューリング間隔における連続するスケジューリング資源を使うまたは使わないことを命令し、N≦Mである。SPS命令情報は、図１３に示されるように、１型においては、SPSスケジューリング間隔内のm個のスケジューリング資源に固有であってもよく、あるいは図１４に示されるように、２型においては、各SPSスケジューリング間隔内のすべてのスケジューリング資源に固有であってもよい。第一の装置は、その後のV2Xサービス送信のために、V2Xサービスのサービス要件を満たすよう、SPS有効化情報において示されるSPS資源から連続するスケジューリング資源を選択する必要がある。
【０３０４】
ここでの時間窓はタイマーであってもよく、第一の装置から第二の装置に送られてもよく、あるいは第二の装置から第一の装置に送られてもよい。さらに、SPS命令情報はN個の連続するスケジューリング資源を、束縛式に示してもよい。たとえば、ビット1が、直近のスケジューリング資源から始まってN個の連続するスケジューリング資源を使うまたは使わないことを命令するために使われ、ビット11が、直近のスケジューリング資源から始まって二つ以上の連続するスケジューリング資源を使うまたは使わないことを命令するために使われる。
【０３０５】
第二の装置がeNBであり第一の装置がUEであるとき、有効化されたまたは無効化されたスケジューリング資源は下りリンクSPS資源であってもよく、あるいは上りリンクSPS資源であってもよいこと；あるいは第一の装置および第二の装置の両方がUEであるときは、有効化されたスケジューリング資源はサイドリンク（sidelink）のためのサイドリンクSPS資源であってもよいことを注意しておくべきである。
【０３０６】
具体的には、SPS命令情報は、物理層の信号伝達を使って送られる。
【０３０７】
S106。第二の装置が第一の装置からSPS命令情報を受信する。
【０３０８】
SPS命令情報を受信後、第二の装置は、SPS命令情報に基づいて、有効化されたSPS資源のスケジューリング資源であって、第一の装置によって使用されるまたは使用されないものを決定し、第一の装置によって使用されないSPS資源を、下りリンクSPS送信のために使ってもよく、あるいは第一の装置によって使用されないSPS資源を別の装置に、データ送信のために割り当ててもよい。
【０３０９】
任意的に、図１５を参照するに、本発明において提供されるスケジューリング方法はさらに、段階S107ないしS109を含んでいてもよい。
【０３１０】
S107。第一の装置がSPS解放情報を決定する。SPS解放情報は、有効化されたSPS資源のうちの一部または全部のスケジューリング資源を解放することを命令するために使われる。
【０３１１】
具体的には、第一の装置は、SPS解放情報を、SPS有効化情報およびV2Xサービスのサービス要件に基づいて決定する。
【０３１２】
上りリンクSPSスケジューリング資源を節約するために、第一の装置は上りリンクSPSスケジューリング資源をプロアクティブに解放してもよい。
【０３１３】
たとえば、SPS解放情報は無線資源制御（radio  resource  control、RRC）層信号伝達、媒体アクセス制御（Medium  Access  Control、MAC）層信号伝達またはPHY（英語全称：physical）層信号伝達でありうる。SPS解放情報は、さまざまな層の組み合わされた信号伝達であってもよい。
【０３１４】
任意的に、１型については、すなわち、SPS資源構成がm個の利用可能なスケジューリング資源をもつSPSスケジューリング間隔であるときは、第一の装置は、SPS解放情報を、前記SPSスケジューリング間隔における前記m個の利用可能なスケジューリング資源のうちの任意のスケジューリング資源よりも前のサブフレームまたは短サブフレームにおいて送って、前記任意のスケジューリング資源を解放することを命令する。図１６を参照するに、たとえば、SPS解放情報があるスケジューリング間隔におけるスケジューリング資源2で送られるとき、それは、スケジューリング資源2が解放されることを示す。
【０３１５】
任意的に、２型については、すなわち、SPS資源構成がM個のSPSスケジューリング間隔であるときは、第一の装置は、上りリンク制御情報UCI（uplink  control  information、UCI）において、有効化されたSPS資源における一つまたは複数のSPSスケジューリング間隔を解放することを命令する。具体的には、SPSスケジューリング間隔の識別子が、特定のSPSスケジューリング間隔を示すために使われてもよい。
【０３１６】
S108。第一の装置がSPS解放情報を第二の装置に送る。
【０３１７】
S109。第二の装置が第一の装置からSPS解放情報を受信する。
【０３１８】
第二の装置は、SPS解放情報に基づいて、第一の装置が有効化されたSPS資源のあるスケジューリング資源を解放することを判別し、第一の装置によって解放されたSPS資源を、下りリンクSPS送信のために使ってもよく、あるいは第一の装置によって解放されたSPS資源を別の装置に、データ送信のために割り当ててもよい。
【０３１９】
任意的に、図１７を参照するに、本発明において提供されるスケジューリング方法はさらに、段階S110ないしS112を含んでいてもよい。
【０３２０】
S110。第二の装置がSPS解放情報を決定する。SPS解放情報は、有効化されたSPS資源の一部または全部のスケジューリング資源を解放することを命令する。
【０３２１】
具体的には、第二の装置は、SPS解放情報を、SPS有効化情報およびV2Xサービスのサービス要件に基づいて決定する。SPS解放情報指示プロセスについては、段階S111を参照されたい。
【０３２２】
S111。第二の装置が第一の装置にSPS解放情報を送る。SPS解放情報は、SPS有効化情報およびV2Xサービスのサービス要件に基づいて第二の装置によって決定され、SPS解放情報は、有効化されたSPS資源のスケジューリング資源を解放することを命令する。
【０３２３】
任意的に、２型については、すなわち、SPS資源構成がM個のSPSスケジューリング間隔であるとき、第二の装置は、有効化されたSPS資源のSPS資源を解放することを、DCIにおけるハイブリッド自動反復要求（hybrid  automatic  repeat  request、HARQ）識別子を使うことによって命令する。
【０３２４】
任意的に、２型については、第二の装置は、有効化されたSPS資源の任意のスケジューリング資源で送られた前記SPS解放情報を、前記任意のスケジューリング資源に対応するすべてのSPSスケジューリング資源を解放することを命令するために使う。
【０３２５】
S112。第一の装置が第二の装置からSPS解放情報を受信する。
【０３２６】
第一の装置は、SPS解放情報に基づいて、第二の装置が有効化されたSPS資源のスケジューリング資源を解放することを判別し、第二の装置によって解放されたSPS資源を下りリンクSPS送信のために使ってもよく、あるいは第二の装置によって解放されたSPS資源を別の装置に、データ送信のために割り当ててもよい。
【０３２７】
本発明において提供されるスケジューリング方法によれば、第二の装置が第一の装置にSPS構成情報を送り、SPS構成情報は第二の装置によって使われるSPS資源構成を示すために使われ；第一の装置が第二の装置からSPS構成情報を受信し；第二の装置が第一の装置にSPS有効化情報を送り、SPS有効化情報は有効化されたSPS資源を第一の装置に示すために使われ、該有効化されたSPS資源は構成されたSPS資源におけるSPS資源の一つまたは複数であり；第一の装置が第二の装置からSPS構成情報を受信し；第一の装置が第二の装置にSPS命令情報を送り、SPS命令情報は、有効化されたSPS資源のスケジューリング資源を使うまたは使わないことを命令するために使われ；第二の装置が第一の装置からSPS命令情報を受信し；SPS命令情報を受信後、第二の装置は、SPS命令情報またはSPS解放情報に基づいて、第一の装置によって使用されないSPS資源を判別し、第一の装置によって使用されないSPS資源を、下りリンクSPS送信のために使い、あるいは第一の装置によって使用されないSPS資源を、別の装置に、データ送信のために割り当てる。本発明では、第二の装置は、第一の装置のために種々のSPS資源を構成し、第一の装置のためにそれらのSPS資源のうちの一つまたは複数を有効化し、第一の装置は、前記SPS資源のうちの前記一つまたは複数から、有効化されたSPS資源（単数または複数）およびサービスのサービス要件に基づいて、該サービスのサービス要件を満たすSPS資源を選択し、第二の装置は、第一の装置によって使用されないSPS資源を別の装置に割り当てる。これは、スケジューリング資源の利用率を最大化し、比較的短いスケジューリング間隔をもつSPS送信がV2Xサービスに適用されるときにスケジューリング資源が無駄になるという問題を解決する。
【０３２８】
本発明は、図１のV2X通信システムに適用されるスケジューリング方法を提供する。図１８を参照するに、本方法は下記の段階を含む。
【０３２９】
S201。第一の装置が、サービス要件および／またはサービスのメッセージ型に基づいて、ランダムアクセス（random  access、RA）プリアンブル・シーケンスおよび／または前記RAプリアンブル・シーケンスの電波資源を使うことを決定する。前記RAプリアンブル・シーケンスおよび／または前記RAプリアンブル・シーケンスの電波資源は、前記第一の装置のデータのサービス要件および／またはメッセージ型を示す。具体的には、前記RAプリアンブル・シーケンスおよび／または前記RAプリアンブル・シーケンスの電波資源は、前記第一の装置のデータのサービス要件を示す；前記RAプリアンブル・シーケンスおよび／または前記RAプリアンブル・シーケンスの電波資源は、前記第一の装置のデータのメッセージ型を示す；前記RAプリアンブル・シーケンスおよび／または前記RAプリアンブル・シーケンスの電波資源は、前記第一の装置のデータのサービス要件およびメッセージ型を示す。
【０３３０】
任意的に、前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０３３１】
RAプリアンブル・シーケンスの電波資源は、第一の装置がRAプリアンブル・シーケンスを使うことによってランダムアクセスを開始するときに占有される電波資源である。
【０３３２】
第一の装置のデータのサービス要件は、データを搬送するベアラーのサービス要件またはデータを搬送するサービスのサービス要件である。複数のRAプリアンブル・シーケンスがある。各RAプリアンブル・シーケンスは、第一の装置のデータの一つのサービス要件または一つのメッセージ型にマッピングされてもよく、第一の装置のデータ送信緊急レベルが決定され、第一の装置はV2Xサービスのあるバージョンにマッチする。同様に、RAプリアンブル・シーケンスの複数の電波資源があってもよい。各電波資源は、第一の装置のデータの一つのサービス要件または一つのメッセージ型にマッピングされてもよく、第一の装置のデータ送信緊急レベルが決定され、第一の装置はV2Xサービスのあるバージョンにマッチする。
【０３３３】
本発明では、サービスはV2Xサービスを含んでいてもよく、サービスのサービス要件はV2Xサービスのサービス要件を含む。
【０３３４】
任意的に、サービス要件は、時間要件および／またはレート要件を含んでいてもよい。
【０３３５】
任意的に、V2Xサービスがあるとき、または第一の装置が計算を通じて、スケジューリング要求（scheduling  request、SR）がV2Xサービスのサービス要件またはメッセージ型を満たすことができないことを見出すとき、第一の装置は、V2Xサービスのサービス要件またはメッセージ型に基づいて、あるRAプリアンブル・シーケンスおよび／または前記RAプリアンブル・シーケンスのある電波資源を使うことを決定し、決定されたRAプリアンブル・シーケンスおよび／または前記RAプリアンブル・シーケンスの電波資源に基づいて第二の装置に対してランダムアクセスを開始する。こうして、第二の装置からスケジューリング資源を迅速に取得する。
【０３３６】
V2Xサービスのメッセージ型は、V2Xサービスの緊急レベルをも示し、サービス要件の一つの型でもある。
【０３３７】
S202。第一の装置が、決定されたRAプリアンブル・シーケンスおよび／または前記RAプリアンブル・シーケンスの電波資源に基づいて、第二の装置へのランダムアクセスを開始する。
【０３３８】
第一の装置は、一つのRAプリアンブル・シーケンスおよび／または前記RAプリアンブル・シーケンスの一つの電波資源を使うことによって第二の装置へのランダムアクセスを開始する。すなわち、第一の装置は、第二の装置に、V2Xサービスのサービス要件またはメッセージ型を満たす対応するスケジューリング資源の使用のための要求を送る。
【０３３９】
S203。第二の装置は第一の装置からランダムアクセスを受ける。
【０３４０】
S204。第二の装置は、第一の装置がランダムアクセスを実行するときに使われるRAプリアンブル・シーケンスおよび／または前記RAプリアンブル・シーケンスの電波資源に基づいて第一の装置にスケジューリング資源を割り当てる。
【０３４１】
任意的に、図１８を参照するに、段階S201の前に、本方法はさらに段階S205およびS206を含んでいてもよい。
【０３４２】
S205。第二の装置が第一の装置に、前記RAプリアンブル・シーケンスおよび／または前記RAプリアンブル・シーケンスの電波資源を送る。
【０３４３】
S206。第一の装置が第二の装置から、前記RAプリアンブル・シーケンスおよび／または前記RAプリアンブル・シーケンスの電波資源を受信する。
【０３４４】
任意的に、第二の装置は、ブロードキャストまたは信号伝達を通じて、前記RAプリアンブル・シーケンスおよび／または前記RAプリアンブル・シーケンスの電波資源を送ってもよい。あるいはまた、任意的に、第二の装置は、前記RAプリアンブル・シーケンスおよび／または前記RAプリアンブル・シーケンスの電波資源をローカルに記憶してもよい。これは本発明において限定されない。
【０３４５】
本発明において提供されるスケジューリング方法によれば、第一の装置は、サービスのサービス要件および／またはメッセージ型に基づいて、RAプリアンブル・シーケンスおよび／または前記RAプリアンブル・シーケンスの電波資源を使うことを決定し、前記RAプリアンブル・シーケンスおよび／または前記RAプリアンブル・シーケンスの電波資源は、第一の装置のデータのサービス要件および／またはメッセージ型を示し；第一の装置は、決定された前記RAプリアンブル・シーケンスおよび／または前記RAプリアンブル・シーケンスの電波資源に基づいて、第一の装置へのランダムアクセスを開始し；第二の装置は第一の装置からランダムアクセスを受け；第二の装置は、第一の装置がランダムアクセスを実行するときに使われるRAプリアンブル・シーケンスおよび／または前記RAプリアンブル・シーケンスの電波資源に基づいて、第一の装置にスケジューリング資源を割り当てる。前記RAプリアンブル・シーケンスおよび／または前記RAプリアンブル・シーケンスの電波資源は、V2Xサービスのサービス要件またはサービス型にマッピングされ、第一の装置は、ランダムアクセスを開始するために、適正なRAプリアンブル・シーケンスおよび／または前記RAプリアンブル・シーケンスの適正な電波資源をしかるべく選択し、第二の装置は第一の装置にしかるべくスケジューリング資源を割り当てる。これは、V2Xサービスが実行されるときにサービス要件が満たされることができないという問題を解決する。
【０３４６】
本発明は、図１のV2X通信システムに適用されるスケジューリング方法を提供する。図１９を参照するに、本方法は下記の段階を含む。
【０３４７】
S301。第一の装置が、電波資源および／または電波信号を測定して測定結果を生成する。測定結果は、第二の装置に、第一の装置のデータ送信範囲〔レンジ〕を判別して、第一のメッセージを送るために前記送信範囲に基づいて適正なセルを選択することを命令するために使われる。
【０３４８】
たとえば、第一のメッセージは下記のメッセージのうちの一つであってもよい：V2Xメッセージ、ウェアラブル・サービス・メッセージ、狭帯域モノのインターネット（narrowband  Internet  of  Things、NB-IoT）サービス・メッセージおよびブロードバンド・サービス・メッセージ。
【０３４９】
任意的に、前記測定結果は、指定されたセルの測定結果を含む。さらに、任意的に、前記測定結果は、次の条件を満たす指定されたセルの測定結果を含む：前記測定結果は第一の閾値より低いおよび／または前記第一の閾値の測定結果および第一のオフセット値よりも低い。
【０３５０】
任意的に、前記測定結果はさらに、第一の装置の移動性情報を含んでいてもよい。さらに、任意的に、前記移動性情報は、セルに関係した時間情報と、下記のセル情報のうちの少なくとも一つとを含む：前記第一の装置が通過した、通過中であるまたはこれから通過するセル。任意的に、前記セルは、V2Xサービスがあるセルである。たとえば、前記セルに関係した時間情報は、たとえば、セルにおけるキャンプオン継続時間またはいくつかのセルを通過するために必要とされる時間を含んでいてもよい。
【０３５１】
任意的に、第一の装置の移動性情報はさらに、V2Xメッセージ型情報および／または第一の装置のV2Xメッセージ送信距離情報を含んでいてもよい。
【０３５２】
S302。第一の装置が、前記測定結果を第二の装置に送る。
【０３５３】
任意的に、段階S301において前記測定結果が指定されたセルの測定結果である場合、第一の装置は、V2Xサービスが開始される前に、指定されたセルの測定結果を第二の装置に送る；または第一の装置は、V2Xサービスが開始された後に、指定されたセルの測定結果を第二の装置に送る。
【０３５４】
任意的に、段階S301において前記測定結果が第一の装置の移動性情報であるとき、第一の装置は第一の装置の移動性情報をUU‐サイドリンク変換プロセスにおいて送ってもよい。
【０３５５】
任意的に、第一の装置が、段階S301における前記測定結果および／または第一の装置の位置情報を第二の装置に送ってもよい。第一の装置の移動性情報は、第一の装置のV2Xメッセージ型情報および／またはV2Xメッセージ送信距離情報を含んでいてもよい。
【０３５６】
さらに、任意的に、下記の条件のうちの少なくとも一つが満たされるとき、第一の装置は段階S301における前記測定結果および／または前記第一の装置の位置情報を前記第二の装置に送ってもよい：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０３５７】
前記信号はセル固有参照信号（cell-specific  reference  signal、CRS）、復調参照信号（demodulation  reference  signal、DM-RS）、チャネル状態情報参照信号（channel  state  information  reference  signal、CSI-RS）または測位参照信号（positioning  reference  signal、PRS）でありうる。
【０３５８】
さらに、任意的に、上記の条件が満たされるとき、第一の装置は前記測定結果および／または第一の装置の位置情報を第二の装置に定期的に送ってもよい。
【０３５９】
任意的に、段階S301における第一の装置の移動性情報がV2Xメッセージ型情報および／または第一の装置のV2Xメッセージ送信距離情報であるとき、第一の装置は、V2Xメッセージ型情報および／または第一の装置のV2Xメッセージ送信距離情報を、RRC層、MAC層およびPHY層の一つまたは組み合わせを使うことによって、第二の装置に送る。
【０３６０】
S303。第二の装置が第一の装置によって送られた測定結果を受信する。
【０３６１】
S304。第二の装置が、前記測定結果に基づいて、第一の装置のデータ送信範囲を判別する。
【０３６２】
S305。第二の装置が、第一のメッセージを送るために、前記送信範囲に基づいて、適正なセルを選択する。
【０３６３】
本発明において提供されるスケジューリング方法によれば、第一の装置が、電波資源および／または電波信号を測定して測定結果を生成し、測定結果は、第二の装置に、第一の装置のデータ送信範囲を判別して、第一のメッセージを送るために前記送信範囲に基づいて適正なセルを選択することを命令するために使われるものであり；第一の装置は、前記測定結果を第二の装置に送り；第二の装置は、第一の装置によって送られた測定結果を受信し；第二の装置は、前記測定結果に基づいて、第一の装置のデータ送信範囲を判別し、第一のメッセージを送るために前記送信範囲に基づいて適正なセルを選択する。第一の装置は第二の装置に、データ送信範囲を示す測定結果を送り、それにより第二の装置は、データ送信範囲を判別し、第一のメッセージを送るために、前記データ送信範囲に基づいて適正なセルを選択する。これは、第二の装置が第一の装置からデータ送信範囲を得ることができないという問題を解決する。
【０３６４】
本発明は、第一の装置を提供する。第一の装置は、図４における第一の装置１０１であってもよく、図５、図１５および図１７のスケジューリング方法に適用される。図２０に示されるように、第一の装置は：
第二の装置から半持続的スケジューリングSPS構成情報を受信するよう構成された受信ユニット１０１１であって、前記SPS構成情報は前記第二の装置によって使われるSPS資源構成を示すために使われ；
前記受信ユニット１０１１はさらに、前記第二の装置からSPS有効化情報を受信するよう構成されており、前記SPS有効化情報は有効化されたSPS資源を示すために使われ、該有効化されたSPS資源は前記SPS資源構成における一つまたは複数のSPS資源である、受信ユニットと；
前記第二の装置にSPS命令情報を送るよう構成された送信ユニット１０１２であって、前記SPS命令情報は、前記有効化されたSPS資源のスケジューリング資源を使うまたは使わないことを命令するために使われる、送信ユニットとを含む。
【０３６５】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０３６６】
例が与えられる。SPS資源構成は下記のうちの少なくとも一つまたは組み合わせを含む：
m個の利用可能なスケジューリング資源をもつSPSスケジューリング間隔；または
M個のSPSスケジューリング間隔。
【０３６７】
例が与えられる。任意的に、図２１を参照するに、第一の装置はさらに処理ユニット１０１３を含み、該処理ユニットは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント（grant）資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント（grant）資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０３６８】
例が与えられる。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０３６９】
例が与えられる。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０３７０】
例が与えられる。前記時間窓は、前記送信ユニット１０１２によって前記第二の装置に送られる；または
前記時間窓は、前記第二の装置によって前記受信ユニット１０１１に送られる。
【０３７１】
例が与えられる。前記処理ユニット１０１３はさらに、SPS解放情報を決定するよう構成され、前記SPS解放情報は、有効化されたSPS資源のうちの一部または全部のスケジューリング資源を解放することを命令するために使われる。
【０３７２】
前記送信ユニット１０１２はさらに、前記SPS解放情報を前記第二の装置に送るよう構成される。
【０３７３】
例が与えられる。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０３７４】
例が与えられる。前記受信ユニット１０１１はさらに、前記第二の装置からSPS解放情報を受信するよう構成され、前記SPS解放情報は、有効化されたSPS資源の一部または全部のスケジューリング資源を解放することを命令するために使われる。
【０３７５】
例が与えられる。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０３７６】
例が与えられる。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０３７７】
例が与えられる。前記SPSは、ネットワークと端末の間でまたは端末間で使われる。
【０３７８】
処理ユニット１０１３は、独立して配置されたプロセッサであってもよく、あるいは第一の装置のプロセッサに統合されてもよく、あるいは第一の装置のメモリに、該処理ユニットの上記の機能を実行するために第一の装置のプロセッサによって呼び出されるプログラム・コードの形で記憶されてもよいことを注意しておくべきである。本稿でのプロセッサは、中央処理ユニット（central  processing  unit、CPU）、特定用途向け集積回路（application-specific  integrated  circuit、ASIC）または本発明のこの実施形態を実装するよう構成された一つまたは複数の集積回路でありうる。
【０３７９】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０３８０】
本発明は、第二の装置を提供する。第二の装置は、図４における第二の装置１０２であってもよく、図５、図１５および図１７のスケジューリング方法に適用される。図２２に示されるように、第二の装置は：
第一の装置に半持続的スケジューリングSPS構成情報を送るよう構成された送信ユニット１０２１であって、前記SPS構成情報は前記第二の装置によって使われるSPS資源構成を示すために使われ；
前記送信ユニット１０２１はさらに、前記第一の装置にSPS有効化情報を送るよう構成され、前記SPS有効化情報は有効化されたSPS資源を示すために使われ、該有効化されたSPS資源は前記SPS資源構成における一つまたは複数のSPS資源である、送信ユニットと；
前記第一の装置からSPS命令情報を受信するよう構成された受信ユニット１０２２であって、前記SPS命令情報は、前記有効化されたSPS資源のスケジューリング資源を使うまたは使わないことを命令するために使われる、受信ユニットとを含む。
【０３８１】
本発明のこの実施形態における第二の装置は、図５、図１５および図１７に示された方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０３８２】
例が与えられる。SPS資源構成は下記のうちの少なくとも一つまたは組み合わせを含む：
m個の利用可能なスケジューリング資源をもつSPSスケジューリング間隔；または
M個のSPSスケジューリング間隔。
【０３８３】
例が与えられる。任意的に、図２３を参照するに、第二の装置はさらに処理ユニット１０２３を含み、該処理ユニットは：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０３８４】
例が与えられる。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０３８５】
例が与えられる。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０３８６】
例が与えられる。前記時間窓は、前記送信ユニット１０２１によって前記第二の装置に送られる；または
前記時間窓は、前記第二の装置によって前記受信ユニット１０２２に送られる。
【０３８７】
例が与えられる。前記受信ユニット１０２２はさらに、前記第一の装置からSPS解放情報を受信するよう構成され、前記SPS解放情報は、有効化されたSPS資源のうちの一部または全部のスケジューリング資源を解放することを命令するために使われる。
【０３８８】
例が与えられる。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０３８９】
例が与えられる。前記処理ユニット１０２３はさらに、SPS解放情報を決定するよう構成され、前記SPS解放情報は、有効化されたSPS資源の一部または全部のスケジューリング資源を解放することを命令するために使われる。
【０３９０】
前記送信ユニット１０２１はさらに、前記第一の装置に前記SPS解放情報を送るよう構成される。
【０３９１】
例が与えられる。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０３９２】
例が与えられる。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０３９３】
例が与えられる。前記SPSは、ネットワークと端末の間でまたは端末間で使われる。
【０３９４】
処理ユニット１０２３は、独立して配置されたプロセッサであってもよく、あるいは第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（central  processing  unit、CPU）、特定用途向け集積回路（application-specific  integrated  circuit、ASIC）または本発明のこの実施形態を実装するよう構成された一つまたは複数の集積回路でありうる。
【０３９５】
本発明のこの実施形態における第二の装置は、図５、図１５および図１７に示された方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０３９６】
本発明は、第一の装置を提供する。第一の装置は、図４における第一の装置１０１であってもよく、図１８のスケジューリング方法および車両対万物V2X通信に適用される。図２４に示されるように、第一の装置は：
サービス要件および／またはサービスのメッセージ型に基づいて、ランダムアクセスRAプリアンブル・シーケンスおよび／または前記RAプリアンブル・シーケンスの電波資源を使うことを決定するよう構成された処理ユニット１０１４であって、前記RAプリアンブル・シーケンスおよび／または前記RAプリアンブル・シーケンスの電波資源は、前記第一の装置のデータのサービス要件および／またはメッセージ型を示すために使われる、処理ユニットと；
決定された前記RAプリアンブル・シーケンスおよび／または前記RAプリアンブル・シーケンスの電波資源に基づいて、第二の装置へのランダムアクセスを開始するよう構成された送信ユニット１０１５とを含む。
【０３９７】
本発明のこの実施形態における第一の装置は、図１８に示された方法手順を実行するよう構成されてもよい。よって、第一の装置によって得られる技術的効果については、図１８において示した方法実施形態を参照されたい。本発明のこの実施形態において詳細を繰り返すことはしない。
【０３９８】
例が提供される。前記サービス要件はさらに、時間要件および／またはレート要件を含む。
【０３９９】
例が提供される。任意的に、図２５に示されるように、第一の装置はさらに受信ユニット１０１６を含み、該受信ユニットは、前記処理ユニット１０１４が、V2Xサービスのサービス要件および／またはメッセージ型に基づいて、RAプリアンブル・シーケンスおよび／または前記RAプリアンブル・シーケンスの電波資源を使うことを決定する前に、前記第二の装置から、前記RAプリアンブル・シーケンスおよび／または前記RAプリアンブル・シーケンスの電波資源を受信するよう構成される。
【０４００】
例が提供される。前記処理ユニット１０１４はさらに：V2Xサービスがある、または該処理ユニット１０４が計算を通じて、スケジューリング要求SRがV2Xサービスのサービス要件を満たさないことを見出すときに、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０４０１】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４０２】
例が提供される。サービスのサービス要件は、V2Xサービスのサービス要件を含む。
【０４０３】
処理ユニット１０１４は、独立して配置されたプロセッサであってもよく、あるいは実装のために第一の装置のプロセッサに統合されてもよく、あるいは第一の装置のメモリに、該処理ユニットの上記の機能を実行するために第一の装置のプロセッサによって呼び出されるプログラム・コードの形で記憶されてもよいことを注意しておくべきである。本稿でのプロセッサは、中央処理ユニット（central  processing  unit、CPU）、特定用途向け集積回路（application-specific  integrated  circuit、ASIC）または本発明のこの実施形態を実装するよう構成された一つまたは複数の集積回路でありうる。
【０４０４】
本発明のこの実施形態における第一の装置は、図１８に示された方法手順を実行するよう構成されてもよい。よって、第一の装置によって得られる技術的効果については、図１８において示した方法実施形態を参照されたい。本発明のこの実施形態において詳細を繰り返すことはしない。
【０４０５】
本発明は、第二の装置を提供する。第二の装置は、図４における第一の装置１０２であってもよく、図１８のスケジューリング方法および車両対万物V2X通信に適用される。図２６に示されるように、第二の装置は：
第一の装置からランダムアクセスを受けるよう構成された受信ユニット１０２４と；
前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てるよう構成された処理ユニット１０２５とを含み、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる。
【０４０６】
本発明のこの実施形態における第二の装置は、図１８に示された方法手順を実行するよう構成されてもよい。よって、第二の装置によって得られる技術的効果については、図１８において示した方法実施形態を参照されたい。本発明のこの実施形態において詳細を繰り返すことはしない。
【０４０７】
例が提供される。前記サービス要件はさらに、時間要件および／またはレート要件を含む。
【０４０８】
例が提供される。図２７に示されるように、第二の装置はさらに：前記受信ユニット１０２４が第一の装置からランダムアクセスを受ける前に、前記第一の装置に、前記RAプリアンブル・シーケンスおよび／または前記RAプリアンブル・シーケンスの電波資源を送るよう構成された送信ユニット１０２６を含む。
【０４０９】
例が提供される。前記受信ユニット１０２４はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０４１０】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４１１】
例が提供される。サービスのサービス要件は、V2Xサービスのサービス要件を含む。
【０４１２】
処理ユニット１０２５は、独立して配置されたプロセッサであってもよく、あるいは実装のために第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（central  processing  unit、CPU）、特定用途向け集積回路（application-specific  integrated  circuit、ASIC）または本発明のこの実施形態を実装するよう構成された一つまたは複数の集積回路でありうる。
【０４１３】
本発明のこの実施形態における第二の装置は、図１８に示された方法手順を実行するよう構成されてもよい。よって、第二の装置によって得られる技術的効果については、図１８において示した方法実施形態を参照されたい。本発明のこの実施形態において詳細を繰り返すことはしない。
【０４１４】
本発明は、第一の装置を提供する。第一の装置は、図４における第一の装置１０１であってもよく、図１９のスケジューリング方法および車両対万物V2X通信に適用される。図２８に示されるように、第一の装置は：
電波資源および／または電波信号を測定して測定結果を生成するよう構成された処理ユニット１０１７であって、前記測定結果は、第二の装置に、前記第一の装置のデータ送信範囲を判別して、第一のメッセージを送るために前記送信範囲に基づいて適正なセルを選択することを命令するために使われる、処理ユニットと；
前記測定結果を前記第二の装置に送るよう構成された送信ユニット１０１８とを含む。
【０４１５】
本発明のこの実施形態における第一の装置は、図１９に示された方法手順を実行するよう構成されてもよい。よって、第一の装置によって得られる技術的効果については、図１９において示した方法実施形態を参照されたい。本発明のこの実施形態において詳細を繰り返すことはしない。
【０４１６】
例が提供される。前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０４１７】
例が提供される。前記送信ユニット１０１８は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０４１８】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０４１９】
例が提供される。前記送信ユニット１０１８は具体的には、前記第一の装置の移動性情報を、UU‐サイドリンク変換プロセスにおいて送るよう構成される。UUは端末とネットワークの間のリンクであり、サイドリンクは装置対装置のリンクである。
【０４２０】
例が提供される。前記送信ユニット１０１８は具体的には、前記測定結果および／または前記第一の装置の位置情報を前記第二の装置に送るよう構成される。
【０４２１】
例が提供される。前記送信ユニット１０１８は：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０４２２】
例が提供される。前記送信ユニット１０１８は具体的には、前記測定結果および／または前記第一の装置の位置情報を前記第二の装置に定期的に送るよう構成される。
【０４２３】
例が提供される。前記移動性情報はさらに、V2Xメッセージ型情報および／または前記第一の装置のV2Xメッセージ送信距離情報を含む。
【０４２４】
例が提供される。前記送信ユニット１０１８は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０４２５】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０４２６】
本発明のこの実施形態における第一の装置は、図１９に示された方法手順を実行するよう構成されてもよい。よって、第一の装置によって得られる技術的効果については、図１９において示した方法実施形態を参照されたい。本発明のこの実施形態において詳細を繰り返すことはしない。
【０４２７】
本発明は、第二の装置を提供する。第二の装置は、図４における第一の装置１０２であってもよく、図１９のスケジューリング方法および車両対万物V2X通信に適用される。図２９に示されるように、第二の装置は：
第一の装置から測定結果を受信するよう構成された受信ユニット１０２７であって、前記測定結果は、測定された電波資源および／または測定された電波信号に基づいて前記第一の装置によって生成される、受信ユニットと；
前記測定結果に基づいて、前記第一の装置のデータ送信範囲を判別するよう構成された処理ユニット１０２８と；
第一のメッセージを送るために前記送信範囲に基づいて適正なセルを選択するよう構成された送信ユニット１０２９とを含む。
【０４２８】
本発明のこの実施形態における第二の装置は、図１９に示された方法手順を実行するよう構成されてもよい。よって、第二の装置によって得られる技術的効果については、図１９において示した方法実施形態を参照されたい。本発明のこの実施形態において詳細を繰り返すことはしない。
【０４２９】
例が提供される。前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０４３０】
例が提供される。前記受信ユニット１０２７は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０４３１】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０４３２】
例が提供される。前記受信ユニット１０２７は具体的には、前記第一の装置の移動性情報を、UU‐サイドリンク変換プロセスにおいて受信するよう構成される。UUは端末とネットワークの間のリンクであり、サイドリンクは装置対装置のリンクである。
【０４３３】
例が提供される。前記受信ユニット１０２７は具体的には、前記測定結果および／または前記第一の装置の位置情報を前記第一の装置から受信するよう構成される。
【０４３４】
例が提供される。前記受信ユニット１０２７は：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０４３５】
例が提供される。前記受信ユニット１０２７は具体的には、前記測定結果および／または前記第一の装置の位置情報を前記第一の装置から定期的に受信するよう構成される。
【０４３６】
例が提供される。前記移動性情報はさらに、V2Xメッセージ型情報および／または前記第一の装置のV2Xメッセージ送信距離情報を含む。
【０４３７】
例が提供される。前記受信ユニット１０２７は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０４３８】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０４３９】
処理ユニット１０２８は、独立して配置されたプロセッサであってもよく、あるいは実装のために第二の装置のプロセッサに統合されてもよく、あるいは第二の装置のメモリに、該処理ユニットの上記の機能を実行するために第二の装置のプロセッサによって呼び出されるプログラム・コードの形で記憶されてもよいことを注意しておくべきである。本稿でのプロセッサは、中央処理ユニット（central  processing  unit、CPU）、特定用途向け集積回路（application-specific  integrated  circuit、ASIC）または本発明のこの実施形態を実装するよう構成された一つまたは複数の集積回路でありうる。
【０４４０】
本発明のこの実施形態における第二の装置は、図１９に示された方法手順を実行するよう構成されてもよい。よって、第二の装置によって得られる技術的効果については、図１９において示した方法実施形態を参照されたい。本発明のこの実施形態において詳細を繰り返すことはしない。
【０４４１】
本発明は、第一の装置を提供する。第一の装置は、図４における第一の装置１０１であってもよく、図５、図１５および図１７のスケジューリング方法に適用される。図３０に示されるように、第一の装置は：プロセッサ３００１と、第一のインターフェース回路３００２と、第二のインターフェース回路３００３と、メモリ３００４と、バス３００５とを含む。前記プロセッサ３００１、前記第一のインターフェース回路３００２、前記第二のインターフェース回路３００３および前記メモリ３００４は、前記バス３００５を使って接続され、相互通信を実装する。前記プロセッサ３００１は、下記の動作を実行するよう前記第一のインターフェース回路３００２および前記第二のインターフェース回路３００３を制御するための前記メモリ３００４内のプログラム・コードを実行するよう構成される：
前記第一のインターフェース回路３００２によって第二の装置から半持続的スケジューリングSPS構成情報を受信する段階であって、前記SPS構成情報は前記第二の装置によって使われるSPS資源構成を示すために使われる、段階と；
前記第一のインターフェース回路３００２によって前記第二の装置からSPS有効化情報を受信する段階であって、前記SPS有効化情報は有効化されたSPS資源を示すために使われ、該有効化されたSPS資源は前記SPS資源構成における一つまたは複数のSPS資源である、段階と；
前記第二のインターフェース回路３００３によって前記第二の装置にSPS命令情報を送る段階であって、前記SPS命令情報は、前記有効化されたSPS資源のスケジューリング資源を使うまたは使わないことを命令するために使われる、段階。
【０４４２】
本発明のこの実施形態における第一の装置は、図５、図１５および図１７に示された方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０４４３】
例が提供される。SPS資源構成は下記のうちの少なくとも一つまたは組み合わせを含む：
m個の利用可能なスケジューリング資源をもつSPSスケジューリング間隔；または
M個のSPSスケジューリング間隔。
【０４４４】
例が提供される。前記プロセッサ３００１は、SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０４４５】
例が提供される。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０４４６】
例が提供される。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０４４７】
例が提供される。前記時間窓は、前記第二のインターフェース回路３００３によって前記第二の装置に送られる；または
前記時間窓は、前記第二の装置によって前記第一のインターフェース回路３００２に送られる。
【０４４８】
例が提供される。前記プロセッサ３００１はさらに、SPS解放情報を決定するよう構成され、前記SPS解放情報は、有効化されたSPS資源のうちの一部または全部のスケジューリング資源を解放することを命令するために使われる。
【０４４９】
前記第二のインターフェース回路３００３はさらに、前記SPS解放情報を前記第二の装置に送るよう構成される。
【０４５０】
例が提供される。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令するために使われる。
【０４５１】
例が提供される。前記第一のインターフェース回路３００２はさらに、前記第二の装置からSPS解放情報を受信するよう構成され、前記SPS解放情報は、有効化されたSPS資源の一部または全部のスケジューリング資源を解放することを命令するために使われる。
【０４５２】
例が提供される。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０４５３】
例が提供される。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０４５４】
例が提供される。前記SPSは、ネットワークと端末の間でまたは端末間で使われる。
【０４５５】
本稿におけるプロセッサ３００１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０４５６】
メモリ３００４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３００４はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０４５７】
バス３００５は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３００５は、アドレス・バス、データ・バス、制御バスなどに分類されてもよい。図３０では表現の簡単のため、バス３００５はただ一つの太線を使って表わされているが、これはただ一つのバスまたは一つの型のバスしかないことを意味するものではない。
【０４５８】
プロセッサ３００１は、第一のインターフェース回路３００２および第二のインターフェース回路３００３と一緒に図５、図１５または図１７に示される実施形態において提供される方法を実行するためのメモリ内のプログラム・コードを実行するよう構成される。
【０４５９】
具体的には、プロセッサ３００１は、図５、図１５または図１７に示される実施形態における第一の装置の処理ユニットの機能を実行するようメモリ内の前記プログラムを実行するよう構成される。
【０４６０】
第一のインターフェース回路３００２は、図５、図１５または図１７に示される実施形態における第一の装置の受信ユニットの機能を実行するよう構成される。
【０４６１】
第二のインターフェース回路３００３は、図５、図１５または図１７に示される実施形態における第一の装置の送信ユニットの機能を実行するよう構成される。
【０４６２】
本発明のこの実施形態における第一の装置は、図５、図１５および図１７に示される方法手順を実行するよう構成されてもよい。よって、第一の装置によって得られる技術的効果については、図５、図１５および図１７において示した方法実施形態を参照されたい。本発明のこの実施形態において詳細を繰り返すことはしない。
【０４６３】
本発明は、第二の装置を提供する。第二の装置は、図４における第二の装置１０２であってもよく、図５、図１５および図１７のスケジューリング方法に適用される。図３１に示されるように、第二の装置は：プロセッサ３１０１と、第一のインターフェース回路３１０２と、第二のインターフェース回路３１０３と、メモリ３１０４と、バス３１０５とを含む。前記プロセッサ、前記第一のインターフェース回路３１０２、前記第二のインターフェース回路３１０３および前記メモリ３１０４は、前記バス３１０５を使って接続され、相互通信を実装する。前記プロセッサ３１０１は、下記の動作を実行するよう前記第一のインターフェース回路３００２および前記第二のインターフェース回路３００３を制御するための前記メモリ３１０４内のプログラム・コードを実行するよう構成される：
前記第一のインターフェース回路３１０２によって第一の装置に半持続的スケジューリングSPS構成情報を送る段階であって、前記SPS構成情報は前記第二の装置によって使われるSPS資源構成を示すために使われる、段階と；
前記第一のインターフェース回路３１０２によって前記第一の装置にSPS有効化情報を送る段階であって、前記SPS有効化情報は有効化されたSPS資源を示すために使われ、該有効化されたSPS資源は前記SPS資源構成における一つまたは複数のSPS資源である、段階と；
前記第二のインターフェース回路３１０３によって、前記第一の装置からSPS命令情報を受信する段階であって、前記SPS命令情報は、前記有効化されたSPS資源のスケジューリング資源を使うまたは使わないことを命令するために使われる、段階。
【０４６４】
本発明のこの実施形態における第二の装置は、図５、図１５および図１７に示される方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０４６５】
例が提供される。SPS資源構成は下記のうちの少なくとも一つまたは組み合わせを含む：
m個の利用可能なスケジューリング資源をもつSPSスケジューリング間隔；または
M個のSPSスケジューリング間隔。
【０４６６】
例が提供される。前記プロセッサ３１０１は：SPS資源構成がm個の利用可能なスケジューリング資源をもつSPSスケジューリング間隔であるとき、下記の動作のうちの少なくとも一つまたは組み合わせを実行するよう構成される：
SPS-CRNTIを使ってスクランブルされたDCIに基づいて現在サブフレームにおいて決定されたULグラント資源を、前記m個の利用可能なスケジューリング資源によって占められる資源として使う；または
前記SPS間隔においてi番目の利用可能なスケジューリング資源に対応するサブフレームの前のサブフレームにおいてまたは現在サブフレームにおいてSPS-CRNTIを使ってスクランブルされたDCIに基づいて決定されたULグラント資源を、前記i番目の利用可能なスケジューリング資源によって占められる資源として使う。ここで、前記i番目の利用可能なスケジューリング資源は前記m個の利用可能なスケジューリング資源の一つである；または
SPS-CRNTIを使ってスクランブルされたDCIを使って、前記m個の利用可能なスケジューリング資源のうちの一つまたは複数を有効化する。
【０４６７】
例が提供される。SPS資源構成がM個のSPSスケジューリング間隔であるとき、SPS有効化情報が有効化されたSPS資源を示すために使われることは、下記のうちの少なくとも一つまたは組み合わせを含む：
DCIにおけるビットマップbitmapにおけるMビットが、前記M個のSPSスケジューリング間隔のうちの一つまたは複数を有効化および／または無効化することを命令するために使われる；または
前記SPS有効化情報の時間周波数資源が、前記M個のSPSスケジューリング間隔のうちの一つを有効化および／または無効化することを命令するために使われる；または
前記SPS有効化情報の内容が、前記M個のSPSスケジューリング間隔のうちの一つまたは複数を有効化および／または無効化することを命令するために使われる。
【０４６８】
例が提供される。SPS命令情報が有効化されたSPS資源のスケジューリング資源を使うまたは使わないことを命令するために使われることは、下記のうちの一方を含む：
前記SPS資源構成がm個の利用可能なスケジューリング資源をもつSPSスケジューリング間隔であるときは、前記SPS命令情報は、ある時間窓内の前記m個の利用可能なスケジューリング資源のうちの連続するスケジューリング資源を使うまたは使わないことを命令するために使われる、または
前記SPS資源構成がM個のSPSスケジューリング間隔であるときは、前記SPS命令情報は、ある時間窓内の前記M個のSPSスケジューリング間隔のうちのN個のSPSスケジューリング間隔における連続するスケジューリング資源を使うまたは使わないことを命令するために使われ、N≦Mである。
【０４６９】
例が提供される。前記時間窓は、前記第一のインターフェース回路３１０２によって前記第二の装置に送られる；または
前記時間窓は、前記第二の装置によって前記第二のインターフェース回路３１０３に送られる。
【０４７０】
例が提供される。前記第二のインターフェース回路３１０３はさらに、前記第一の装置からSPS解放情報を受信するよう構成され、前記SPS解放情報は、有効化されたSPS資源のうちの一部または全部のスケジューリング資源を解放することを命令するために使われる。
【０４７１】
例が提供される。前記SPS解放情報が、有効化されたSPS資源のうちの一部または全部のSPS資源を解放することを命令するために使われることは、下記のうちの少なくとも一つまたは組み合わせを含む：
前記SPS資源構成がm個の利用可能なスケジューリング資源をもつSPSスケジューリング間隔であるときは、前記SPSスケジューリング間隔における前記m個の利用可能なスケジューリング資源のうちの任意のスケジューリング資源よりも前のサブフレームまたは短サブフレームにおいて送られる前記SPS解放情報が、前記任意のスケジューリング資源を解放することを命令するために使われる；または
前記SPS資源構成がM個のSPSスケジューリング間隔であるときは、上りリンク制御情報UCIが、有効化されたSPS資源の一つまたは複数のSPSスケジューリング間隔を解放することを命令する。
【０４７２】
例が提供される。前記プロセッサ３１０１はさらに、SPS解放情報を決定するよう構成され、前記SPS解放情報は、有効化されたSPS資源の一部または全部のスケジューリング資源を解放することを命令するために使われる。
【０４７３】
前記第一のインターフェース回路３１０２はさらに、前記第一の装置に前記SPS解放情報を送るよう構成される。
【０４７４】
例が提供される。前記SPS資源構成がM個のSPSスケジューリング間隔であるとき、前記SPS解放情報が、有効化されたSPS資源のうちの一部または全部のスケジューリング資源を解放することを命令するために使われることは、下記のうちの一方を含む：
DCIにおけるハイブリッド自動反復要求HARQ識別子が、有効化されたSPS資源のうちのあるSPS資源を解放することを命令するために使われる；または
有効化されたSPS資源の任意のスケジューリング資源で送られた前記SPS解放情報が、前記任意のスケジューリング資源に対応するすべてのSPSスケジューリング資源を解放することを命令するために使われる。
【０４７５】
例が提供される。前記SPS資源構成は下りリンクSPS資源を含み、前記有効化されたSPS資源または無効化されたSPS資源は前記下りリンクSPS資源を含む；または
前記SPS資源構成は上りリンクSPS資源を含み、前記有効化されたSPS資源または無効化されたSPS資源は前記上りリンクSPS資源を含む。
【０４７６】
例が提供される。前記SPSは、ネットワークと端末の間でまたは端末間で使われる。
【０４７７】
本稿におけるプロセッサ３１０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０４７８】
メモリ３１０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３１０４はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０４７９】
バス３１０５は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３１０５は、アドレス・バス、データ・バス、制御バスなどに分類されてもよい。図３１では表現の簡単のため、バス３１０５はただ一つの太線を使って表わされているが、これはただ一つのバスまたは一つの型のバスしかないことを意味するものではない。
【０４８０】
プロセッサ３１０１は、第一のインターフェース回路３１０２および第二のインターフェース回路３１０３と一緒に図５、図１５または図１７に示される実施形態において提供される方法を実行するためのメモリ内のプログラム・コードを実行するよう構成される。
【０４８１】
具体的には、プロセッサ３１０１は、図５、図１５または図１７に示される実施形態における第二の装置の処理ユニットの機能を実行するようメモリ内の前記プログラム・コードを実行するよう構成される。
【０４８２】
第一のインターフェース回路３１０２は、図５、図１５または図１７に示される実施形態における第二の装置の送信ユニットの機能を実行するよう構成される。
【０４８３】
第二のインターフェース回路３１０３は、図５、図１５または図１７に示される実施形態における第二の装置の受信ユニットの機能を実行するよう構成される。
【０４８４】
本発明のこの実施形態における第二の装置は、図５、図１５および図１７に示される方法手順を実行するよう構成されてもよい。よって、第二の装置によって得られる技術的効果については、図５、図１５および図１７において示した方法実施形態を参照されたい。本発明のこの実施形態において詳細を繰り返すことはしない。
【０４８５】
本発明は、第一の装置を提供する。第一の装置は、図４における第一の装置１０１であってもよく、図１８のスケジューリング方法および車両対万物V2X通信に適用される。図３２に示されるように、第一の装置は：プロセッサ３２０１と、第一のインターフェース回路３２０２と、第二のインターフェース回路３２０３と、メモリ３２０４と、バス３２０５とを含む。前記プロセッサ３２０１、前記第一のインターフェース回路３２０２、前記第二のインターフェース回路３２０３および前記メモリ３２０４は、前記バス３２０５を使って接続され、相互通信を実装する。前記プロセッサ３２０１は、下記の動作を実行するよう前記第一のインターフェース回路３２０２および前記第二のインターフェース回路３２０３を制御するための前記メモリ３２０４内のプログラム・コードを実行するよう構成される：
前記プロセッサ３２０１によって、サービス要件および／またはサービスのメッセージ型に基づいて、ランダムアクセスRAプリアンブル・シーケンスおよび／または前記RAプリアンブル・シーケンスの電波資源を使うことを決定する段階であって、前記RAプリアンブル・シーケンスおよび／または前記RAプリアンブル・シーケンスの電波資源は、前記第一の装置のデータのサービス要件および／またはメッセージ型を示すために使われる、段階と；
前記第一のインターフェース回路３２０２によって、決定された前記RAプリアンブル・シーケンスおよび／または前記RAプリアンブル・シーケンスの電波資源に基づいて、第二の装置へのランダムアクセスを開始する段階。
【０４８６】
本発明のこの実施形態における第一の装置は、図１８に示される方法手順を実行するよう構成されてもよい。よって、第一の装置によって得られる技術的効果については、図１８において示した方法実施形態を参照されたい。本発明のこの実施形態において詳細を繰り返すことはしない。
【０４８７】
例が提供される。前記サービス要件はさらに、時間要件および／またはレート要件を含む。
【０４８８】
例が提供される。第二のインターフェース回路３２０３は：前記プロセッサ３２０１が、サービス要件および／またはV2Xサービスのメッセージ型に基づいて、RAプリアンブル・シーケンスおよび／または前記RAプリアンブル・シーケンスの電波資源を使うことを決定する前に：前記第二の装置から、前記RAプリアンブル・シーケンスおよび／または前記RAプリアンブル・シーケンスの電波資源を受信するよう構成される。
【０４８９】
例が提供される。前記プロセッサ３２０１はさらに：V2Xサービスがある、または前記プロセッサ３２０１が計算を通じて、スケジューリング要求SRがV2Xサービスのサービス要件を満たさないことを見出すとき、サービス要件および／またはサービスのメッセージ型に基づいて、ランダムアクセスRAプリアンブル・シーケンスおよび／または前記RAプリアンブル・シーケンスの電波資源を使うことを決定するよう構成される。
【０４９０】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０４９１】
例が提供される。サービスのサービス要件は、V2Xサービスのサービス要件を含む。
【０４９２】
本稿におけるプロセッサ３２０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０４９３】
メモリ３２０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３２０４はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０４９４】
バス３２０５は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３２０５は、アドレス・バス、データ・バス、制御バスなどに分類されてもよい。図３２では表現の簡単のため、バス３２０５はただ一つの太線を使って表わされているが、これはただ一つのバスまたは一つの型のバスしかないことを意味するものではない。
【０４９５】
プロセッサ３２０１は、第一のインターフェース回路３２０２および第二のインターフェース回路３２０３と一緒に図１８に示される方法実施形態において提供される方法を実行するためのメモリ内のプログラム・コードを実行するよう構成される。
【０４９６】
具体的には、プロセッサ３２０１は、図１８に示される実施形態における第一の装置の処理ユニットの機能を実行するようメモリ内の前記プログラム・コードを実行するよう構成される。
【０４９７】
第一のインターフェース回路３２０２は、図１８に示される実施形態における第一の装置の送信ユニットの機能を実行するよう構成される。
【０４９８】
第二のインターフェース回路３２０３は、図１８に示される実施形態における第一の装置の受信ユニットの機能を実行するよう構成される。
【０４９９】
本発明のこの実施形態における第一の装置は、図１８に示される方法手順を実行するよう構成されてもよい。よって、第一の装置によって得られる技術的効果については、図１８において示した方法実施形態を参照されたい。本発明のこの実施形態において詳細を繰り返すことはしない。
【０５００】
本発明は、第二の装置を提供する。第二の装置は、図４における第二の装置１０２であってもよく、図１８のスケジューリング方法および車両対万物V2X通信に適用される。図３３に示されるように、第二の装置は：プロセッサ３３０１と、第一のインターフェース回路３３０２と、第二のインターフェース回路３３０３と、メモリ３３０４と、バス３３０５とを含む。前記プロセッサ３３０１、前記第一のインターフェース回路３３０２、前記第二のインターフェース回路３３０３および前記メモリ３３０４は、前記バス３３０５を使って接続され、相互通信を実装する。前記プロセッサ３３０１は、下記の動作を実行するよう前記第一のインターフェース回路３３０２および前記第二のインターフェース回路３３０３を制御するための前記メモリ３３０４内のプログラム・コードを実行するよう構成される：
前記第一のインターフェース回路３３０２によって、第一の装置からランダムアクセスを受ける段階と；
前記プロセッサ３３０１によって、前記第一の装置がランダムアクセスを実行するときに使われるRAプリアンブル・シーケンスおよび／または前記RAプリアンブル・シーケンスの電波資源に基づいて、前記第一の装置にスケジューリング資源を割り当てる段階であって、前記RAプリアンブル・シーケンスおよび／または前記RAプリアンブル・シーケンスの電波資源は、サービスのサービス要件および／またはメッセージ型に基づいて前記第一の装置によって決定され、前記第一の装置のデータのサービス要件および／またはメッセージ型を示すために使われる、段階。
【０５０１】
本発明のこの実施形態における第二の装置は、図１８に示される方法手順を実行するよう構成されてもよい。よって、第二の装置によって得られる技術的効果については、図１８において示した方法実施形態を参照されたい。本発明のこの実施形態において詳細を繰り返すことはしない。
【０５０２】
例が提供される。前記サービス要件はさらに、時間要件および／またはレート要件を含む。
【０５０３】
例が提供される。第二のインターフェース回路３３０３は：前記第一のインターフェース回路３３０２が前記第一の装置からランダムアクセスを受ける前に、前記第一の装置に、前記RAプリアンブル・シーケンスおよび／または前記RAプリアンブル・シーケンスの電波資源を送るよう構成される。
【０５０４】
例が提供される。前記第一のインターフェース回路３３０２はさらに：V2Xサービスがある、または前記第一の装置が計算を通じて、スケジューリング要求SRがV2Xサービスのサービス要件を満たさないことを見出すときに、前記第一の装置からランダムアクセスを受けるよう構成される。
【０５０５】
例が提供される。前記RAプリアンブル・シーケンスは、既存のRAプリアンブル・シーケンスから分離された指定されたプリアンブル・シーケンスまたは既存のRAプリアンブル・シーケンスを拡張することによって得られるプリアンブル・シーケンスを含む。
【０５０６】
例が提供される。サービスのサービス要件は、V2Xサービスのサービス要件を含む。
【０５０７】
本稿におけるプロセッサ３３０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０５０８】
メモリ３３０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３３０４はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０５０９】
バス３３０５は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３３０５は、アドレス・バス、データ・バス、制御バスなどに分類されてもよい。図３３では表現の簡単のため、バス３３０５はただ一つの太線を使って表わされているが、これはただ一つのバスまたは一つの型のバスしかないことを意味するものではない。
【０５１０】
プロセッサ３３０１は、第一のインターフェース回路３３０２および第二のインターフェース回路３３０３と一緒に図１８に示される方法実施形態において提供される方法を実行するためのメモリ内のプログラム・コードを実行するよう構成される。
【０５１１】
具体的には、プロセッサ３３０１は、図１８に示される実施形態における第二の装置の処理ユニットの機能を実行するようメモリ内の前記プログラム・コードを実行するよう構成される。
【０５１２】
第一のインターフェース回路３３０２は、図１８に示される実施形態における第二の装置の受信ユニットの機能を実行するよう構成される。
【０５１３】
第二のインターフェース回路３３０３は、図１８に示される実施形態における第二の装置の送信ユニットの機能を実行するよう構成される。
【０５１４】
本発明のこの実施形態における第二の装置は、図１８に示される方法手順を実行するよう構成されてもよい。よって、第二の装置によって得られる技術的効果については、図１８において示した方法実施形態を参照されたい。本発明のこの実施形態において詳細を繰り返すことはしない。
【０５１５】
本発明は、第一の装置を提供する。第一の装置は、図４における第一の装置１０１であってもよく、図１９のスケジューリング方法および車両対万物V2X通信に適用される。図３４に示されるように、第一の装置は：プロセッサ３４０１と、第一のインターフェース回路３４０２と、メモリ３４０３と、バス３４０４とを含む。前記プロセッサ３４０１、前記第一のインターフェース回路３４０２および前記メモリ３４０３は、前記バス３４０４を使って接続され、相互通信を実装する。前記プロセッサ３４０１は、下記の動作を実行するよう前記第一のインターフェース回路３４０２を制御するための前記メモリ３４０３内のプログラム・コードを実行するよう構成される：
前記プロセッサ３４０１によって、電波資源および／または電波信号を測定して測定結果を生成する段階であって、前記測定結果は、第二の装置に、前記第一の装置のデータ送信範囲を判別して、第一のメッセージを送るために前記送信範囲に基づいて適正なセルを選択することを命令するために使われる、段階と；
前記第一のインターフェース回路３４０２によって、前記測定結果を前記第二の装置に送る段階。
【０５１６】
本発明のこの実施形態における第一の装置は、図１９に示される方法手順を実行するよう構成されてもよい。よって、第一の装置によって得られる技術的効果については、図１９において示した方法実施形態を参照されたい。本発明のこの実施形態において詳細を繰り返すことはしない。
【０５１７】
例が提供される。前記測定結果は、指定されたセルの測定結果または次の条件を満たす指定されたセルの測定結果を含む：前記測定結果は第一の閾値より低いおよび／または前記第一の閾値の測定結果および第一のオフセット値よりも低い。
【０５１８】
例が提供される。前記第一のインターフェース回路３４０２は具体的には、下記の動作のうちの一方を実行するよう構成される：
V2Xサービスが開始される前に、前記指定されたセルの前記測定結果を前記第二の装置に送る；または
V2Xサービスが開始された後に、前記指定されたセルの前記測定結果を前記第二の装置に送る。
【０５１９】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０５２０】
例が提供される。前記第一のインターフェース回路３４０２は具体的には、前記第一の装置の移動性情報を、UU‐サイドリンク変換プロセスにおいて送るよう構成される。UUは端末とネットワークの間のリンクであり、サイドリンクは装置対装置のリンクである。
【０５２１】
例が提供される。前記第一のインターフェース回路３４０２は具体的には、前記測定結果および／または前記第一の装置の位置情報を前記第二の装置に送るよう構成される。
【０５２２】
例が提供される。前記第一のインターフェース回路３４０２は具体的には：下記の条件のうちのいずれかが満たされるとき、前記測定結果および／または前記第一の装置の位置情報を前記第二の装置に送るよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０５２３】
例が提供される。前記第一のインターフェース回路３４０２は具体的には、前記測定結果および／または前記第一の装置の位置情報を前記第二の装置に定期的に送るよう構成される。
【０５２４】
例が提供される。前記移動性情報はさらに、V2Xメッセージ型情報および／または前記第一の装置のV2Xメッセージ送信距離情報を含む。
【０５２５】
例が提供される。前記第一のインターフェース回路３４０２は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第二の装置に送るよう構成される。
【０５２６】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０５２７】
本稿におけるプロセッサ３４０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０５２８】
メモリ３４０３は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３４０３はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０５２９】
バス３４０４は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３４０４は、アドレス・バス、データ・バス、制御バスなどに分類されてもよい。図３４では表現の簡単のため、バス３４０４はただ一つの太線を使って表わされているが、これはただ一つのバスまたは一つの型のバスしかないことを意味するものではない。
【０５３０】
プロセッサ３４０１は、第一のインターフェース回路３４０２と一緒に図１９に示される方法実施形態において提供される方法を実行するためのメモリ内のプログラム・コードを実行するよう構成される。
【０５３１】
具体的には、プロセッサ３４０１は、図１９に示される実施形態における第一の装置の処理ユニットの機能を実行するようメモリ内の前記プログラム・コードを実行するよう構成される。
【０５３２】
第一のインターフェース回路３４０２は、図１９に示される実施形態における第一の装置の送信ユニットの機能を実行するよう構成される。
【０５３３】
本発明のこの実施形態における第一の装置は、図１９に示される方法手順を実行するよう構成されてもよい。よって、第一の装置によって得られる技術的効果については、図１９において示した方法実施形態を参照されたい。本発明のこの実施形態において詳細を繰り返すことはしない。
【０５３４】
本発明は、第二の装置を提供する。第二の装置は、図４における第一の装置１０２であってもよく、図１９のスケジューリング方法および車両対万物V2X通信に適用される。図３５に示されるように、第二の装置は：プロセッサ３５０１と、第一のインターフェース回路３５０２と、第二のインターフェース回路３５０３と、メモリ３５０４と、バス３５０５とを含む。前記プロセッサ３５０１、前記第一のインターフェース回路３５０２、前記第二のインターフェース回路３５０３および前記メモリ３５０４は、前記バス３５０５を使って接続され、相互通信を実装する。前記プロセッサ３５０１は、下記の動作を実行するよう前記第一のインターフェース回路３５０２および、前記第二のインターフェース回路３５０３を制御するための前記メモリ３５０４内のプログラム・コードを実行するよう構成される：
前記第一のインターフェース回路３５０２によって、第一の装置から測定結果を受信する段階であって、前記測定結果は、測定された電波資源および／または測定された電波信号に基づいて前記第一の装置によって生成される、段階と；
前記プロセッサ３５０１によって、前記測定結果に基づいて、前記第一の装置のデータ送信範囲を判別する段階と；
前記第二のインターフェース回路３５０３によって、第一のメッセージを送るために前記送信範囲に基づいて適正なセルを選択する段階。
【０５３５】
本発明のこの実施形態における第二の装置は、図１９に示される方法手順を実行するよう構成されてもよい。よって、第二の装置によって得られる技術的効果については、図１９において示した方法実施形態を参照されたい。本発明のこの実施形態において詳細を繰り返すことはしない。
【０５３６】
例が提供される。前記測定結果は、指定されたセルの測定結果または次の条件を満たす指定されたセルの測定結果を含む：前記測定結果は第一の閾値より低いおよび／または前記第一の閾値および第一のオフセット値の和よりも低い。
【０５３７】
例が提供される。前記第一のインターフェース回路３５０２は具体的には、下記の動作のうちの一方を実行するよう構成される：
V2Xサービスが開始される前に、前記第一の装置から、前記指定されたセルの前記測定結果を受信する；または
V2Xサービスが開始された後に、前記第一の装置から、前記指定されたセルの前記測定結果を受信する。
【０５３８】
例が提供される。前記測定結果は、前記第一の装置の移動性情報を含み、前記移動性情報は、セルに関係した時間情報と、下記のセル情報のうちの少なくとも一つとを含む：前記第一の装置が通過した、通過中であるまたはこれから通過するセル。
【０５３９】
例が提供される。前記第一のインターフェース回路３５０２は具体的には、前記第一の装置の移動性情報を、UU‐サイドリンク変換プロセスにおいて送るよう構成される。UUは端末とネットワークの間のリンクであり、サイドリンクは装置対装置のリンクである。
【０５４０】
例が提供される。前記第一のインターフェース回路３５０２は具体的には、前記測定結果および／または前記第一の装置の位置情報を前記第一の装置から受信するよう構成される。
【０５４１】
例が提供される。前記第一のインターフェース回路３５０２は具体的には：下記の条件のうちのいずれかが満たされるとき、前記測定結果および／または前記第一の装置の位置情報を前記第一の装置から受信するよう構成される：
前記第一の装置の速度が下記の条件のうちの少なくとも一つを満たす：前記速度が第二の閾値より高い；前記速度が前記第二の閾値のオフセット値より高い；前記速度が第三の閾値より低い；前記速度が前記第三の閾値のオフセット値より低い；前記速度が所定の範囲内である；または
前記第一の装置が、ネットワーク側によって事前に構成設定された地理的位置を通過する；または
前記第一の装置の信号品質が所定の条件を満たす；または
データレートが第四の閾値より低いまたは第四の閾値のオフセット値より低い；または
干渉が第五の閾値より高いまたは干渉が第五の閾値のオフセット値より高い；または
前記第一の装置が、地理的位置ベースの資源割り当てを通じて構成設定された地理的位置変化位置を通過する；または
前記第一の装置が、地理的位置ベースの資源割り当てを通じて構成設定された地理的位置変化位置を通過し、かつ、信号が制約条件を満たし、前記信号によって満たされる前記制約条件は、下記のうちの一つまたは組み合わせを含む：前記信号の測定結果が第一の閾値より低い；前記信号の前記測定結果が前記第一の閾値および第一のオフセット値より低い；前記信号の前記測定結果が前記第一の閾値より高い；前記信号の前記測定結果が前記第一の閾値および前記第一のオフセット値より高い。
【０５４２】
例が提供される。前記第一のインターフェース回路３５０２は具体的には、前記測定結果および／または前記第一の装置の位置情報を前記第一の装置から定期的に受信するよう構成される。
【０５４３】
例が提供される。前記移動性情報はさらに、V2Xメッセージ型情報および／または前記第一の装置のV2Xメッセージ送信距離情報を含む。
【０５４４】
例が提供される。前記第一のインターフェース回路３５０２は具体的には、電波資源制御RRC層、媒体アクセス制御MAC層および物理PHY層のうちの一つまたは組み合わせを使うことによって、前記V2Xメッセージ型情報および／または前記第一の装置の前記V2Xメッセージ送信距離情報を前記第一の装置から受信するよう構成される。
【０５４５】
例が提供される。前記第一のメッセージは、下記のメッセージのうちの一つである：V2Xメッセージ、ウェアラブル・サービス・メッセージ、セルラー・ベースの狭帯域モノのインターネットNB-IoTサービス・メッセージおよびブロードバンド・サービス・メッセージ。
【０５４６】
本稿におけるプロセッサ３５０１は、一つのプロセッサであってもよく、あるいは複数の処理要素の統合名であってもよいことを注意しておくべきである。たとえば、該プロセッサは、中央処理ユニットCPUであってもよく、特定用途向け集積回路ASICであってもよく、あるいは本発明のこの実施形態を実装するよう構成された一つまたは複数の集積回路、たとえば一つまたは複数のマイクロプロセッサ（digital  signal  processor、DSP）または一つまたは複数のフィールドプログラマブルゲートアレイ（field  programmable  gate  array、FPGA）であってもよい。
【０５４７】
メモリ３５０４は、一つの記憶装置であってもよく、あるいは複数の記憶要素の統合名であってもよく、アクセス・ネットワークの管理装置の実行のために必要とされる実行可能プログラム・コードまたはパラメータ、データなどを記憶するよう構成される。さらに、メモリ３５０４はランダムアクセスメモリ（random  access  memory、RAM）を含んでいてもよく、あるいは不揮発性メモリ（non-volatile  memory、NVRAM）、たとえば磁気ディスクメモリまたはフラッシュメモリ（Flash）を含んでいてもよい。
【０５４８】
バス３５０５は、業界標準アーキテクチャー（industry  standard  architecture、ISA）バス、周辺コンポーネント相互接続（peripheral  component  interconnect、PCI）バス、拡張業界標準アーキテクチャー（extended  industry  standard  architecture、EISA）バスなどでありうる。バス３５０５は、アドレス・バス、データ・バス、制御バスなどに分類されてもよい。図３５では表現の簡単のため、バス３５０５はただ一つの太線を使って表わされているが、これはただ一つのバスまたは一つの型のバスしかないことを意味するものではない。
【０５４９】
プロセッサ３５０１は、第一のインターフェース回路３５０２および第二のインターフェース回路３５０３と一緒に図１９に示される方法実施形態において提供される方法を実行するためのメモリ内のプログラム・コードを実行するよう構成される。
【０５５０】
具体的には、第一のインターフェース回路３５０２は、図１９に示される実施形態における第二の装置の受信ユニットの機能を実行するよう構成される。
【０５５１】
第二のインターフェース回路３５０３は、図１９に示される実施形態における第二の装置の送信ユニットの機能を実行するよう構成される。
【０５５２】
本発明のこの実施形態における第二の装置は、図１９に示される方法手順を実行するよう構成されてもよい。よって、第二の装置によって得られる技術的効果については、図１９において示した方法実施形態を参照されたい。本発明のこの実施形態において詳細を繰り返すことはしない。
【０５５３】
上記の諸プロセスにおける逐次番号は本発明のさまざまな実施形態における実行順を意味するものではないことを理解しておくべきである。プロセスの実行順は、プロセスの機能および内部論理に従って決定されるべきであり、本発明の実施形態の実装プロセスに対するいかなる限定としても解釈されるべきではない。
【０５５４】
当業者は、本明細書において開示される実施形態において記述される例との組み合わせにおいて、ユニットおよびアルゴリズム段階が電子的なハードウェアまたはコンピュータ・ソフトウェアと電子的なハードウェアとの組み合わせによって実装されうることを認識しうる。機能がハードウェアまたはソフトウェアのどちらによって実行されるかは、技術的解決策の具体的な用途および設計制約条件に依存する。当業者は、それぞれの具体的な応用のために上記の記載された機能を実装するために種々の方法を使用しうるが、かかる実装が本発明の範囲外であると考えるべきではない。
【０５５５】
当業者には、簡明な記述を目的として、上記のシステム、装置およびユニットの詳細な作動プロセスについて、先行する方法実施形態における対応するプロセスが参照されることがあり、詳細が本稿で再び記載されていないことが明瞭に理解されうる。
【０５５６】
本願で提供されるいくつかの実施形態では、開示されるシステム、装置および方法は他の仕方で実装されてもよいことは理解しておくべきである。たとえば、ユニットの分割は単に論理的な機能の分割であり、実際の実装では他の分割であってもよい。たとえば、複数のユニットまたはコンポーネントが組み合わされたり、あるいは別のシステムに統合されたりしてもよく、あるいはいくつかの特徴が無視されたり、あるいは実行されなかったりしてもよい。さらに、表示されるまたは論じられる相互の結合または直接結合または通信接続は、いくつかのインターフェースを通じて実装されてもよい。装置またはユニット間の間接的な結合または通信接続は、電子的、機械的または他の形で実装されうる。
【０５５７】
別個の部分として記載されるユニットは物理的に別個であってもなくてもよい。ユニットとして表示される部分は物理的なユニットであってもなくてもよく、一つの位置に位置していてもよく、あるいは複数のネットワーク・ユニット上に分散されていてもよい。それらのユニットの一部または全部は、実施形態の解決策の目的を達成するために実際の要件に従って選択されうる。
【０５５８】
さらに、本発明の実施形態における機能ユニットは、一つの処理ユニットに統合されてもよく、あるいは各ユニットが物理的に担体で存在していてもよく、あるいは二つ以上のユニットが一つのユニットに統合される。
【０５５９】
機能がソフトウェア機能ユニットの形で実装され、独立したプロダクトとして販売または使用されるときは、それらの機能はコンピュータ可読記憶媒体において記憶されてもよい。そのような理解に基づいて、本発明の技術的解決策は、本質的には、あるいは従来技術に貢献する部分または技術的解決策の一部は、ソフトウェア・プロダクトの形で実装されてもよい。コンピュータ・ソフトウェア・プロダクトは記憶媒体に記憶され、本発明の実施形態において記載された方法の段階の全部または一部を実行するようコンピュータ装置（これはパーソナル・コンピュータ、サーバー、ネットワーク装置などでありうる）に命令するためのいくつかの命令を含む。上記の記憶媒体は、プログラム・コードを記憶することのできる任意の媒体、たとえばUSBフラッシュドライブ、リムーバブルハードディスク、読み出し専用メモリ（read-only  memory、ROM）、ランダムアクセスメモリ（random  access  memory、RAM）、磁気ディスクまたは光ディスクを含む。
【０５６０】
上記の記述は単に本発明の具体的実装であり、本発明の保護範囲を限定することは意図されていない。本発明において開示されている技術的範囲内で当業者によって容易に割り出されるいかなる変形または置換も、本発明の保護範囲内にはいる。したがって、本発明の保護範囲は、請求項の保護範囲に従う。
【国際調査報告】
2019520733.tif 000038
2019520733.tif 000039
2019520733.tif 000040
2019520733.tif 000041
2019520733.tif 000042
2019520733.tif 000043
2019520733.tif 000044
2019520733.tif 000045